(57)【要約】  本発明は、悪臭低減組成物を含む基材及びこのような基材の製造方法に関する。このような悪臭低減組成物は、このような悪臭低減組成物を含む付香された又は付香されていない基材及びこのような基材によって処置された付香された又は付香されていない場所の匂いを過度に妨害することはない。【特許請求の範囲】
【請求項１】
物品であって、
ａ）基材、好ましくは可撓性基材、より好ましくはシートである可撓性基材であって、好ましくは前記基材が布地柔軟化活性物質を含み、好ましくは前記布地柔軟化活性物質が前記基材の全部又は一部を被覆する、基材と、
ｂ）総計が０．０００２５％〜１％の、好ましくは０．００２５％〜０．１％の、より好ましくは０．００５％〜０．０７５％の、最も好ましくは０．０１％〜０．０５％の、１種以上の悪臭低減物質、好ましくは１〜２０種の悪臭低減物質、より好ましく１〜１５種の悪臭低減物質、最も好ましくは１〜１０種の悪臭低減物質であって、前記悪臭低減物質それぞれが、少なくとも０．５の、好ましくは０．５〜１０の、より好ましく１〜１０の、最も好ましくは１〜５のＭＯＲＶを有し、好ましくは前記悪臭低減物質のそれぞれが総合（Ｕｎｉｖｅｒｓａｌ）ＭＯＲＶを有し、前記悪臭低減物質の総計が３未満の、より好ましくは２．５未満の、更により好ましく２未満の、なおより好ましく１未満の、最も好ましくは０のブロッカー指数及び／又は３〜０．００１のブロッカー指数平均を有する、物品。
【請求項２】
前記悪臭低減物質が３未満の、より好ましくは２．５未満の、またより好ましくは２未満の、なおより好ましく１未満の、最も好ましくは０の芳香忠実指数（Fragrance Fidelity Index）又は３から０．００１の芳香忠実度指数平均を有する、請求項１に記載の物品。
【請求項３】
前記物品が香料を含み、１：２０，０００から３０００：１の、好ましくは１：１０，０００から１，０００：１の、より好ましく５，０００：１から５００：１の、最も好ましくは１：１５から１：１の、悪臭低減組成物の部の香料の部に対する重量比を有する、請求項１から２のいずれかに記載の物品。
【請求項４】
３を超える、好ましくは３を超えるが８未満のｌｏｇＰを有する１種以上の悪臭低減物質を含み、好ましくは前記１種以上の悪臭低減物質が２−エチルヘキシル（Ｚ）−３−（４−メトキシフェニル）アクリレート、２，４−ジメチル−２−（５，５，８，８−テトラメチル−５，６，７，８−テトラヒドロナフタレン−２−イル）−１，３−ジオキソラン、１，１−ジメトキシノン−２−イン、３−メトキシ−７，７−ジメチル−１０−メチレンビシクロ［４．３．１］デカン、メトキシシクロドデカン、１，１−ジメトキシシクロドデカン、（Ｚ）−トリデカ−２−エンニトリル、（２−ヒドロキシ−４−メトキシフェニル）（フェニル）メタノン、２，４ａ，５，８ａ−テトラメチル−１，２，３，４，４ａ，７，８，８ａ−オクタヒドロナフタレン−１−イルホルメート、１，８−ジオキサシクロヘプタデカン−９−オン、４−（ｔｅｒｔ−ペンチル）シクロヘキサン−１−オン、２−メトキシ−１，１’−ビフェニル、３ａ，５，６，７，８，８ｂ−ヘキサヒドロ−２，２，６，６，７，８，８−ヘプタメチル−４Ｈ−インデノ（４，５−ｄ）−１，３−ジオキソール、７−イソプロピル−８，８−ジメチル−６，１０−ジオキサスピロ［４．５］デカン、オクチルフラン−２−カルボキシレート、オクチルアセテート、２−ヘプチル−４−メチル−１，３−ジオキソラン、オクタナール、１，１−ジメトキシオクタン、７−メチル−３−メチレンオクタ−１，６−ジエン、２−メチル−６−メチレンオクタ−７−エン−２−イルアセテート、テトラデカナール、テトラデカンニトリル、２，２，６，８−テトラメチル−１，２，３，４，４ａ，５，８，８ａ−オクタヒドロナフタレン−１−オール、２−（（１Ｓ，５Ｒ）−６，６−ジメチルビシクロ［３．１．１］ヘプタ−２−エン−２−イル）エチルアセテート、（４Ｒ，４ａＳ，６Ｒ）−４，４ａ−ジメチル−６−（プロパ−１−エン−２−イル）−４，４ａ，５，６，７，８−ヘキサヒドロナフタレン−２（３Ｈ）−オン、ノナン−１−オール、ノナナール、１２−メチル−１４−テトラデカ−９−エノリド、Ｎ−エチル−２−イソプロピル−５−メチルシクロヘキサン−１−カルボキサミド、２−メトキシナフタレン、（Ｅ）−３，７，１１−トリメチルドデカ−１，６，１０−トリエン−３−オール、（Ｚ）−３，７−ジメチルオクタ−２，６−ジエン−１−オール、メチル（Ｅ）−ノン−２−エノアート、１０−イソプロピル−２，７−ジメチル−１−オキサスピロ［４．５］デカ−３，６−ジエン、２−（２−（４−メチルシクロヘキサ−３−エン−１−イル）プロピル）シクロペンタン−１−オン、（Ｅ）−４−（２，２，３，６−テトラメチルシクロヘキシル）ブタ−３−エン−２−オン、（４−（４−メチルペンタ−３−エン−１−イル）シクロヘキサ−３−エン−１−イル）メチルアセテート、２−（ｔｅｒｔ−ブチル）−４，５，６−トリメチル−１，３−フェニレンジニトライト、１，７−ジオキサシクロヘプタデカン−８−オン、１−（４−（ｔｅｒｔ−ブチル）−２，６−ジメチル−３，５−ジニトロフェニル）エタン−１−オン、１−（ｔｅｒｔ−ブチル）−２−メトキシ−４−メチル−３，５−ジニトロベンゼン、３−メチルシクロペンタデカン−１−オン、（Ｅ）−３−メチルシクロペンタデカ−４−エン−１−オン、１−（４−イソプロピルシクロヘキシル）エタン−１−オール、（Ｅ）−デカ−５−エン酸、メチルノン−２−イノエート、２−メチルデカナール、６，６−ジメトキシ−２，５，５−トリメチルヘキサ−２−エン、ステアリン酸メチル、１，１−ジメトキシ−２−メチルウンデカン、ウンデカン−２−オン、２−メチルウンデカナール、メチルテトラデカノアート、メチル（９Ｚ，１２Ｚ）−オクタデカ−９，１２−ジエノアート、パルミチン酸メチル、１−メチル−２−フェノキシベンゼン、１−アリル−４−メトキシベンゼン、１−（ナフタレン−２−イル）エタン−１−オン、メチルオクタ−２−イノエート、メチル２，６，６−トリメチルシクロヘキサ−２−エン−１−カルボキシレート、７−イソプロピル−１０−メチル−１，５−ジオキサスピロ［５．５］ウンデカン−３−オール、３−（３−（ｔｅｒｔ−ブチル）フェニル）−２−メチルプロパナール、（Ｅ）−４−（４，８−ジメチルノン−３，７−ジエン−１−イル）ピリジン、（Ｅ）−トリデカ−３，１２−ジエンニトリル、２，２−ジメチル−３−（ｍ−トリル）プロパン−１−オール、８−イソプロピル−６−メチルビシクロ［２．２．２］オクタ−５−エン−２−カルボアルデヒド、（Ｓ）−１−メチル−４−（プロパ−１−エン−２−イル）シクロヘキサ−１−エン、３，７−ジメチルオクタ−１，６−ジエン−３−イルオクタノアート、３，７−ジメチルオクタ−１，６−ジエン−３−イルイソブチラート、３，７−ジメチルオクタ−１，６−ジエン−３−イルベンゾエート、３，７−ジメチルオクタ−１，６−ジエン−３−イル２−アミノベンゾエート、（２Ｚ，６Ｅ）−３，７−ジメチルノン−２，６−ジエンニトリル、３−（４−メチルシクロヘキサ−３−エン−１−イル）ブタナール、（２，５−ジメチル−１，３−ジヒドロインデン−２−イル）メタノール、３−（４−（ｔｅｒｔ−ブチル）フェニル）−２−メチルプロパナール、ドデン−１−オール、ドデシルアセテート、ドデカン酸、５−ヘキシル−５−メチルジヒドロフラン−２（３Ｈ）−オン、ドデカナール、４−（１−エトキシビニル）−３，３，５，５−テトラメチルシクロヘキサン−１−オン、（（３Ｓ，３ａＲ，６Ｒ，８ａＳ）−７，７−ジメチル−８−メチレンオクタヒドロ−１Ｈ−３ａ，６−メタノアズレン−３−イル）メタノール、５−（ｓｅｃ−ブチル）−２−（２，４−ジメチルシクロヘキサ−３−エン−１−イル）−５−メチル−１，３−ジオキサン、（１−メチル−２−（（１，２，２−トリメチルビシクロ［３．１．０］ヘキサン−３−イル）メチル）シクロプロピル）メタノール、２−プロピルヘプタンニトリル、２−ヘキシルシクロペンタン−１−オン、２，６，９，１０−テトラメチル−１−オキサスピロ（４．５）デカ−３，６−ジエン、パルミチン酸イソプロピル、テトラデカン酸イソプロピル、ドデカン酸イソプロピル、（Ｅ）−シクロヘキサデカ−８−エン−１−オン、（２Ｓ，５Ｓ）−２−イソプロピル−５−メチルシクロヘキサン−１−オン、２−ヘキシルシクロペンタ−２−エン−１−オン、（２Ｓ，５Ｓ）−２−イソプロピル−５−メチルシクロヘキサン−１−オン、４−（４−メチルペンタ−３−エン−１−イル）シクロヘキサ−３−エン−１−カルボアルデヒド、（Ｚ）−１−（ベンジルオキシ）−２−メトキシ−４−（プロパ−１−エン−１−イル）ベンゼン、１−（（２Ｓ，３Ｓ）−２，３，８，８−テトラメチル−１，２，３，４，５，６，７，８−オクタヒドロナフタレン−２−イル）エタン−１−オン、６−（ｓｅｃ−ブチル）キノリン、２−（シクロヘキシルオキシ）−１，７，７−トリメチルビシクロ［２．２．１］ヘプタン、（１Ｒ，２Ｒ，４Ｓ）−１，７，７−トリメチルビシクロ［２．２．１］ヘプタン−２−イルプロピオナート、（１Ｓ，２Ｓ，４Ｓ）−１，７，７−トリメチルビシクロ［２．２．１］ヘプタン−２−イルイソブチラート、４−（（２Ｒ）−１，７，７−トリメチルビシクロ［２．２．１］ヘプタン−２−イル）シクロヘキサン−１−オール、（１Ｒ，４Ｓ）−１，７，７−トリメチルビシクロ［２．２．１］ヘプタン−２−イルアセテート、２−（４−イソプロピルシクロヘキサ−１，４−ジエン−１−イル）エチルホルメート、イソペンチル（Ｅ）−ウンデカ−６−エノアート、イソペンチルドデカノアート、（Ｅ）−オキサシクロヘプタデカ−１０−エン−２−オン、（Ｅ）−ノン−２−エンニトリル、（Ｅ）−８−（１Ｈ−インドール−１−イル）−２，６−ジメチルオクタ−７−エン−２−オール、８，８−ジ（１Ｈ−インドール−１−イル）−２，６−ジメチルオクタン−２−オール、２−シクロドデシルプロパン−１−オール、３−メチル−５−フェニルペンタンニトリル、２，３−ジヒドロ−３，３−ジメチル−１Ｈ−インデン−５−プロパナール、３−（３，３−ジメチル−２，３−ジヒドロ−１Ｈ−インデン−５−イル）プロパナール、ヘキシルオクタノアート、ヘキシルヘキサノアート（Ｚ）−２−ベンジリデンオクタナール、安息香酸ヘキシル、（Ｚ）−ヘキサ−１−エン−１−イル（Ｚ）−２−メチルブタ−２−エノアート、（Ｅ）−３，７−ジメチルオクタ−２，６−ジエン−１−イルパルミテート、オキサシクロヘプタデカ−２−オン、エチル（１Ｒ，２Ｒ，３Ｒ，４Ｒ）−３−イソプロピルビシクロ［２．２．１］ヘプタ−５−エン−２−カルボキシレート、２−（１−（３，３−ジメチルシクロヘキシル）エトキシ）−２−メチルプロピルプロピオナート、（Ｅ）−オキサシクロヘキサデカ−１３−エン−２−オン、６−ブチル−２，４−ジメチル−３，６−ジヒドロ−２Ｈ−ピラン、２−（（３Ｓ，５Ｒ，８Ｓ）−３，８−ジメチル−１，２，３，４，５，６，７，８−オクタヒドロアズレン−５−イル）プロパン−２−オール、１−（２，６，６−トリメチルシクロヘキサ−２−エン−１−イル）ペンタン−３−オン、エチル２−エチル−６，６−ジメチルシクロヘキサ−２−エン−１−カルボキシラート、（１Ｚ，５Ｚ）−１，５−ジメチル−８−（プロパン−２−イリデン）シクロデカ−１，５−ジエン、（１Ｅ，６Ｅ）−８−イソプロピル−１−メチル−５−メチレンシクロデカ−１，６−ジエン、（Ｅ）−３，７−ジメチルオクタ−２，６−ジエン−１−イル２−フェニルアセテート、（Ｅ）−３，７−ジメチルオクタ−２，６−ジエン−１−イル２−フェニルアセテート、（６Ｅ，１０Ｅ）−３，７，１１，１５−テトラメチルヘキサデカ−１，６，１０，１４−テトラエン−３−オール、（Ｅ）−２−（３，７−ジメチルオクタ−２，６−ジエン−１−イル）シクロペンタン−１−オン、５−ヘプチルジヒドロフラン−２（３Ｈ）−オン、１−メチル−４−（プロパン−２−イリデン）シクロヘキシルアセテート、１−メチル−４−（プロパン−２−イリデン）シクロヘキサン−１−オール、（１Ｒ，４ａＲ，８ａＳ）−１−イソプロピル−７−メチル−４−メチレン−１，２，３，４，４ａ，５，６，８ａ−オクタヒドロナフタレン、（Ｚ）−４−（２，２−ジメチル−６−メチレンシクロヘキシル）ブタ−３−エン−２−オン、（４ａＳ，９ａＲ）−３，５，５，９−テトラメチル−２，４ａ，５，６，７，９ａ−ヘキサヒドロ−１Ｈ−ベンゾ［７］アヌレン、（１Ｒ，３ａＲ，４Ｒ，７Ｒ）−１，４−ジメチル−７−（プロパ−１−エン−２−イル）−１，２，３，３ａ，４，５，６，７−オクタヒドロアズレン、２−（（２Ｒ，４ａＲ）−４ａ，８−ジメチル−１，２，３，４，４ａ，５，６，７−オクタヒドロナフタレン−２−イル）プロパン−２−オール、５−オクチルジヒドロフラン−２（３Ｈ）−オン、（Ｚ）−１−（２，２−ジメチル−６−メチレンシクロヘキシル）ブタ−２−エン−１−オン、（１Ｒ，４ａＳ，８ａＳ）−１−イソプロピル−７−メチル−４−メチレン−１，２，３，４，４ａ，５，６，８ａ−オクタヒドロナフタレン、１−（３，３−ジメチルシクロヘキシル）ペンタ−４−エン−１−オン、４，６，６，７，８，８−ヘキサメチル−１，３，４，６，７，８−ヘキサヒドロシクロペンタ［ｇ］イソクロメン、フラン−２−イルメチルオクタノアート、フラン−２−イルメチルヘキサノアート、フラン−２−イルメチルヘプタノアート、２−メチルデカンニトリル、８，８−ジメチル−３ａ，４，５，６，７，７ａ−ヘキサヒドロ−１Ｈ−４，７−メタノインデン−６−イルプロピオナート、エチル（３ａＲ，４Ｓ，７Ｒ，７ａＲ）−オクタヒドロ−３ａＨ−４，７−メタノインデン−３ａ−カルボキシレート、（６−イソプロピル−９−メチル−１，４−ジオキサスピロ［４．５］デカン−２−イル）メタノール、ウンデカ−１０−エンニトリル、３−（２−エチルフェニル）−２，２−ジメチルプロパナール、（Ｅ）−４，８−ジメチルデカ−４，９−ジエナール、（Ｅ）−４−（（３ａＲ，４Ｒ，
７Ｒ，７ａＲ）−１，３ａ，４，６，７，７ａ−ヘキサヒドロ−５Ｈ−４，７−メタノインデン−５−イリデン）−３−メチルブタン−２−オール、８，８−ジメチル−３ａ，４，５，６，７，７ａ−ヘキサヒドロ−１Ｈ−４，７−メタノインデン−６−イルアセテート、３−（４−エチルフェニル）−２，２−ジメチルプロパンニトリル、２−ヘプチルシクロペンタン−１−オン、１−エトキシエトキシシクロドデカン、３−シクロヘキセン−１−カルボン酸，２，６，６−トリメチル−，メチルエステル、（２Ｅ，６Ｅ）−３，７，１１−トリメチルドデカ−２，６，１０−トリエン−１−イルアセテート、（２Ｅ，６Ｅ）−３，７，１１−トリメチルドデカ−２，６，１０−トリエン−１−オール、オキサシクロヘキサデカン−２−オン、（Ｅ）−シクロペンタデカ−４−エン−１−オン、１−シクロペンタデカ−４−エン−１−オン、１，４−ジオキサシクロヘプタデカン−５，１７−ジオン、エチルウンデカ−１０−エノアート、パルミチン酸エチル、エチルノナノアート、エチルテトラデカノアート、（Ｅ）−３，７−ジメチルノン−１，６−ジエン−３−オール、ドデカン酸エチル、デカン酸エチル、エチル６，６−ジメチル−２−メチレンシクロヘキサ−３−エン−１−カルボキシレート、６−エチル−２，１０，１０−トリメチル−１−オキサスピロ［４．５］デカ−３，６−ジエン、２−（（１Ｒ，３Ｓ，４Ｓ）−４−メチル−３−（プロパ−１−エン−２−イル）−４−ビニルシクロヘキシル）プロパン−２−オール、（Ｅ）−３−メチル−５−（２，２，３−トリメチルシクロペンタ−３−エン−１−イル）ペンタ−４−エン−２−オール、（Ｅ）−４−（（３ａＳ，７ａＳ）−オクタヒドロ−５Ｈ−４，７−メタノインデン−５−イリデン）ブタナール、１，１−ジメトキシドデカン、（Ｒ）−１−メチル−４−（プロパ−１−エン−２−イル）シクロヘキサ−１−エン、７，９−ジメチルスピロ［５．５］ウンデカン−３−オン、オキシジベンゼン、ジフェニルメタン、２−メチル−１−フェニルプロパン−２−イルブチラート、オクタヒドロ−１Ｈ−４，７−メタノインデン−５−イルアセテート、２−メチル−５−（プロパ−１−エン−２−イル）シクロヘキシルアセテート、３，７−ジメチルオクタ−６−エン−３−オール、ジブチルスルファン、１，２−ジフェニルエタン、６−ヘキシルテトラヒドロ−２Ｈ−ピラン−２−オン、（３Ｒ，４Ｒ）−１−イソプロピル−４−メチル−３−（プロパ−１−エン−２−イル）−４−ビニルシクロヘキサ−１−エン、（３Ｓ，３ａＳ，５Ｒ）−３，８−ジメチル−５−（プロパ−１−エン−２−イル）−１，２，３，３ａ，４，５，６，７−オクタヒドロアズレン、６−ヘプチルテトラヒドロ−２Ｈ−ピラン−２−オン、（１Ｓ，８ａＲ）−４，７−ジメチル−１−（プロパン−２−イル）−１，２，３，５，６，８ａ−ヘキサヒドロナフタレン、（Ｚ）−１−（（１Ｒ，２Ｓ）−２，６，６−トリメチルシクロヘキサ−３−エン−１−イル）ブタ−２−エン−１−オン、（１Ｓ，８ａＳ）−１−イソプロピル−４，７−ジメチル−１，２，３，５，６，８ａ−ヘキサヒドロナフタレン、３，７，７−トリメチルビシクロ［４．１．０］ヘプタ−３−エン、デカ−９−エン−１−オール、プロピオン酸デシル、１，１−ジエトキシデカン、１−シクロヘキシルエチル（Ｅ）−ブタ−２−エノアート、３−（４−イソプロピルフェニル）−２−メチルプロパナール、シクロテトラデカン、シクロペンタデカノン、シクロヘキシル２−ヒドロキシベンゾエート、３ａ，４，５，６，７，７ａ−ヘキサヒドロ−１Ｈ−４，７−メタノインデン−６−イルブチラート、８，８−ジメチル−１，２，３，４，５，６，７，８−オクタヒドロナフタレン−２−カルボアルデヒド、３ａ，４，５，６，７，７ａ−ヘキサヒドロ−１Ｈ−４，７−メタノインデン−５−イルイソブチラート、（５Ｒ，６Ｒ）−３，６−ジメチル−５−（プロパ−１−エン−２−イル）−６−ビニル−４，５，６，７−テトラヒドロベンゾフラン、２−（３−フェニルプロピル）ピリジン、ドデカンニトリル、（Ｅ）−シクロヘプタデカ−９−エン−１−オン、３−（４−メチルシクロヘキサ−３−エン−１−イル）ブタ−３−エン−１−イルアセテート、３−（４−メチルシクロヘキサ−３−エン−１−イル）ブタン−１−オール、（Ｅ）−３−メチル−５−フェニルペンタ−２−エンニトリル、（Ｅ）−２−（２，６−ジメチルヘプタ−１，５−ジエン−１−イル）−４−メチル−１，３−ジオキソラン、（Ｅ）−１，１−ジメトキシ−３，７−ジメチルオクタ−２，６−ジエン、（Ｅ）−１，１−ジエトキシ−３，７−ジメチルオクタ−２，６−ジエン、（Ｅ）−３，７−ジメチルオクタ−１，３，６−トリエン、（Ｅ）−オキサシクロヘプタデカ−１１−エン−２−オン、（Ｚ）−デカ−４−エナール、（Ｅ）−ヘキサ−３−エン−１−イル（Ｅ）−ヘキサ−３−エノアート、（Ｚ）−ヘキサ−３−エン−１−イル２−ヒドロキシベンゾエート、（Ｚ）−ヘキサ−３−エン−１−イルベンゾエート、（Ｚ）−ヘキサ−３−エン−１−イル２−メチルブタノアート、プロピオン酸シンナミル、イソ酪酸シンナミニル、桂皮酸シンナミル、ヘキサデカン−１−オール、（Ｅ）−１−（２，６，６−トリメチルシクロヘキサ−２−エン−１−イル）ヘプタ−１，６−ジエン−３−オン、２−メチル−４−（２，６，６−トリメチルシクロヘキサ−１−エン−１−イル）ブタナール、（３ａＲ，５ａＲ，９ａＲ，９ｂＲ）−３ａ，６，６，９ａ−テトラメチルドデカヒドロナフト［２，１−ｂ］フラン、１，６−ジオキサシクロヘプタデカン−７−オン、１−（６−（ｔｅｒｔ−ブチル）−１，１−ジメチル−２，３−ジヒドロ−１Ｈ−インデン−４−イル）エタン−１−オン、（３Ｒ，３ａＲ，６Ｓ，７Ｓ，８ａＳ）−６−メトキシ−３，６，８，８−テトラメチルオクタヒドロ−１Ｈ−３ａ，７−メタノアズレン、（３Ｒ，３ａＳ，６Ｒ，７Ｒ，８ａＳ）−３，６，８，８−テトラメチルオクタヒドロ−１Ｈ−３ａ，７−メタノアズレン−３−イルホルメート、（３Ｒ，３ａＳ，６Ｒ，７Ｒ，８ａＳ）−３，６，８，８−テトラメチルオクタヒドロ−１Ｈ−３ａ，７−メタノアズレン−６−イルアセテート、（４Ｚ，８Ｚ）−１，５，９−トリメチル−１３−オキサビシクロ［１０．１．０］トリデカ−４，８−ジエン、（３Ｒ，３ａＳ，６Ｒ，７Ｒ，８ａＳ）−３，６，８，８−テトラメチルオクタヒドロ−１Ｈ−３ａ，７−メタノアズレン−６−オール、５−メチル−１−（２，２，３−トリメチルシクロペンタ−３−エン−１−イル）−６−オキサビシクロ［３．２．１］オクタン、５−メチル−１−（２，２，３−トリメチルシクロペンタ−３−エン−１−イル）−６−オキサビシクロ［３．２．１］オクタン、１，１，２，３，３−ペンタメチル−１，２，３，５，６，７−ヘキサヒドロ−４Ｈ−インデン−４−オン、（Ｚ）−４，１１，１１−トリメチル−８−メチレンビシクロ［７．２．０］ウンデカ−３−エン−５−イルアセテート、（１Ｓ，２Ｓ，５Ｒ，８Ｓ）−４，４，８−トリメチルトリシクロ［６．３．１．０２，５］ドデカン−１−オール、２−メチル−５−（プロパ−１−エン−２−イル）シクロヘキサ−２−エン−１−イルアセテート、オクタンニトリル、デカン酸、デカナール、２，２−ジメチル−３−メチレンビシクロ［２．２．１］ヘプタン、エチル２−メチル−４−オキソ−６−ペンチルシクロヘキサ−２−エン−１−カルボキシレート、２，６−ジ−ｔｅｒｔ−ブチル−４−メチルフェノール、ステアリン酸ブチル、ブチルウンデカ−１０−エノアート、２−メチル−４−（２，２，３−トリメチルシクロペンタ−３−エン−１−イル）ブタン−１−オール、３−（４−（ｔｅｒｔ−ブチル）フェニル）プロパナール、（１Ｓ，２Ｓ）−１，７，７−トリメチルビシクロ［２．２．１］ヘプタン−２−イルイソブチラート、１，７，７−トリメチルビシクロ［２．２．１］ヘプタン−２−イルアセテート、２−エトキシ−２，６，６−トリメチル−９−メチレンビシクロ［３．３．１］ノナン、（エトキシメトキシ）シクロドデカン、（Ｅ）−１−メチル−４−（６−メチルヘプタ−５−エン−２−イリデン）シクロヘキサ−１−エン、３，３，６，７−テトラメチルオクタヒドロ−２Ｈ−クロメン、（５Ｒ，１０Ｒ）−６，１０−ジメチル−２−（プロパン−２−イリデン）スピロ［４．５］デカ−６−エン−８−オン、１−メチル−４−（プロパ−１−エン−２−イル）シクロヘキシルアセテート、（２Ｚ，６Ｅ）−２，６−ジメチル−１０−メチレンドデカ−２，６，１１−トリエナール、（Ｒ）−３−メチレン−６−（（Ｓ）−６−メチルヘプタ−５−エン−２−イル）シクロヘキサ−１−エン、（４ａＲ，７Ｒ，８ａＳ）−４ａ−メチル−１−メチレン−７−（プロパ−１−エン−２−イル）デカヒドロナフタレン、（Ｚ）−２−メチル−５−（（１Ｓ，２Ｒ，４Ｒ）−２−メチル−３−メチレンビシクロ［２．２．１］ヘプタン−２−イル）ペンタ−２−エン−１−オール、６，６−ジメチル−２−メチレンビシクロ［３．１．１］ヘプタン、２−エトキシナフタレン、（１Ｓ，４Ｒ，７Ｒ）−１，４，９，９−テトラメチル−１，２，３，４，５，６，７，８−オクタヒドロ−４，７−メタノアズレン、（１ａＳ，５ａＲ，９ａＲ）−１ａ，５，５，７−テトラメチル−１ａ，２，３，４，５，５ａ，８，９−オクタヒドロベンゾ［１，７］シクロヘプタ［１，２−ｂ］オキシレン、（Ｒ）−３，５，５，９−テトラメチル−２，４ａ，５，６，７，８−ヘキサヒドロ−１Ｈ−ベンゾ［７］アヌレン、（１Ｓ，４Ｓ）−１，４−ジメチル−７−（プロパン−２−イリデン）−１，２，３，４，５，６，７，８−オクタヒドロアズレン、（Ｅ）−７，１１−ジメチル−３−メチレンドデカ−１，６，１０−トリエン、（１Ｒ，２Ｓ，６Ｓ，７Ｓ，８Ｓ）−８−イソプロピル−１−メチル−３−メチレントリシクロ［４．４．０．０２，７］デカン、（３Ｒ，３ａＳ，７Ｓ，８ａＳ）−３，８，８−トリメチル−６−メチレンオクタヒドロ−１Ｈ−３ａ，７−メタノアズレン、（１Ｒ，９Ｓ，Ｚ）−４，１１，１１−トリメチル−８−メチレンビシクロ［７．２．０］ウンデカ−４−エン、（Ｓ）−４−メチル−１−（（Ｓ）−６−メチルヘプタ−５−エン−２−イル）シクロヘキサ−３−エン−１−オール、ドデカン酸ベンジル、桂皮酸ベンジル、安息香酸ベンジル、２’−イソプロピル−１，７，７−トリメチルスピロ［ビシクロ［２．２．１］ヘプタン−２，４’−［１，３］ジオキサン］、４−（４−メチルペンタ−３−エン−１−イル）シクロヘキサ−３−エン−１−カルボニトリル、メチル（Ｅ）−２−（（７−ヒドロキシ−３，７−ジメチルオクチリデン）アミノ）ベンゾエート、４−メトキシベンジル２−フェニルアセテート、ペンチル（Ｚ）−３−フェニルアクリレート、（３ａＲ，５ａＳ，９ａＳ，９ｂＲ）−３ａ，６，６，９ａ−テトラメチルドデカヒドロナフト［２，１−ｂ］フラン、（４ａＲ，５Ｒ，７ａＳ，９Ｒ）−２，２，５，８，８，９ａ−ヘキサメチルオクタヒドロ−４Ｈ−４ａ，９−メタノアズレノ［５，６−ｄ］［１，３］ジオキソール、２，５，５−トリメチル−１，２，３，４，５，６，７，８−オクタヒドロナフタレン−２−オール、２，５，５−トリメチル−１，２，３，４，４ａ，５，６，７−オクタヒドロナフタレン−２−オール、１−（（２−（ｔｅｒｔ−ブチル）シクロヘキシル）オキシ）ブタン−２−オール、（３Ｓ，５ａＲ，７ａＳ，１１ａＳ，１１ｂＲ）−３，８，８，１１ａ−テトラメチルドデカヒドロ−５Ｈ−３，５ａ−エポキシナフト［２，１−ｃ］オキセピン、２，２，６，６，７，８，８−ヘプタメチルデカヒドロ−２Ｈ−インデノ［４，５−ｂ］フラン、２，２，７，７，８，９，９−ヘプタメチルデカヒドロインデノ［４，３ａ−ｂ］フラン、２−（ｓｅｃ−ブチル）−１−ビニルシクロヘキシルアセテート、（４Ｒ，４ａＳ）−４，４ａ−ジメチル−６−（プロパン−２−イリデン）−４，４ａ，５，６，７，８−ヘキサヒドロナフタレン−２（３Ｈ）−オン、２−（４−メチルシクロヘキサ
−３−エン−１−イル）プロパン−２−イルプロピオナート、（２Ｚ，６Ｅ，９Ｅ）−２，６，１０−トリメチルドデカ−２，６，９，１１−テトラエナール、（２Ｒ，４ａＲ，８ａＲ）−４ａ，８−ジメチル−２−（プロパ−１−エン−２−イル）−１，２，３，４，４ａ，５，６，８ａ−オクタヒドロナフタレン、１，７−ジメチル−７−（４−メチルペンタ−３−エン−１−イル）トリシクロ［２．２．１．０２，６］ヘプタン、（Ｅ）−５−（２，３−ジメチルトリシクロ［２．２．１．０２，６］ヘプタン−３−イル）−２−メチルペンタ−２−エン−１−オール、（１Ｒ，３ａＳ，７Ｓ，８ａＲ）−１，４，９，９−テトラメチル−２，３，６，７，８，８ａ−ヘキサヒドロ−１Ｈ−３ａ，７−メタノアズレン、１−（５，５−ジメチルシクロヘキサ−１−エン−１−イル）ペンタ−４−エン−１−オン、（１Ｓ，４ａＳ，８ａＲ）−１−イソプロピル−４，７−ジメチル−１，２，４ａ，５，６，８ａ−ヘキサヒドロナフタレン、（Ｒ，Ｚ）−１−（２，６，６−トリメチルシクロヘキサ−２−エン−１−イル）ペンタ−１−エン−３−オン、１−メチル−４−（プロパ−１−エン−２−イル）シクロヘキサ−１−エン、（Ｚ）−４−（２，５，６，６−テトラメチルシクロヘキサ−２−エン−１−イル）ブタ−３−エン−２−オン、（１Ｚ，４Ｅ，８Ｚ）−２，６，６，９−テトラメチルシクロウンデカ−１，４，８−トリエン、（４ａＲ，８Ｓ，９ａＳ）−３，５，５，８−テトラメチル−９−メチレン−２，４ａ，５，６，７，８，９，９ａ−オクタヒドロ−１Ｈ−ベンゾ［７］アヌレン、（１ａＲ，４Ｒ，４ａＲ，７ｂＳ）−１，１，４，７−テトラメチル−１ａ，２，３，４，４ａ，５，６，７ｂ−オクタヒドロ−１Ｈ−シクロプロパ［ｅ］アズレン、１，４−ジメチル−７−（プロパ−１−エン−２−イル）−１，２，３，４，５，６，７，８−オクタヒドロアズレン、（３Ｅ，６Ｅ）−３，７，１１−トリメチルドデカ−１，３，６，１０−テトラエン、７，７−ジメチル−２−メチレンビシクロ［２．２．１］ヘプタン、２−（（２Ｒ，４ａＲ，８ａＲ）−４ａ，８−ジメチル−１，２，３，４，４ａ，５，６，８ａ−オクタヒドロナフタレン−２−イル）プロパン−２−オール、（Ｒ）−１−メチル−４−（６−メチルヘプタ−５−エン−２−イル）ベンゼン、（３ａＲ，３ｂＲ，４Ｓ，７Ｒ，７ａＳ）−４−イソプロピル−７−メチル−３ａ，３ｂ，４，５，６，７−ヘキサヒドロ−１Ｈ−シクロペンタ［１，３］シクロプロパ［１，２］ベンゼン、（１ａＳ，２ａＲ，３Ｒ，５ａＳ，７Ｒ，７ａＲ）−３，６，６，７ａ−テトラメチルオクタヒドロ−２Ｈ−２ａ，７−メタノアズレノ［５，６−ｂ］オキシレン、（１Ｒ，４Ｓ，４ａＲ，８ａＲ）−４−イソプロピル−１，６−ジメチル−１，２，３，４，４ａ，７，８，８ａ−オクタヒドロナフタレン−１−オール、（１Ｓ，４ａＲ，８ａＲ）−１−イソプロピル−４，７−ジメチル−１，２，４ａ，５，６，８ａ−ヘキサヒドロナフタレン、（Ｒ）−２−（（Ｒ）−４−メチルシクロヘキサ−３−エン−１−イル）ヘキサ−５−エン−２−オール、（Ｚ）−１−メチル−４−（６−メチルヘプタ−２，５−ジエン−２−イル）シクロヘキサ−１−エン、２，６−ジメチル−６−（４−メチルペンタ−３−エン−１−イル）ビシクロ［３．１．１］ヘプタ−２−エン、（Ｅ）−２−ベンジリデンヘプタン−１−オール、（Ｅ）−２−ベンジリデンヘプチルアセテート、（Ｚ）−（２−（ジエトキシメチル）ヘプタ−１−エン−１−イル）ベンゼン、（Ｅ）−２−ベンジリデンヘプタナール、（１Ｓ，４ａＲ，８ａＳ）−１−イソプロピル−４，７−ジメチル−１，２，４ａ，５，６，８ａ−ヘキサヒドロナフタレン、（３Ｒ，５ａＳ，９ａＲ）−２，２，５ａ，９−テトラメチル−３，４，５，５ａ，６，７−ヘキサヒドロ−２Ｈ−３，９ａ−メタノベンゾ［ｂ］オキセピン、１−メチル−４−（４−メチルペンタ−３−エン−１−イル）シクロヘキサ−３−エン−１−カルボアルデヒド、３−メチル−１−フェニルペンタン−３−オール、２，６，１０−トリメチルウンデカナール、アリル３−シクロヘキシルプロパノアート、（１ａＲ，４ａＳ，７Ｒ，７ａＲ，７ｂＳ）−１，１，７−トリメチル−４−メチレンデカヒドロ−１Ｈ−シクロプロパ［ｅ］アズレン、（Ｅ）−ウンデカ−９−エナール、メチル（Ｅ）−２−（（（３，５−ジメチルシクロヘキサ−３−エン−１−イル）メチレン）アミノ）ベンゾエート、２，６，１０−トリメチルウンデカ−９−エナール、（７，７，８，８−テトラメチルオクタヒドロ−２，３ｂ−メタノシクロペンタ［１，３］シクロプロパ［１，２］ベンゼン−４−イル）メチルアセテート、ノニルアセテート、（２−（１−プロポキシエトキシ）エチル）ベンゼン、（Ｚ）−２−（４−メチルベンジリデン）ヘプタナール、デカ−９−エナール、（Ｚ）−オキサシクロヘプタデカ−８−エン−２−オン、（２Ｓ，４ａＲ，８ａＲ）−４ａ，８−ジメチル−２−（プロパ−１−エン−２−イル）−１，２，３，４，４ａ，５，６，８ａ−オクタヒドロナフタレン、２−（（２Ｓ，４ａＲ，８ａＲ）−４ａ，８−ジメチル−１，２，３，４，４ａ，５，６，８ａ−オクタヒドロナフタレン−２−イル）プロパン−２−オール、１−（３，５，５，６，８，８−ヘキサメチル−５，６，７，８−テトラヒドロナフタレン−２−イル）エタン−１−オン、６−イソプロピルキノリン、３−（６，６−ジメチルビシクロ［３．１．１］ヘプタ−２−エン−２−イル）プロパナール、６，１０，１４−トリメチルペンタデカン−２−オン、（Ｅ）−シクロヘキサデカ−５−エン−１−オン、１−イソプロピル−４−メチルシクロヘキサ−３−エン−１−オール、１−イソプロピル−４−メチルシクロヘキサ−３−エン−１−オール、３，６−ジメチル−４，５，６，７−テトラヒドロベンゾフラン、（１ａＲ，２Ｓ，４ａＳ）−２，４ａ，８，８−テトラメチルオクタヒドロシクロプロパ［ｄ］ナフタレン−３（１Ｈ）−オン、（Ｚ）−ドデカ−２−エナール、（Ｅ）−ヘキサ−３−エン−１−イル３−メチルブタノアート、３，６−ジメチルオクタン−３−イルアセテート、３−（４−イソプロピルフェニル）プロパナール、（Ｚ）−ウンデカ−２−エンニトリル、（Ｅ）−ウンデカ−２−エナール、フェネチルブチラート、（Ｚ）−ノン−２−エナール、ノナン−２−オール、ノナン−２−オン、２−イソブチルキノリン、（Ｅ）−２−ヘキシリデンシクロペンタン−１−オン、２−ヘプチルテトラヒドロフラン、（Ｅ）−デカ−２−エナール、２，６−ジメチルオクタナール、デカン−１−オール、（Ｅ）−ヘプタ−１−エン−１−イルアセテート、ウンデカ−１０−エン−１−オール、ウンデカ−１０−エナール、２−（（２Ｒ，４ａＳ）−４ａ，８−ジメチル−１，２，３，４，４ａ，５，６，７−オクタヒドロナフタレン−２−イル）プロパン−２−オール、１−イソプロピル−４−メチル−７−チアビシクロ［２．２．１］ヘプタン、（３Ｅ，５Ｚ）−ウンデカ−１，３，５−トリエン、３，７−ジメチルオクタ−６−エン−３−オール、１，３，３−トリメチルビシクロ［２．２．１］ヘプタン−２−イルアセテート、１，１，２，３，３−ペンタメチル−２，３−ジヒドロ−１Ｈ−インデン、（Ｚ）−６，１０−ジメチルウンデカ−５，９−ジエン−２−イルアセテート、（Ｚ）−ドデカ−３−エナール、（Ｓ）−５−ヘプチルジヒドロフラン−２（３Ｈ）−オン、（Ｒ）−５−ヘプチルジヒドロフラン−２（３Ｈ）−オン、（Ｅ）−６，１０−ジメチルウンデカ−５，９−ジエン−２−イルアセテート、（Ｚ）−３−メチル−５−フェニルペンタ−２−エンニトリル、（２Ｓ，５Ｓ，６Ｓ）−２，６，１０，１０−テトラメチル−１−オキサスピロ［４．５］デカン−６−オール、（２Ｅ）−３−メチル−５−フェニル−２−ペンテンニトリル、（２Ｓ，５Ｒ）−２−イソプロピル−５−メチルシクロヘキサン−１−オン、（Ｒ，Ｅ）−２−メチル−４−（２，２，３−トリメチルシクロペンタ−３−エン−１−イル）ブタ−２−エン−１−オール、２−（８−イソプロピル−６−メチルビシクロ［２．２．２］オクタ−５−エン−２−イル）−１，３−ジオキソラン、（Ｅ）−４−（２，２−ジメチル−６−メチレンシクロヘキシル）−３−メチルブタ−３−エン−２−オン、３−（３−イソプロピルフェニル）ブタナール、３−（１−エトキシエトキシ）−３，７−ジメチルオクタ−１，６−ジエン、３ａ，４，５，６，７，７ａ−ヘキサヒドロ−１Ｈ−４，７−メタノインデン−６−イルプロピオナート、２−（（３Ｓ，３ａＳ，５Ｒ）−３，８−ジメチル−１，２，３，３ａ，４，５，６，７−オクタヒドロアズレン−５−イル）プロパン−２−オール、ベンジル２−フェニルアセテート、３−（６，６−ジメチルビシクロ［３．１．１］ヘプタ−２−エン−２−イル）−２，２−ジメチルプロパナール、２−メチル−５−（６−メチルヘプタ−５−エン−２−イル）ビシクロ［３．１．０］ヘキサ−２−エン、１−（１，１，２，３，３，６−ヘキサメチル−２，３−ジヒドロ−１Ｈ−インデン−５−イル）エタン−１−オン、（Ｅ）−トリデカ−２−エナール、（１Ｒ，４Ｓ，４ａＳ，６Ｒ，８ａＳ）−４，８ａ，９，９−テトラメチルオクタヒドロ−１，６−メタノナフタレン−１（２Ｈ）−オール、ｐ−トリルヘキサノアート、５−ヘキシル−４−メチルジヒドロフラン−２（３Ｈ）−オン、エチル（２Ｚ，４Ｅ）−デカ−２，４−ジエノアート、２，４−ジメチル−６−フェニル−３，６−ジヒドロ−２Ｈ−ピラン、２−シクロヘキシリデン−２−フェニルアセトニトリル、（４−（プロパ−１−エン−２−イル）シクロヘキサ−１−エン−１−イル）メチルアセテート、（４−（プロパ−１−エン−２−イル）シクロヘキサ−１−エン−１−イル）メタノール、（２−イソプロポキシエチル）ベンゼン、２−シクロヘキシルヘプタ−１，６−ジエン−３−オン、（２−（シクロヘキシルオキシ）エチル）ベンゼン、フェネチル２−メチルブタノアート、フェネチル２−フェニルアセテート、安息香酸フェニル、安息香酸フェネチル、２−（６，６−ジメチルビシクロ［３．１．１］ヘプタ−２−エン−２−イル）アセトアルデヒド、３ａ，４，５，６，７，７ａ−ヘキサヒドロ−１Ｈ−４，７−メタノインデン−６−イルピバラート、（Ｅ）−３，３−ジメチル−５−（２，２，３−トリメチルシクロペンタ−３−エン−１−イル）ペンタ−４−エン−２−オール、１−メチル−４−（４−メチルペンタ−３−エン−１−イル）シクロヘキサ−３−エン−１−カルボアルデヒド、ｐ−トリル２−フェニルアセテート、エチル２，４，７−デカトリエノアート、２−ベンジル−４，４，６−トリメチル−１，３−ジオキサン、２，４−ジメチル−４−フェニルテトラヒドロフラン、（２Ｒ，４ａ’Ｒ，８ａ’Ｒ）−３，７’−ジメチル−３’，４’，４ａ’，５’，８’，８ａ’−ヘキサヒドロ−１’Ｈ−スピロ［オキシラン−２，２’−［１，４］メタノナフタレン］、（Ｚ）−６−エチリデンオクタヒドロ−２Ｈ−５，８−メタノクロメン、２−（（Ｓ）−１−（（Ｓ）−３，３−ジメチルシクロヘキシル）エトキシ）−２−オキソエチルプロピオナート、メチル２，２−ジメチル−６−メチレンシクロヘキサン−１−カルボキシレート、４−メチル−２−フェニル−３，６−ジヒドロ−２Ｈ−ピラン、２，２，７，９−テトラメチルスピロ（５．５）ウンデカ−８−エン−１−オン、３−メチル−５−（２，２，３−トリメチルシクロペンタ−３−エン−１−イル）ペンタン−２−オール、（Ｚ）−２−エチル−４−（２，２，３−トリメチルシクロペンタ−３−エン−１−イル）ブタ−２−エン−１−オール、（Ｅ）−２−メチル−４−（２，２，３−トリメチルシクロペンタ−３−エン−１−イル）ブタ−２−エン−１−オール、１−（３−ヒドロキシ−３−メチルペンタ−４−エン−１−イル）−２，５，５，８ａ−テトラメチルデカヒドロナフタレン−２−オール、（４ａＲ，６ａＳ，１０ａＳ，１０ｂＲ）−３，４ａ，７，７，１０ａ−ペンタメチル−４ａ，５，６，６ａ，７，８，９，１０，１０ａ
，１０ｂ−デカヒドロ−１Ｈ−ベンゾ［ｆ］クロメン、（４ａＲ，８ａＲ）−４ａ，８−ジメチル−２−（プロパン−２−イリデン）−１，２，３，４，４ａ，５，６，８ａ−オクタヒドロナフタレン、２−（１−（３，３−ジメチルシクロヘキシル）エトキシ）−２−メチルプロピルシクロプロパンカルボキシレート、３−（４−イソブチルフェニル）−２−メチルプロパナール、（１ａＲ，４ａＲ，７Ｓ，７ａＲ，７ｂＲ）−１，１，７−トリメチル−４−メチレンデカヒドロ−１Ｈ−シクロプロパ［ｅ］アズレン−７−オール、１−（スピロ［４．５］デカ−７−エン−７−イル）ペンタ−４−エン−１−オン、（Ｚ）−ドデカ−４−エナール、（１Ｓ，４Ｓ，４ａＲ，８ａＲ）−４−イソプロピル−１，６−ジメチル−１，２，３，４，４ａ，７，８，８ａ−オクタヒドロナフタレン−１−オール、（１Ｓ，４Ｓ，４ａＲ，８ａＳ）−４−イソプロピル−１，６−ジメチル−１，２，３，４，４ａ，７，８，８ａ−オクタヒドロナフタレン−１−オール、３−メチル−２−ペンチルシクロペンタン−１−オン、２，６，１０，１０−テトラメチル−１−オキサスピロ［４．５］デカ−６−エン、（１ａＲ，４ａＳ）−２，４ａ，８，８−テトラメチル−１，１ａ，４，４ａ，５，６，７，８−オクタヒドロシクロプロパ［ｄ］ナフタレン、１−イソプロピル−２−メトキシ−４−メチルベンゼン、１−（２，２，６−トリメチルシクロヘキシル）ヘキサン−３−オール、（２Ｅ，６Ｅ）−３，７，１１−トリメチルドデカ−２，６，１０−トリエン−１−オール、（Ｚ）−デカ−２−エナール、（Ｅ）−ノン−２−エナール、（Ｅ）−デカ−４−エナール、（Ｚ）−オキサシクロヘプタデカ−８−エン−２−オン、（Ｚ）−３，７−ジメチルオクタ−１，３，６−トリエン、（Ｚ）−３，７−ジメチルオクタ−１，３，６−トリエン、（Ｅ）−３，７−ジメチルオクタ−２，６−ジエン−１−オール、（１Ｒ−（１α，３α，４ａα））−２，３，４，４ａ，５，６−ヘキサヒドロ−２，２−ジメチル−１，３−メタノナフタレン−７（１Ｈ）−オン、トリデカン−１−オール、メチル２−（（１−ヒドロキシ−３−フェニルブチル）アミノ）ベンゾエート、１−（（２Ｅ，５Ｚ，９Ｚ）−２，６，１０−トリメチルシクロドデカ−２，５，９−トリエン−１−イル）エタン−１−オン、デカヒドロ−２，６，６，７，８，８−ヘキサメチル−２ｈ−インデノ（４，５−ｂ）フラン、ペンタメチルオクタヒドロインデノジオキサン、ウンデカナール、（Ｅ）−４−メチルデカ−３−エン−５−オール、（３Ｒ，４ａＳ，５Ｒ）−４ａ，５−ジメチル−３−（プロパ−１−エン−２−イル）−１，２，３，４，４ａ，５，６，７−オクタヒドロナフタレン、２−（（２Ｒ，８Ｒ，８ａＳ）−８，８ａ−ジメチル−１，２，３，４，６，７，８，８ａ−オクタヒドロナフタレン−２−イル）プロパン−２−オール、（Ｚ）−２−メチル−４−（２，６，６−トリメチルシクロヘキサ−２−エン−１−イル）ブタ−２−エナール、１−メトキシ−３ａ，４，５，６，７，７ａ−ヘキサヒドロ−１Ｈ−４，７−メタノインデン、メチル（Ｚ）−２−（（３−（４−（ｔｅｒｔ−ブチル）フェニル）−２−メチルプロピリデン）アミノ）ベンゾエート、２，４，６−トリメチル−４−フェニル−１，３−ジオキサン、１−（（３Ｒ，３ａＲ，７Ｒ，８ａＳ）−３，６，８，８−テトラメチル−２，３，４，７，８，８ａ−ヘキサヒドロ−１Ｈ−３ａ，７−メタノアズレン−５−イル）エタン−１−オン、メチル（Ｚ）−２−（（（２，４−ジメチルシクロヘキサ−３−エン−１−イル）メチレン）アミノ）ベンゾエート、４，８−ジメチル−２−（プロパン−２−イリデン）−１，２，３，３ａ，４，５，６，８ａ−オクタヒドロアズレン−６−オール、４，８−ジメチル−２−（プロパン−２−イリデン）−１，２，３，３ａ，４，５，６，８ａ−オクタヒドロアズレン−６−イルアセテート、デカヒドロ−３Ｈ−スピロ［フラン−２，５’−［４，７］メタノインデン］、（２Ｚ，６Ｅ）−ノン−２，６−ジエンニトリル、（１ａＲ，４Ｓ，４ａＳ，７Ｒ，７ａＳ，７ｂＳ）−１，１，４，７−テトラメチルデカヒドロ−１Ｈ−シクロプロパ［ｅ］アズレン−４−オール、３，５，５，６，７，８，８−ヘプタメチル−５，６，７，８−テトラヒドロナフタレン−２−カルボニトリル、（１Ｓ，２Ｓ，３Ｓ，５Ｒ）−２，６，６−トリメチルスピロ［ビシクロ［３．１．１］ヘプタン−３，１’−シクロヘキサン］−２’−エン−４’−オン、１’，１’，５’，５’−テトラメチルヘキサヒドロ−２’Ｈ，５’Ｈ−スピロ［１，３］ジオキソラン−２，８’−［２，４ａ］メタノナフタレン］、（２’Ｓ，４ａ’Ｓ，８ａ’Ｓ）−１’，１’，５’，５’−テトラメチルヘキサヒドロ−２’Ｈ，５’Ｈ−スピロ［［１，３］ジオキソラン−２，８’−［２，４ａ］メタノナフタレン］、（１Ｒ，８ａＲ）−４−イソプロピル−１，６−ジメチル−１，２，３，７，８，８ａ−ヘキサヒドロナフタレン、（７，７，８，８−テトラメチルオクタヒドロ−２，３ｂ−メタノシクロペンタ［１，３］シクロプロパ［１，２］ベンゼン−４−イル）メタノール、１−エトキシ−４−（ｔｅｒｔ−ペンチル）シクロヘキサン、（３Ｚ）−１−（２−ブテン−１−イルオキシ）−３−ヘキセン、４−（２−メトキシプロパン−２−イル）−１−メチルシクロヘキサ−１−エン、３−メトキシ−３，７−ジメチルオクタ−１，６−ジエン、３，７−ジメチルオクタナール、ヘキシル２−ヒドロキシベンゾエート、ヘキシル（Ｚ）−ブタ−２−エノアート、（Ｚ）−３，７−ジメチルオクタ−２，６−ジエン−１−イルホルメート、（Ｚ）−１−（２，６，６−トリメチルシクロヘキサ−１−エン−１−イル）ペンタ−１−エン−３−オン、（Ｅ）−３，７−ジメチルオクタ−４，６−ジエン−３−オール、メチル（Ｚ）−３，７−ジメチルオクタ−２，６−ジエノアート、（（１ｓ，４ｓ）−４−イソプロピルシクロヘキシル）メタノール、３，７−ジメチルオクタ−１，６−ジエン−３−イルプロピオナート、３，７−ジメチルオクタ−１，６−ジエン−３−イルホルメート、３，７−ジメチルオクタ−１，６−ジエン−３−イルブチラート、３，７−ジメチルオクタ−１，６−ジエン−３−イルアセテート、３，７−ジメチルオクタ−１，６−ジエン−３−オール、２，２−ジメチル−５−フェニルヘキサンニトリル、（Ｚ）−４−（６，６−ジメチルシクロヘキサ−２−エン−１−イル）−３−メチルブタ−３−エン−２−オン、７−メチルオクチルアセテート、オクタン酸イソペンチル、プロピオン酸ヘキシル、酪酸ヘキシル、ヘキシル２−メチルブタノアート、ヘキシルフラン−２−カルボキシレート、ヘプチルアセテート、（Ｚ）−３，７−ジメチルオクタ−２，６−ジエンニトリル、（Ｅ）−３，７−ジメチルオクタ−２，６−ジエン−１−イルホルメート、（Ｅ）−３，７−ジメチルオクタ−２，６−ジエン−１−イルオクタノアート、（Ｅ）−３，７−ジメチルオクタ−２，６−ジエン−１−イルベンゾエート、（Ｅ）−３，７−ジメチルオクタ−２，６−ジエナール、１−イソプロピル−４−メチルシクロヘキサ−１，４−ジエン、２−（ｓｅｃ−ブチル）シクロヘキサン−１−オン、３−（２−エチルフェニル）−２，２−ジメチルプロパナール、２−（ｔｅｒｔ−ブチル）シクロヘキシルエチルカーボネート、オクタン酸エチル、エチル２−シクロヘキシルプロパノアート、４−メチル−２−フェニルテトラヒドロ−２Ｈ−ピラン、２，６−ジメチルオクタ−７−エン−２−オール、３−メチル−２−ペンチルシクロペンタ−２−エン−１−オン、２−（４−メチルシクロヘキシル）プロパン−２−イルアセテート、４−（２，６，６−トリメチルシクロヘキサ−２−エン−１−イル）ブタン−２−オン、（オキシビス（メチレン））ジベンゼン、ジブチルフタレート、デシル２−アミノベンゾエート、メチル（１ｓ，４ｓ）−１，４−ジメチルシクロヘキサン−１−カルボキシレート、２−シクロヘキシルエチルアセテート、（３Ｚ，５Ｚ）−２，６−ジメチルオクタ−１，３，５，７−テトラエン、４−シクロヘキシル−２−メチルブタン−２−オール、２−ベンジル−２−メチルブタ−３−エンニトリル、３，７−ジメチルオクタ−６−エンニトリル、３，７−ジメチルオクタ−６−エン−１−イル２−フェニルアセテート、３，７−ジメチルオクタ−６−エン−１−イルホルメート、３，７−ジメチルオクタ−６−エン−１−イルベンゾエート、３，７−ジメチルオクタ−６−エン−１−オール、３，７−ジメチルオクタ−６−エナール、（Ｅ）−３，７−ジメチルオクタ−２，６−ジエナール、（１Ｒ，２Ｓ，５Ｒ）−２，６，６−トリメチルビシクロ［３．１．１］ヘプタン、（Ｚ）−ヘキサ−３−エン−１−イルペンタノアート、（Ｅ）−ヘキサ−３−エン−１−イル（Ｅ）−２−メチルブタ−２−エノアート、（Ｚ）−ヘキサ−３−エン−１−イルブチラート、４−クロロ−３，５−ジメチルフェノール、５−イソプロピル−２−メチルフェノール、（Ｅ）−２−メチル−４−（２，６，６−トリメチルシクロヘキサ−１−エン−１−イル）ブタ−２−エナール、３−イソプロピル−６−メチレンシクロヘキサ−１−エン、ベンジル２−ヒドロキシベンゾエート、ベンジル３−メチルブタノアート、１−（３，３−ジメチルシクロヘキシル）エチルホルメート、（Ｚ）−１−メトキシ−４−（プロパ−１−エン−１−イル）ベンゼン、ペンチルベンゾエート、２−（４−メチルシクロヘキサ−３−エン−１−イル）プロパン−２−イルアセテート、（Ｚ）−３−メチル−４−（２，６，６−トリメチルシクロヘキサ−２−エン−１−イル）ブタ−３−エン−２−オン、（２−（アリルオキシ）エチル）ベンゼン、アリルヘプタノアート、６，８−ジメチルノナン−２−オール、５−メチル−５−フェニルヘキサン−３−オン、３，７−ジメチル−２−メチレンオクタ−６−エナール、３，７−ジメチルオクタン−１−オール、２−ペンチルシクロペンタン−１−オール、（２Ｓ，４Ｓ）−２−ヘプチル−２，４−ジメチル−１，３−ジオキソラン、（Ｅ）−２−イソプロピル−５−メチルヘキサ−２−エナール、１−イソプロピル−４−メチル−７−オキサビシクロ［２．２．１］ヘプタン、（Ｚ）−１−（２，６，６−トリメチルシクロヘキサ−２−エン−１−イル）ブタ−２−エン−１−オン、（Ｒ）−３，７−ジメチルオクタ−１，６−ジエン−３−オール、３，７−ジメチルオクタ−６−エナール、（Ｒ）−３，７−ジメチルオクタ−６−エナール、３，７−ジメチルオクタ−６−エン−１−オール、３，７−ジメチルオクタ−６−エン−１−オール、（１Ｒ，５Ｒ）−２，６，６−トリメチルビシクロ［３．１．１］ヘプタ−２−エン、（１Ｓ，５Ｓ）−２，６，６−トリメチルビシクロ［３．１．１］ヘプタ−２−エン、ヘキシル（Ｚ）−２−メチルブタ−２−エノアート、ｐ−シメン、フェネチルイソブチラート、フェネチル（Ｚ）−２−メチルブタ−２−エノアート、フェネチルメタクリレート、（２Ｚ，５Ｚ）−５，６，７−トリメチルオクタ−２，５−ジエン−４−オン、１−メトキシ−４−プロピルベンゼン、２−（４−（ｔｅｒｔ−ブチル）フェニル）アセトアルデヒド、４−（ｔｅｒｔ−ペンチル）シクロヘキサン−１−オール、２，６，６−トリメチルビシクロ［３．１．１］ヘプタ−２−エン、エチル（２，３，６−トリメチルシクロヘキシル）カーボネート、１−（３，３−ジメチルシクロヘキシル）エチルアセテート、（Ｓ）−３，７−ジメチルオクタ−１，６−ジエン−３−オール、１−イソプロピル−４−メチレンビシクロ［３．１．０］ヘキサン、３，７−ジメチルオクタナール、４−（２，２，６−トリメチルシクロヘキシル）ブタン−２−オール、３，７−ジメチルオクタン−３−オール、３，７−ジメチルオクタン−３−イルアセテート、エチル（１Ｒ，６Ｓ）−２，２，６−トリメチルシクロヘキサン−１−カルボキシレート、２−イソプロピル−５−メチルフェノール、（Ｚ）−１−（２，６，６−トリメチルシクロヘキサ−２−エン−１−イル）ブタ−２−エン−１−オン、（Ｚ）−１−メ
トキシ−４−（プロパ−１−エン−１−イル）ベンゼン、２，２，２−トリクロロ−１−フェニルエチルアセテート、２，２，５−トリメチル−５−ペンチルシクロペンタン−１−オン、（４−ｔｅｒｔ−ブチルシクロヘキシル）アセテート、４−（ｔｅｒｔ−ブチル）シクロヘキシルアセテート、４−メチル−４−フェニルペンタン−２−イルアセテート、（Ｚ）−１−（（２−メチルアリル）オキシ）ヘキサ−３−エン、４，５−エポキシ−４，１１，１１−トリメチル−８−メチレンビシクロ（７．２．０）ウンデカン、１，３，４，６，７，８α−ヘキサヒドロ−１，１，５，５−テトラメチル−２Ｈ−２，４α−メタノフタレン−８（５Ｈ）−オンからなる群から選択され、より好ましくは前記１種以上の悪臭低減物質が２−エチルヘキシル（Ｚ）−３−（４−メトキシフェニル）アクリレート、２，４−ジメチル−２−（５，５，８，８−テトラメチル−５，６，７，８−テトラヒドロナフタレン−２−イル）−１，３−ジオキソラン、１，１−ジメトキシノン−２−イン、３−メトキシ−７，７−ジメチル−１０−メチレンビシクロ［４．３．１］デカン、メトキシシクロドデカン、１，１−ジメトキシシクロドデカン、（Ｚ）−トリデカ−２−エンニトリル、（２−ヒドロキシ−４−メトキシフェニル）（フェニル）メタノン、２，４ａ，５，８，ａ−テトラメチル−１，２，３，４，４ａ，７，８，８ａ−オクタヒドロナフタレン−１−イルホルメート、１，８−ジオキサシクロヘプタデカン−９−オン、４−（ｔｅｒｔ−ペンチル）シクロヘキサン−１−オン、２−メトキシ−１，１’−ビフェニル、３ａ，５，６，７，８，８ｂ−ヘキサヒドロ−２，２，６，６，７，８，８−ヘプタメチル−４Ｈ−インデノ（４，５−ｄ）−１，３−ジオキソール、７−イソプロピル−８，８−ジメチル−６，１０−ジオキサスピロ［４．５］デカン、オクチルフラン−２−カルボキシレート、オクチルアセテート、２−ヘプチル−４−メチル−１，３−ジオキソラン、オクタナール１，１−ジメトキシオクタン、７−メチル−３−メチレンオクタ−１，６−ジエン、２−メチル−６−メチレンオクタ−７−エン−２−イルアセテート、テトラデカナール、テトラデカンニトリル、２，２，６，８−テトラメチル−１，２，３，４，４ａ，５，８，８ａ−オクタヒドロナフタレン−１−オール、２−（（１Ｓ，５Ｒ）−６，６−ジメチルビシクロ［３．１．１］ヘプタ−２−エン−２−イル）エチルアセテート、（４Ｒ，４ａＳ，６Ｒ）−４，４ａ−ジメチル−６−（プロパ−１−エン−２−イル）−４，４ａ，５，６，７，８−ヘキサヒドロナフタレン−２（３Ｈ）−オン、ノナン−１−オール、ノナナール、１２−メチル−１４−テトラデカ−９−エノリド、Ｎ−エチル−２−イソプロピル−５−メチルシクロヘキサン−１−カルボキサミド、２−メトキシナフタレン、（Ｅ）−３，７，１１−トリメチルドデカ−１，６，１０−トリエン−３−オール、（Ｚ）−３，７−ジメチルオクタ−２，６−ジエン−１−オール、メチル（Ｅ）−ノン−２−エノアート、１０−イソプロピル−２，７−ジメチル−１−オキサスピロ［４．５］デカ−３，６−ジエン、２−（２−（４−メチルシクロヘキサ−３−エン−１−イル）プ��ピル）シクロペンタン−１−オン、（Ｅ）−４−（２，２，３，６−テトラメチルシクロヘキシル）ブタ−３−エン−２−オン、（４−（４−メチルペンタ−３−エン−１−イル）シクロヘキサ−３−エン−１−イル）メチルアセテート、２−（ｔｅｒｔ−ブチル）−４，５，６−トリメチル−１，３−フェニレンジニトライト、１，７−ジオキサシクロヘプタデカン−８−オン、１−（４−（ｔｅｒｔ−ブチル）−２，６−ジメチル−３，５−ジニトロフェニル）エタン−１−オン、１−（ｔｅｒｔ−ブチル）−２−メトキシ−４−メチル−３，５−ジニトロベンゼン、３−メチルシクロペンタデカン−１−オン、（Ｅ）−３−メチルシクロペンタデカ−４−エン−１−オン、１−（４−イソプロピルシクロヘキシル）エタン−１−オール、（Ｅ）−デカ−５−エン酸、メチルノン−２−イノエート、２−メチルデカナール、６，６−ジメトキシ−２，５，５−トリメチルヘキサ−２−エン、ステアリン酸メチル、１，１−ジメトキシ−２−メチルウンデカン、ウンデカン−２−オン、２−メチルウンデカナール、メチルテトラデカノアート、メチル（９Ｚ，１２Ｚ）−オクタデカ−９，１２−ジエノアート、パルミチン酸メチル、１−メチル−２−フェノキシベンゼン、１−アリル−４−メトキシベンゼン、１−（ナフタレン−２−イル）エタン−１−オン、メチルオクタ−２−イノエート、メチル２，６，６−トリメチルシクロヘキサ−２−エン−１−カルボキシレート、７−イソプロピル−１０−メチル−１，５−ジオキサスピロ［５．５］ウンデカン−３−オール、３−（３−（ｔｅｒｔ−ブチル）フェニル）−２−メチルプロパナール、（Ｅ）−４−（４，８−ジメチルノン−３，７−ジエン−１−イル）ピリジン、（Ｅ）−トリデカ−３，１２−ジエンニトリル、２，２−ジメチル−３−（ｍ−トリル）プロパン−１−オール、８−イソプロピル−６−メチルビシクロ［２．２．２］オクタ−５−エン−２−カルボアルデヒド、（Ｓ）−１−メチル−４−（プロパ−１−エン−２−イル）シクロヘキサ−１−エン、３，７−ジメチルオクタ−１，６−ジエン−３−イルオクタノアート、３，７−ジメチルオクタ−１，６−ジエン−３−イルイソブチラート、３，７−ジメチルオクタ−１，６−ジエン−３−イルベンゾエート、３，７−ジメチルオクタ−１，６−ジエン−３−イル２−アミノベンゾエート、（２Ｚ，６Ｅ）−３，７−ジメチルノン−２，６−ジエンニトリル、３−（４−メチルシクロヘキサ−３−エン−１−イル）ブタナール、（２，５−ジメチル−１，３−ジヒドロインデン−２−イル）メタノール、３−（４−（ｔｅｒｔ−ブチル）フェニル）−２−メチルプロパナール、ドデン−１−オール、ドデシルアセテート、ドデカン酸、５−ヘキシル−５−メチルジヒドロフラン−２（３Ｈ）−オン、ドデカナール、４−（１−エトキシビニル）−３，３，５，５−テトラメチルシクロヘキサン−１−オン、（（３Ｓ，３ａＲ，６Ｒ，８ａＳ）−７，７−ジメチル−８−メチレンオクタヒドロ−１Ｈ−３ａ，６−メタノアズレン−３−イル）メタノール、５−（ｓｅｃ−ブチル）−２−（２，４−ジメチルシクロヘキサ−３−エン−１−イル）−５−メチル−１，３−ジオキサン、（１−メチル−２−（��１，２，２−トリメチルビシクロ［３．１．０］ヘキサン−３−イル）メチル）シクロプロピル）メタノール、２−プロピルヘプタンニトリル、２−ヘキシルシクロペンタン−１−オン、２，６，９，１０−テトラメチル−１−オキサスピロ（４．５）デカ−３，６−ジエン、パルミチン酸イソプロピル、テトラデカン酸イソプロピル、ドデカン酸イソプロピル、（Ｅ）−シクロヘキサデカ−８−エン−１−オン、（２Ｓ，５Ｓ）−２−イソプロピル−５−メチルシクロヘキサン−１−オン、２−ヘキシルシクロペンタ−２−エン−１−オン、（２Ｓ，５Ｓ）−２−イソプロピル−５−メチルシクロヘキサン−１−オン、４−（４−メチルペンタ−３−エン−１−イル）シクロヘキサ−３−エン−１−カルボアルデヒド、（Ｚ）−１−（ベンジルオキシ）−２−メトキシ−４−（プロパ−１−エン−１−イル）ベンゼン、１−（（２Ｓ，３Ｓ）−２，３，８，８−テトラメチル−１，２，３，４，５，６，７，８−オクタヒドロナフタレン−２−イル）エタン−１−オン、６−（ｓｅｃ−ブチル）キノリン、２−（シクロヘキシルオキシ）−１，７，７−トリメチルビシクロ［２．２．１］ヘプタン、（１Ｒ，２Ｒ，４Ｓ）−１，７，７−トリメチルビシクロ［２．２．１］ヘプタン−２−イルプロピオナート、（１Ｓ，２Ｓ，４Ｓ）−１，７，７−トリメチルビシクロ［２．２．１］ヘプタン−２−イルイソブチラート、４−（（２Ｒ）−１，７，７−トリメチルビシクロ［２．２．１］ヘプタン−２−イル）シクロヘキサン−１−オール、（１Ｒ，４Ｓ）−１，７，７−トリメチルビシクロ［２．２．１］ヘプタン−２−イルアセテート、２−（４−イソプロピルシクロヘキサ−１，４−ジエン−１−イル）エチルホルメート、イソペンチル（Ｅ）−ウンデカ−６−エノアート、ドデカン酸イソペンチル、（Ｅ）−オキサシクロヘプタデカ−１０−エン−２−オン、（Ｅ）−ノン−２−エンニトリル、（Ｅ）−８−（１Ｈ−インドール−１−イル）−２，６−ジメチルオクタ−７−エン−２−オール、８，８−ジ（１Ｈ−インドール−１−イル）−２，６−ジメチルオクタン−２−オール、２−シクロドデシルプロパン−１−オール、３−メチル−５−フェニルペンタンニトリル、２，３−ジヒドロ−３，３−ジメチル−１Ｈ−インデン−５−プロパナール、３−（３，３−ジメチル−２，３−ジヒドロ−１Ｈ−インデン−５−イル）プロパナール、オクタン酸ヘキシル、ヘキサン酸ヘキシル、（Ｚ）−２−ベンジリデンオクタナール、安息香酸ヘキシル、（Ｚ）−ヘキサ−１−エン−１−イル（Ｚ）−２−メチルブタ−２−エノアート、（Ｅ）−３，７−ジメチルオクタ−２，６−ジエン−１−イルパルミテート、オキサシクロヘプタデカ−２−オン、エチル（１Ｒ，２Ｒ，３Ｒ，４Ｒ）−３−イソプロピルビシクロ［２．２．１］ヘプタ−５−エン−２−カルボキシレート、２−（１−（３，３−ジメチルシクロヘキシル）エトキシ）−２−メチルプロピルプロピオナート、（Ｅ）−オキサシクロヘキサデカ−１３−エン−２−オン、６−ブチル−２，４−ジメチル−３，６−ジヒドロ−２Ｈ−ピラン、２−（（３Ｓ，５Ｒ，８Ｓ）−３，８−ジメチル−１，２，３，４，５，６，７，８−オクタヒドロアズレン−５−イル��プロパン−２−オール、１−（２，６，６−トリメチルシクロヘキサ−２−エン−１−イル）ペンタン−３−オン、エチル２−エチル−６，６−ジメチルシクロヘキサ−２−エン−１−カルボキシラート、（１Ｚ，５Ｚ）−１，５−ジメチル−８−（プロパン−２−イリデン）シクロデカ−１，５−ジエン、（１Ｅ，６Ｅ）−８−イソプロピル−１−メチル−５−メチレンシクロデカ−１，６−ジエン、（Ｅ）−３，７−ジメチルオクタ−２，６−ジエン−１−イル２−フェニルアセテート、（Ｅ）−３，７−ジメチルオクタ−２，６−ジエン−１−イル２−フェニルアセテート、（６Ｅ，１０Ｅ）−３，７，１１，１５−テトラメチルヘキサデカ−１，６，１０，１４−テトラエン−３−オール、（Ｅ）−２−（３，７−ジメチルオクタ−２，６−ジエン−１−イル）シクロペンタン−１−オン、５−ヘプチルジヒドロフラン−２（３Ｈ）−オン、１−メチル−４−（プロパン−２−イリデン）シクロヘキシルアセテート、１−メチル−４−（プロパン−２−イリデン）シクロヘキサン−１−オール、（１Ｒ，４ａＲ，８ａＳ）−１−イソプロピル−７−メチル−４−メチレン−１，２，３，４，４ａ，５，６，８ａ−オクタヒドロナフタレン、（Ｚ）−４−（２，２−ジメチル−６−メチレンシクロヘキシル）ブタ−３−エン−２−オン、（４ａＳ，９ａＲ）−３，５，５，９−テトラメチル−２，４ａ，５，６，７，９ａ−ヘキサヒドロ−１Ｈ−ベンゾ［７］アヌレン、（１Ｒ，３ａＲ，４Ｒ，７Ｒ）−１，４−ジメチル−７−（プロパ−１−エン−２−イル）−１，２，３，３ａ，４，５，６，７−オクタヒドロアズレン、２−（（２Ｒ，４ａＲ）−４ａ，８−ジメチル−１，２，３，４，４ａ，５，６，７−オクタヒドロナフタレン−２−イル）プロパン−２−オール、５−オクチルジヒドロフラン−２（３Ｈ）−オン、（Ｚ）−１−（２，２−ジメチル−６−メチレンシクロヘキシル）ブタ−２−エン−１−オン、（１Ｒ，４ａＳ，８ａＳ）−１−イソプロピル−７−メチル−４−メチレン−１，２，３，４，４ａ，５，６，８ａ−オクタヒドロナフタレン、１−（３，３−ジメチルシクロヘキシル）ペンタ−４−エン−１−オン、４，６，６，７，８，８−ヘキサメチル−１，３，４，６，７，８−ヘキサヒドロシクロペンタ［ｇ］イソクロメン、フラン−２−イルメチルオクタノアート、フラン−２−イルメチルヘキサノアート、フラン−２−イルメチルヘプタ
ノアート、２−メチルデカンニトリル、８，８−ジメチル−３ａ，４，５，６，７，７ａ−ヘキサヒドロ−１Ｈ−４，７−メタノインデン−６−イルプロピオナート、エチル（３ａＲ，４Ｓ，７Ｒ，７ａＲ）−オクタヒドロ−３ａＨ−４，７−メタノインデン−３ａ−カルボキシレート、（６−イソプロピル−９−メチル−１，４−ジオキサスピロ［４．５］デカン−２−イル）メタノール、ウンデカ−１０−エンニトリル、３−（２−エチルフェニル）−２，２−ジメチルプロパナール、（Ｅ）−４，８−ジメチルデカ−４，９−ジエナール、（Ｅ）−４−（（３ａＲ，４Ｒ，７Ｒ，７ａＲ）−１，３ａ，４，６，７，７ａ−ヘキサヒドロ−５Ｈ−４，７−メタノインデン−５−イリデン）−３−メチルブタン−２−オール、８，８−ジメチル−３ａ，４，５，６，７，７ａ−ヘキサヒドロ−１Ｈ−４，７−メタノインデン−６−イルアセテート、３−（４−エチルフェニル）−２，２−ジメチルプロパンニトリル、２−ヘプチルシクロペンタン−１−オン、１−エトキシエトキシシクロドデカン、３−シクロヘキセン−１−カルボン酸，２，６，６−トリメチル−，メチルエステル、（２Ｅ，６Ｅ）−３，７，１１−トリメチルドデカ−２，６，１０−トリエン−１−イルアセテート、（２Ｅ，６Ｅ）−３，７，１１−トリメチルドデカ−２，６，１０−トリエン−１−オール、オキサシクロヘキサデカン−２−オン、（Ｅ）−シクロペンタデカ−４−エン−１−オン、１−シクロペンタデカ−４−エン−１−オン、１，４−ジオキサシクロヘプタデカン−５，１７−ジオン、エチルウンデカ−１０−エノアート、パルミチン酸エチル、エチルノナノアート、エチルテトラデカノアート、（Ｅ）−３，７−ジメチルノン−１，６−ジエン−３−オール、ドデカン酸エチル、デカン酸エチル、エチル６，６−ジメチル−２−メチレンシクロヘキサ−３−エン−１−カルボキシレート、６−エチル−２，１０，１０−トリメチル−１−オキサスピロ［４．５］デカ−３，６−ジエン、２−（（１Ｒ，３Ｓ，４Ｓ）−４−メチル−３−（プロパ−１−エン−２−イル）−４−ビニルシクロヘキシル）プロパン−２−オール、（Ｅ）−３−メチル−５−（２，２，３−トリメチルシクロペンタ−３−エン−１−イル）ペンタ−４−エン−２−オール、（Ｅ）−４−（（３ａＳ，７ａＳ）−オクタヒドロ−５Ｈ−４，７−メタノインデン−５−イリデン）ブタナール、１，１−ジメトキシドデカン、（Ｒ）−１−メチル−４−（プロパ−１−エン−２−イル）シクロヘキサ−１−エン、７，９−ジメチルスピロ［５．５］ウンデカン−３−オン、オキシジベンゼン、ジフェニルメタン、２−メチル−１−フェニルプロパン−２−イルブチラート、オクタヒドロ−１Ｈ−４，７−メタノインデン−５−イルアセテート、２−メチル−５−（プロパ−１−エン−２−イル）シクロヘキシルアセテート、３，７−ジメチルオクタ−６−エン−３−オール、ジブチルスルファン、１，２−ジフェニルエタン、６−ヘキシルテトラヒドロ−２Ｈ−ピラン−２−オン、（３Ｒ，４Ｒ）−１−イソプロピル−４−メチル−３−（プロパ−１−エン−２−イル）−４−ビニルシクロヘキサ−１−エン、（３Ｓ，３ａＳ，５Ｒ）−３，８−ジメチル−５−（プロパ−１−エン−２−イル）−１，２，３，３ａ，４，５，６，７−オクタヒドロアズレン、６−ヘプチルテトラヒドロ−２Ｈ−ピラン−２−オン、（１Ｓ，８ａＲ）−４，７−ジメチル−１−（プロパン−２−イル）−１，２，３，５，６，８ａ−ヘキサヒドロナフタレン、（Ｚ）−１−（（１Ｒ，２Ｓ）−２，６，６−トリメチルシクロヘキサ−３−エン−１−イル）ブタ−２−エン−１−オン、（１Ｓ，８ａＳ）−１−イソプロピル−４，７−ジメチル−１，２，３，５，６，８ａ−ヘキサヒドロナフタレン、３，７，７−トリメチルビシクロ［４．１．０］ヘプタ−３−エン、デカ−９−エン−１−オール、プロピオン酸デシル、１，１−ジエトキシデカン、１−シクロヘキシルエチル（Ｅ）−ブタ−２−エノアート、３−（４−イソプロピルフェニル）−２−メチルプロパナール、シクロテトラデカン、シクロペンタデカノン、シクロヘキシル２−ヒドロキシベンゾエート、３ａ，４，５，６，７，７ａ−ヘキサヒドロ−１Ｈ−４，７−メタノインデン−６−イルブチラート、８，８−ジメチル−１，２，３，４，５，６，７，８−オクタヒドロナフタレン−２−カルボアルデヒド、３ａ，４，５，６，７，７ａ−ヘキサヒドロ−１Ｈ−４，７−メタノインデン−５−イルイソブチラート、（５Ｒ，６Ｒ）−３，６−ジメチル−５−（プロパ−１−エン−２−イル）−６−ビニル−４，５，６，７−テトラヒドロベンゾフラン、２−（３−フェニルプロピル）ピリジン、ドデカンニトリル、（Ｅ）−シクロヘプタデカ−９−エン−１−オン、３−（４−メチルシクロヘキサ−３−エン−１−イル）ブタ−３−エン−１−イルアセテート、３−（４−メチルシクロヘキサ−３−エン−１−イル）ブタン−１−オール、（Ｅ）−３−メチル−５−フェニルペンタ−２−エンニトリル、（Ｅ）−２−（２，６−ジメチルヘプタ−１，５−ジエン−１−イル）−４−メチル−１，３−ジオキソラン、（Ｅ）−１，１−ジメトキシ−３，７−ジメチルオクタ−２，６−ジエン、（Ｅ）−１，１−ジエトキシ−３，７−ジメチルオクタ−２，６−ジエン、（Ｅ）−３，７−ジメチルオクタ−１，３，６−トリエン、（Ｅ）−オキサシクロヘプタデカ−１１−エン−２−オン、（Ｚ）−デカ−４−エナール、（Ｅ）−ヘキサ−３−エン−１−イル（Ｅ）−ヘキサ−３−エノアート、（Ｚ）−ヘキサ−３−エン−１−イル２−ヒドロキシベンゾエート、（Ｚ）−ヘキサ−３−エン−１−イルベンゾエート、（Ｚ）−ヘキサ−３−エン−１−イル２−メチルブタノアート、プロピオン酸シンナミル、イソ酪酸シンナミニル、桂皮酸シンナミル、ヘキサデカン−１−オール、（Ｅ）−１−（２，６，６−トリメチルシクロヘキサ−２−エン−１−イル）ヘプタ−１，６−ジエン−３−オン、２−メチル−４−（２，６，６−トリメチルシクロヘキサ−１−エン−１−イル）ブタナール、（３ａＲ，５ａＲ，９ａＲ，９ｂＲ）−３ａ，６，６，９ａ−テトラメチルドデカヒドロナフト［２，１−ｂ］フラン、１，６−ジオキサシクロヘプタデカン−７−オン、１−（６−（ｔｅｒｔ−ブチル）−１，１−ジメチル−２，３−ジヒドロ−１Ｈ−インデン−４−イル）エタン−１−オン、（３Ｒ，３ａＲ，６Ｓ，７Ｓ，８ａＳ）−６−メトキシ−３，６，８，８−テトラメチルオクタヒドロ−１Ｈ−３ａ，７−メタノアズレン、（３Ｒ，３ａＳ，６Ｒ，７Ｒ，８ａＳ）−３，６，８，８−テトラメチルオクタヒドロ−１Ｈ−３ａ，７−メタノアズレン−３−イルホルメート、（３Ｒ，３ａＳ，６Ｒ，７Ｒ，８ａＳ）−３，６，８，８−テトラメチルオクタヒドロ−１Ｈ−３ａ，７−メタノアズレン−６−イルアセテート、（４Ｚ，８Ｚ）−１，５，９−トリメチル−１３−オキサビシクロ［１０．１．０］トリデカ−４，８−ジエン、（３Ｒ，３ａＳ，６Ｒ，７Ｒ，８ａＳ）−３，６，８，８−テトラメチルオクタヒドロ−１Ｈ−３ａ，７−メタノアズレン−６−オール、５−メチル−１−（２，２，３−トリメチルシクロペンタ−３−エン−１−イル）−６−オキサビシクロ［３．２．１］オクタン、５−メチル−１−（２，２，３−トリメチルシクロペンタ−３−エン−１−イル）−６−オキサビシクロ［３．２．１］オクタン、１，１，２，３，３−ペンタメチル−１，２，３，５，６，７−ヘキサヒドロ−４Ｈ−インデン−４−オン、（Ｚ）−４，１１，１１−トリメチル−８−メチレンビシクロ［７．２．０］ウンデカ−３−エン−５−イルアセテート、（１Ｓ，２Ｓ，５Ｒ，８Ｓ）−４，４，８−トリメチルトリシクロ［６．３．１．０２，５］ドデカン−１−オール、２−メチル−５−（プロパ−１−エン−２−イル）シクロヘキサ−２−エン−１−イルアセテート、オクタンニトリル、デカン酸、デカナール、２，２−ジメチル−３−メチレンビシクロ［２．２．１］ヘプタン、エチル２−メチル−４−オキソ−６−ペンチルシクロヘキサ−２−エン−１−カルボキシレート、２，６−ジ−ｔｅｒｔ−ブチル−４−メチルフェノール、ステアリン酸ブチル、ブチルウンデカ−１０−エノアート、２−メチル−４−（２，２，３−トリメチルシクロペンタ−３−エン−１−イル）ブタン−１−オール、３−（４−（ｔｅｒｔ−ブチル）フェニル）プロパナール、（１Ｓ，２Ｓ）−１，７，７−トリメチルビシクロ［２．２．１］ヘプタン−２−イルイソブチラート、１，７，７−トリメチルビシクロ［２．２．１］ヘプタン−２−イルアセテート、２−エトキシ−２，６，６−トリメチル−９−メチレンビシクロ［３．３．１］ノナン、（エトキシメトキシ）シクロドデカン、（Ｅ）−１−メチル−４−（６−メチルヘプタ−５−エン−２−イリデン）シクロヘキサ−１−エン、３，３，６，７−テトラメチルオクタヒドロ−２Ｈ−クロメン、（５Ｒ，１０Ｒ）−６，１０−ジメチル−２−（プロパン−２−イリデン）スピロ［４．５］デカ−６−エン−８−オン、１−メチル−４−（プロパ−１−エン−２−イル）シクロヘキシルアセテート、（２Ｚ，６Ｅ）−２，６−ジメチル−１０−メチレンドデカ−２，６，１１−トリエナール、（Ｒ）−３−メチレン−６−（（Ｓ）−６−メチルヘプタ−５−エン−２−イル）シクロヘキサ−１−エン、（４ａＲ，７Ｒ，８ａＳ）−４ａ−メチル−１−メチレン−７−（プロパ−１−エン−２−イル）デカヒドロナフタレン、（Ｚ）−２−メチル−５−（（１Ｓ，２Ｒ，４Ｒ）−２−メチル−３−メチレンビシクロ［２．２．１］ヘプタン−２−イル）ペンタ−２−エン−１−オール、６，６−ジメチル−２−メチレンビシクロ［３．１．１］ヘプタン、２−エトキシナフタレン、（１Ｓ，４Ｒ，７Ｒ）−１，４，９，９−テトラメチル−１，２，３，４，５，６，７，８−オクタヒドロ−４，７−メタノアズレン、（１ａＳ，５ａＲ，９ａＲ）−１ａ，５，５，７−テトラメチル−１ａ，２，３，４，５，５ａ，８，９−オクタヒドロベンゾ［１，７］シクロヘプタ［１，２−ｂ］オキシレン、（Ｒ）−３，５，５，９−テトラメチル−２，４ａ，５，６，７，８−ヘキサヒドロ−１Ｈ−ベンゾ［７］アヌレン、（１Ｓ，４Ｓ）−１，４−ジメチル−７−（プロパン−２−イリデン）−１，２，３，４，５，６，７，８−オクタヒドロアズレン、（Ｅ）−７，１１−ジメチル−３−メチレンドデカ−１，６，１０−トリエン、（１Ｒ，２Ｓ，６Ｓ，７Ｓ，８Ｓ）−８−イソプロピル−１−メチル−３−メチレントリシクロ［４．４．０．０２，７］デカン、（３Ｒ，３ａＳ，７Ｓ，８ａＳ）−３，８，８−トリメチル−６−メチレンオクタヒドロ−１Ｈ−３ａ，７−メタノアズレン、（１Ｒ，９Ｓ，Ｚ）−４，１１，１１−トリメチル−８−メチレンビシクロ［７．２．０］ウンデカ−４−エン、（Ｓ）−４−メチル−１−（（Ｓ）−６−メチルヘプタ−５−エン−２−イル）シクロヘキサ−３−エン−１−オール、ドデカン酸ベンジル、桂皮酸ベンジル、安息香酸ベンジル、２’−イソプロピル−１，７，７−トリメチルスピロ［ビシクロ［２．２．１］ヘプタン−２，４’−［１，３］ジオキサン］、４−（４−メチルペンタ−３−エン−１−イル）シクロヘキサ−３−エン−１−カルボニトリル、メチル（Ｅ）−２−（（７−ヒドロキシ−３，７−ジメチルオクチリデン）アミノ）ベンゾエート、４−メトキシベンジル２−フェニルアセテート、ペンチル（Ｚ）−３−フェニルアクリレート、（３ａＲ，５ａＳ，９ａＳ，９ｂＲ）−３ａ，６，６，９ａ−テトラメチルドデカヒドロナフト［２，１−ｂ］フラン、（４ａＲ，５Ｒ，７ａＳ，９Ｒ）−２，２，５，８，８，９ａ−ヘキサメチルオクタヒドロ−４Ｈ−４ａ，９−メタノアズレノ［５，６−ｄ］［１，３］ジオキソール、２，５，５−トリメチル−１，２，３，４，５，６，７，８−オクタヒドロナフタレン−２−オール、２，５，５−トリメチル−１，２，３，４，４ａ，５，６，７−オクタヒドロナフタレン−２−オール、１−（（２−（ｔｅｒｔ−ブチル）シクロヘキシル）オキシ）ブタン−２−オール、（３Ｓ，５ａＲ，７ａＳ，
１１ａＳ，１１ｂＲ）−３，８，８，１１ａ−テトラメチルドデカヒドロ−５Ｈ−３，５ａ−エポキシナフト［２，１−ｃ］オキセピン、２，２，６，６，７，８，８−ヘプタメチルデカヒドロ−２Ｈ−インデノ［４，５−ｂ］フラン、２，２，７，７，８，９，９−ヘプタメチルデカヒドロインデノ［４，３ａ−ｂ］フラン、２−（ｓｅｃ−ブチル）−１−ビニルシクロヘキシルアセテート、（４Ｒ，４ａＳ）−４，４ａ−ジメチル−６−（プロパン−２−イリデン）−４，４ａ，５，６，７，８−ヘキサヒドロナフタレン−２（３Ｈ）−オン、２−（４−メチルシクロヘキサ−３−エン−１−イル）プロパン−２−イルプロピオナート、（２Ｚ，６Ｅ，９Ｅ）−２，６，１０−トリメチルドデカ−２，６，９，１１−テトラエナール、（２Ｒ，４ａＲ，８ａＲ）−４ａ，８−ジメチル−２−（プロパ−１−エン−２−イル）−１，２，３，４，４ａ，５，６，８ａ−オクタヒドロナフタレン、１，７−ジメチル−７−（４−メチルペンタ−３−エン−１−イル）トリシクロ［２．２．１．０２，６］ヘプタン、（Ｅ）−５−（２，３−ジメチルトリシクロ［２．２．１．０２，６］ヘプタン−３−イル）−２−メチルペンタ−２−エン−１−オール、（１Ｒ，３ａＳ，７Ｓ，８ａＲ）−１，４，９，９−テトラメチル−２，３，６，７，８，８ａ−ヘキサヒドロ−１Ｈ−３ａ，７−メタノアズレン、１−（５，５−ジメチルシクロヘキサ−１−エン−１−イル）ペンタ−４−エン−１−オン、（１Ｓ，４ａＳ，８ａＲ）−１−イソプロピル−４，７−ジメチル−１，２，４ａ，５，６，８ａ−ヘキサヒドロナフタレン、（Ｒ，Ｚ）−１−（２，６，６−トリメチルシクロヘキサ−２−エン−１−イル）ペンタ−１−エン−３−オン、１−メチル−４−（プロパ−１−エン−２−イル）シクロヘキサ−１−エン、（Ｚ）−４−（２，５，６，６−テトラメチルシクロヘキサ−２−エン−１−イル）ブタ−３−エン−２−オン、（１Ｚ，４Ｅ，８Ｚ）−２，６，６，９−テトラメチルシクロウンデカ−１，４，８−トリエン、（４ａＲ，８Ｓ，９ａＳ）−３，５，５，８−テトラメチル−９−メチレン−２，４ａ，５，６，７，８，９，９ａ−オクタヒドロ−１Ｈ−ベンゾ［７］アヌレン、（１ａＲ，４Ｒ，４ａＲ，７ｂＳ）−１，１，４，７−テトラメチル−１ａ，２，３，４，４ａ，５，６，７ｂ−オクタヒドロ−１Ｈ−シクロプロパ［ｅ］アズレン、１，４−ジメチル−７−（プロパ−１−エン−２−イル）−１，２，３，４，５，６，７，８−オクタヒドロアズレン、（３Ｅ，６Ｅ）−３，７，１１−トリメチルドデカ−１，３，６，１０−テトラエン、７，７−ジメチル−２−メチレンビシクロ［２．２．１］ヘプタン、２−（（２Ｒ，４ａＲ，８ａＲ）−４ａ，８−ジメチル−１，２，３，４，４ａ，５，６，８ａ−オクタヒドロナフタレン−２−イル）プロパン−２−オール、（Ｒ）−１−メチル−４−（６−メチルヘプタ−５−エン−２−イル）ベンゼン、（３ａＲ，３ｂＲ，４Ｓ，７Ｒ，７ａＳ）−４−イソプロピル−７−メチル−３ａ，３ｂ，４，５，６，７−ヘキサヒドロ−１Ｈ−シクロペンタ［１，３］シクロプロパ［１，２］ベンゼン、（１ａＳ，２ａＲ，３Ｒ，５ａＳ，７Ｒ，７ａＲ）−３，６，６，７ａ−テトラメチルオクタヒドロ−２Ｈ−２ａ，７−メタノアズレノ［５，６−ｂ］オキシレン、（１Ｒ，４Ｓ，４ａＲ，８ａＲ）−４−イソプロピル−１，６−ジメチル−１，２，３，４，４ａ，７，８，８ａ−オクタヒドロナフタレン−１−オール、（１Ｓ，４ａＲ，８ａＲ）−１−イソプロピル−４，７−ジメチル−１，２，４ａ，５，６，８ａ−ヘキサヒドロナフタレン、（Ｒ）−２−（（Ｒ）−４−メチルシクロヘキサ−３−エン−１−イル）ヘキサ−５−エン−２−オール、（Ｚ）−１−メチル−４−（６−メチルヘプタ−２，５−ジエン−２−イル）シクロヘキサ−１−エン、２，６−ジメチル−６−（４−メチルペンタ−３−エン−１−イル）ビシクロ［３．１．１］ヘプタ−２−エン、（Ｅ）−２−ベンジリデンヘプタン−１−オール、（Ｅ）−２−ベンジリデンヘプチルアセテート、（Ｚ）−（２−（ジエトキシメチル）ヘプタ−１−エン−１−イル）ベンゼン、（Ｅ）−２−ベンジリデンヘプタナール、（１Ｓ，４ａＲ，８ａＳ）−１−イソプロピル−４，７−ジメチル−１，２，４ａ，５，６，８ａ−ヘキサヒドロナフタレン、（３Ｒ，５ａＳ，９ａＲ）−２，２，５ａ，９−テトラメチル−３，４，５，５ａ，６，７−ヘキサヒドロ−２Ｈ−３，９ａ−メタノベンゾ［ｂ］オキセピン、１−メチル−４−（４−メチルペンタ−３−エン−１−イル）シクロヘキサ−３−エン−１−カルボアルデヒド、３−メチル−１−フェニルペンタン−３−オール、２，６，１０−トリメチルウンデカナール、アリル３−シクロヘキシルプロパノアート、（１ａＲ，４ａＳ，７Ｒ，７ａＲ，７ｂＳ）−１，１，７−トリメチル−４−メチレンデカヒドロ−１Ｈ−シクロプロパ［ｅ］アズレン、（Ｅ）−ウンデカ−９−エナール、メチル（Ｅ）−２−（（（３，５−ジメチルシクロヘキサ−３−エン−１−イル）メチレン）アミノ）ベンゾエート、２，６，１０−トリメチルウンデカ−９−エナール、（７，７，８，８−テトラメチルオクタヒドロ−２，３ｂ−メタノシクロペンタ［１，３］シクロプロパ［１，２］ベンゼン−４−イル）メチルアセテート、ノニルアセテート、（２−（１−プロポキシエトキシ）エチル）ベンゼン、（Ｚ）−２−（４−メチルベンジリデン）ヘプタナール、デカ−９−エナール、（Ｚ）−オキサシクロヘプタデカ−８−エン−２−オン、（２Ｓ，４ａＲ，８ａＲ）−４ａ，８−ジメチル−２−（プロパ−１−エン−２−イル）−１，２，３，４，４ａ，５，６，８ａ−オクタヒドロナフタレン、２−（（２Ｓ，４ａＲ，８ａＲ）−４ａ，８−ジメチル−１，２，３，４，４ａ，５，６，８ａ−オクタヒドロナフタレン−２−イル）プロパン−２−オール、１−（３，５，５，６，８，８−ヘキサメチル−５，６，７，８−テトラヒドロナフタレン−２−イル）エタン−１−オン、６−イソプロピルキノリン、３−（６，６−ジメチルビシクロ［３．１．１］ヘプタ−２−エン−２−イル）プロパナール、６，１０，１４−トリメチルペンタデカン−２−オン、（Ｅ）−シクロヘキサデカ−５−エン−１−オン、１−イソプロピル−４−メチルシクロヘキサ−３−エン−１−オール、１−イソプロピル−４−メチルシクロヘキサ−３−エン−１−オール、３，６−ジメチル−４，５，６，７−テトラヒドロベンゾフラン、（１ａＲ，２Ｓ，４ａＳ）−２，４ａ，８，８−テトラメチルオクタヒドロシクロプロパ［ｄ］ナフタレン−３（１Ｈ）−オン、（Ｚ）−ドデカ−２−エナール、（Ｅ）−ヘキサ−３−エン−１−イル３−メチルブタノアート、３，６−ジメチルオクタン−３−イルアセテート、３−（４−イソプロピルフェニル）プロパナール、（Ｚ）−ウンデカ−２−エンニトリル、（Ｅ）−ウンデカ−２−エナール、フェネチルブチラート、（Ｚ）−ノン−２−エナール、ノナン−２−オール、ノナン−２−オン、２−イソブチルキノリン、（Ｅ）−２−ヘキシリデンシクロペンタン−１−オン、２−ヘプチルテトラヒドロフラン、（Ｅ）−デカ−２−エナール、２，６−ジメチルオクタナール、デカン−１−オール、（Ｅ）−ヘプタ−１−エン−１−イルアセテート、ウンデカ−１０−エン−１−オール、ウンデカ−１０−エナール、２−（（２Ｒ，４ａＳ）−４ａ，８−ジメチル−１，２，３，４，４ａ，５，６，７−オクタヒドロナフタレン−２−イル）プロパン−２−オール、１−イソプロピル−４−メチル−７−チアビシクロ［２．２．１］ヘプタン、（３Ｅ，５Ｚ）−ウンデカ−１，３，５−トリエン、３，７−ジメチルオクタ−６−エン−３−オール、１，３，３−トリメチルビシクロ［２．２．１］ヘプタン−２−イルアセテート、１，１，２，３，３−ペンタメチル−２，３−ジヒドロ−１Ｈ−インデン、（Ｚ）−６，１０−ジメチルウンデカ−５，９−ジエン−２−イルアセテート、（Ｚ）−ドデカ−３−エナール、（Ｓ）−５−ヘプチルジヒドロフラン−２（３Ｈ）−オン、（Ｒ）−５−ヘプチルジヒドロフラン−２（３Ｈ）−オン、（Ｅ）−６，１０−ジメチルウンデカ−５，９−ジエン−２−イルアセテート、（Ｚ）−３−メチル−５−フェニルペンタ−２−エンニトリル、（２Ｓ，５Ｓ，６Ｓ）−２，６，１０，１０−テトラメチル−１−オキサスピロ［４．５］デカン−６−オール、（２Ｅ）−３−メチル−５−フェニル−２−ペンテンニトリル、（２Ｓ，５Ｒ）−２−イソプロピル−５−メチルシクロヘキサン−１−オン、（Ｒ，Ｅ）−２−メチル−４−（２，２，３−トリメチルシクロペンタ−３−エン−１−イル）ブタ−２−エン−１−オール、２−（８−イソプロピル−６−メチルビシクロ［２．２．２］オクタ−５−エン−２−イル）−１，３−ジオキソラン、（Ｅ）−４−（２，２−ジメチル−６−メチレンシクロヘキシル）−３−メチルブタ−３−エン−２−オン、３−（３−イソプロピルフェニル）ブタナール、３−（１−エトキシエトキシ）−３，７−ジメチルオクタ−１，６−ジエン、３ａ，４，５，６，７，７ａ−ヘキサヒドロ−１Ｈ−４，７−メタノインデン−６−イルプロピオナート、２−（（３Ｓ，３ａＳ，５Ｒ）−３，８−ジメチル−１，２，３，３ａ，４，５，６，７−オクタヒドロアズレン−５−イル）プロパン−２−オール、ベンジル２−フェニルアセテート、３−（６，６−ジメチルビシクロ［３．１．１］ヘプタ−２−エン−２−イル）−２，２−ジメチルプロパナール、２−メチル−５−（６−メチルヘプタ−５−エン−２−イル）ビシクロ［３．１．０］ヘキサ−２−エン、１−（１，１，２，３，３，６−ヘキサメチル−２，３−ジヒドロ−１Ｈ−インデン−５−イル）エタン−１−オン、（Ｅ）−トリデカ−２−エナール、（１Ｒ，４Ｓ，４ａＳ，６Ｒ，８ａＳ）−４，８ａ，９，９−テトラメチルオクタヒドロ−１，６−メタノナフタレン−１（２Ｈ）−オール、ｐ−トリルヘキサノアート、５−ヘキシル−４−メチルジヒドロフラン−２（３Ｈ）−オン、エチル（２Ｚ，４Ｅ）−デカ−２，４−ジエノアート、２，４−ジメチル−６−フェニル−３，６−ジヒドロ−２Ｈ−ピラン、２−シクロヘキシリデン−２−フェニルアセトニトリル、（４−（プロパ−１−エン−２−イル）シクロヘキサ−１−エン−１−イル）メチルアセテート、（４−（プロパ−１−エン−２−イル）シクロヘキサ−１−エン−１−イル）メタノール、（２−イソプロポキシエチル）ベンゼン、２−シクロヘキシルヘプタ−１，６−ジエン−３−オン、（２−（シクロヘキシルオキシ）エチル）ベンゼン、フェネチル２−メチルブタノアート、フェネチル２−フェニルアセテート、フェニルベンゾエート、フェネチルベンゾエート、２−（６，６−ジメチルビシクロ［３．１．１］ヘプタ−２−エン−２−イル）アセトアルデヒド、３ａ，４，５，６，７，７ａ−ヘキサヒドロ−１Ｈ−４，７−メタノインデン−６−イルピバラート、（Ｅ）−３，３−ジメチル−５−（２，２，３−トリメチルシクロペンタ−３−エン−１−イル）ペンタ−４−エン−２−オール、１−メチル−４−（４−メチルペンタ−３−エン−１−イル）シクロヘキサ−３−エン−１−カルボアルデヒド、ｐ−トリル２−フェニルアセテート、エチル２，４，７−デカトリエノアート、２−ベンジル−４，４，６−トリメチル−１，３−ジオキサン、２，４−ジメチル−４−フェニルテトラヒドロフラン、（２Ｒ，４ａ’Ｒ，８ａ’Ｒ）−３，７’−ジメチル−３’，４’，４ａ’，５’，８’，８ａ’−ヘキサヒドロ−１’Ｈ−スピロ［オキシラン−２，２’−［１，４］メタノナフタレン］、（Ｚ）−６−エチリデンオクタヒドロ−２Ｈ−５，８−メタノクロメン、２−（（Ｓ）−１−（（Ｓ）−３，３−ジメチルシクロヘキシル）エトキシ）−２−オキソエチルプロピオナート、メチル２，２−ジメチル−６−メチレンシクロヘキサン−１−カルボキシレート、４−メチル−２−フェニル−３，６−ジヒドロ−２Ｈ−ピラン、２，２，７，９−テトラメチルスピロ（５．５）ウンデカ−８−エン−１−オン、３−メチル−５−（２，２，３−トリメチ
ルシクロペンタ−３−エン−１−イル）ペンタン−２−オール、（Ｚ）−２−エチル−４−（２，２，３−トリメチルシクロペンタ−３−エン−１−イル）ブタ−２−エン−１−オール、（Ｅ）−２−メチル−４−（２，２，３−トリメチルシクロペンタ−３−エン−１−イル）ブタ−２−エン−１−オール、１−（３−ヒドロキシ−３−メチルペンタ−４−エン−１−イル）−２，５，５，８ａ−テトラメチルデカヒドロナフタレン−２−オール、（４ａＲ，６ａＳ，１０ａＳ，１０ｂＲ）−３，４ａ，７，７，１０ａ−ペンタメチル−４ａ，５，６，６ａ，７，８，９，１０，１０ａ，１０ｂ−デカヒドロ−１Ｈ−ベンゾ［ｆ］クロメン、（４ａＲ，８ａＲ）−４ａ，８−ジメチル−２−（プロパン−２−イリデン）−１，２，３，４，４ａ，５，６，８ａ−オクタヒドロナフタレン、２−（１−（３，３−ジメチルシクロヘキシル）エトキシ）−２−メチルプロピルシクロプロパンカルボキシレート、３−（４−イソブチルフェニル）−２−メチルプロパナール、（１ａＲ，４ａＲ，７Ｓ，７ａＲ，７ｂＲ）−１，１，７−トリメチル−４−メチレンデカヒドロ−１Ｈ−シクロプロパ［ｅ］アズレン−７−オール、１−（スピロ［４．５］デカ−７−エン−７−イル）ペンタ−４−エン−１−オン、（Ｚ）−ドデカ−４−エナール、（１Ｓ，４Ｓ，４ａＲ，８ａＲ）−４−イソプロピル−１，６−ジメチル−１，２，３，４，４ａ，７，８，８ａ−オクタヒドロナフタレン−１−オール、（１Ｓ，４Ｓ，４ａＲ，８ａＳ）−４−イソプロピル−１，６−ジメチル−１，２，３，４，４ａ，７，８，８ａ−オクタヒドロナフタレン−１−オール、３−メチル−２−ペンチルシクロペンタン−１−オン、２，６，１０，１０−テトラメチル−１−オキサスピロ［４．５］デカ−６−エン、（１ａＲ，４ａＳ）−２，４ａ，８，８−テトラメチル−１，１ａ，４，４ａ，５，６，７，８−オクタヒドロシクロプロパ［ｄ］ナフタレン、１−イソプロピル−２−メトキシ−４−メチルベンゼン、１−（２，２，６−トリメチルシクロヘキシル）ヘキサン−３−オール、（２Ｅ，６Ｅ）−３，７，１１−トリメチルドデカ−２，６，１０−トリエン−１−オール、（Ｚ）−デカ−２−エナール、（Ｅ）−ノン−２−エナール、（Ｅ）−デカ−４−エナール、（Ｚ）−オキサシクロヘプタデカ−８−エン−２−オン、（Ｚ）−３，７−ジメチルオクタ−１，３，６−トリエン、（Ｚ）−３，７−ジメチルオクタ−１，３，６−トリエン、（Ｅ）−３，７−ジメチルオクタ−２，６−ジエン−１−オール、（１Ｒ−（１α，３α，４ａα））−２，３，４，４ａ，５，６−ヘキサヒドロ−２，２−ジメチル−１，３−メタノナフタレン−７（１Ｈ）−オン、トリデカン−１−オール、メチル２−（（１−ヒドロキシ−３−フェニルブチル）アミノ）ベンゾエート、１−（（２Ｅ，５Ｚ，９Ｚ）−２，６，１０−トリメチルシクロドデカ−２，５，９−トリエン−１−イル）エタン−１−オン、デカヒドロ−２，６，６，７，８，８−ヘキサメチル−２ｈ−インデノ（４，５−ｂ）フラン、ペンタメチルオクタヒドロインデノジオキサン、ウンデカナール、（Ｅ）−４−メチルデカ−３−エン−５−オール、（３Ｒ，４ａＳ，５Ｒ）−４ａ，５−ジメチル−３−（プロパ−１−エン−２−イル）−１，２，３，４，４ａ，５，６，７−オクタヒドロナフタレン、２−（（２Ｒ，８Ｒ，８ａＳ）−８，８ａ−ジメチル−１，２，３，４，６，７，８，８ａ−オクタヒドロナフタレン−２−イル）プロパン−２−オール、（Ｚ）−２−メチル−４−（２，６，６−トリメチルシクロヘキサ−２−エン−１−イル）ブタ−２−エナール、１−メトキシ−３ａ，４，５，６，７，７ａ−ヘキサヒドロ−１Ｈ−４，７−メタノインデン、メチル（Ｚ）−２−（（３−（４−（ｔｅｒｔ−ブチル）フェニル）−２−メチルプロピリデン）アミノ）ベンゾエート、２，４，６−トリメチル−４−フェニル−１，３−ジオキサン、１−（（３Ｒ，３ａＲ，７Ｒ，８ａＳ）−３，６，８，８−テトラメチル−２，３，４，７，８，８ａ−ヘキサヒドロ−１Ｈ−３ａ，７−メタノアズレン−５−イル）エタン−１−オン、メチル（Ｚ）−２−（（（２，４−ジメチルシクロヘキサ−３−エン−１−イル）メチレン）アミノ）ベンゾエート、４，８−ジメチル−２−（プロパン−２−イリデン）−１，２，３，３ａ，４，５，６，８ａ−オクタヒドロアズレン−６−オール、４，８−ジメチル−２−（プロパン−２−イリデン）−１，２，３，３ａ，４，５，６，８ａ−オクタヒドロアズレン−６−イルアセテート、デカヒドロ−３Ｈ−スピロ［フラン−２，５’−［４，７］メタノインデン］；（２Ｚ，６Ｅ）−ノン−２，６−ジエンニトリル、（１ａＲ，４Ｓ，４ａＳ，７Ｒ，７ａＳ，７ｂＳ）−１，１，４，７−テトラメチルデカヒドロ−１Ｈ−シクロプロパ［ｅ］アズレン−４−オール、３，５，５，６，７，８，８−ヘプタメチル−５，６，７，８−テトラヒドロナフタレン−２−カルボニトリル、（１Ｓ，２Ｓ，３Ｓ，５Ｒ）−２，６，６−トリメチルスピロ［ビシクロ［３．１．１］ヘプタン−３，１’−シクロヘキサン］−２’−エン−４’−オン、１’，１’，５’，５’−テトラメチルヘキサヒドロ−２’Ｈ，５’Ｈ−スピロ［１，３］ジオキソラン−２，８’−［２，４ａ］メタノナフタレン］、（２’Ｓ，４ａ’Ｓ，８ａ’Ｓ）−１’，１’，５’，５’−テトラメチルヘキサヒドロ−２’Ｈ，５’Ｈ−スピロ［［１，３］ジオキソラン−２，８’−［２，４ａ］メタノナフタレン］、（１Ｒ，８ａＲ）−４−イソプロピル−１，６−ジメチル−１，２，３，７，８，８ａ−ヘキサヒドロナフタレン、（７，７，８，８−テトラメチルオクタヒドロ−２，３ｂ−メタノシクロペンタ［１，３］シクロプロパ［１，２］ベンゼン−４−イル）メタノール、４，５−エポキシ−４，１１，１１−トリメチル−８−メチレンビシクロ（７．２．０）ウンデカン、１，３，４，６，７，８α−ヘキサヒドロ−１，１，５，５−テトラメチル−２Ｈ−２，４α−メタノフタレン−８（５Ｈ）−オンからなる群から選択され、より好ましくは前記１種以上の悪臭低減物質が３−メトキシ−７，７−ジメチル−１０−メチレンビシクロ［４．３．１］デカン、２，４ａ，５，８ａ−テトラメチル−１，２，３，４，４ａ，７，８，８ａ−オクタヒドロナフタレン−１−イルホルメート、２，２，６，８−テトラメチル−１，２，３，４，４ａ，５，８，８ａ−オクタヒドロナフタレン−１−オー��、（４Ｒ，４ａＳ，６Ｒ）−４，４ａ−ジメチル−６−（プロパ−１−エン−２−イル）−４，４ａ，５，６，７，８−ヘキサヒドロナフタレン−２（３Ｈ）−オン、（（３Ｓ，３ａＲ，６Ｒ，８ａＳ）−７，７−ジメチル−８−メチレンオクタヒドロ−１Ｈ−３ａ，６−メタノアズレン−３−イル）メタノール、（Ｅ）−シクロヘキサデカ−８−エン−１−オン、（Ｚ）−１−（ベンジルオキシ）−２−メトキシ−４−（プロパ−１−エン−１−イル）ベンゼン、１−（（２Ｓ，３Ｓ）−２，３，８，８−テトラメチル−１，２，３，４，５，６，７，８−オクタヒドロナフタレン−２−イル）エタン−１−オン、（１Ｓ，２Ｓ，４Ｓ）−１，７，７−トリメチルビシクロ［２．２．１］ヘプタン−２−イルイソブチラート、２，３−ジヒドロ−３，３−ジメチル−１Ｈ−インデン−５−プロパナール、３−（３，３−ジメチル−２，３−ジヒドロ−１Ｈ−インデン−５−イル）プロパナール、２−（（２Ｒ，４ａＲ）−４ａ，８−ジメチル−１，２，３，４，４ａ，５，６，７−オクタヒドロナフタレン−２−イル）プロパン−２−オール、４，６，６，７，８，８−ヘキサメチル−１，３，４，６，７，８−ヘキサヒドロシクロペンタ［ｇ］イソクロメン、８，８−ジメチル−３ａ，４，５，６，７，７ａ−ヘキサヒドロ−１Ｈ−４，７−メタノインデン−６−イルアセテート、オクタヒドロ−１Ｈ−４，７−メタノインデン−５−イルアセテート、３ａ，４，５，６，７，７ａ−ヘキサヒドロ−１Ｈ−４，７−メタノインデン−６−イルブチラート、３ａ，４，５，６，７，７ａ−ヘキサヒドロ−１Ｈ−４，７−メタノインデン−５−イルイソブチラート、（５Ｒ，６Ｒ）−３，６−ジメチル−５−（プロパ−１−エン−２−イル）−６−ビニル−４，５，６，７−テトラヒドロベンゾフラン、（Ｅ）−シクロヘプタデカ−９−エン−１−オン、（３Ｒ，３ａＳ，６Ｒ，７Ｒ，８ａＳ）−３，６，８，８−テトラメチルオクタヒドロ−１Ｈ−３ａ，７−メタノアズレン−３−イルホルメート、（３Ｒ，３ａＳ，６Ｒ，７Ｒ，８ａＳ）−３，６，８，８−テトラメチルオクタヒドロ−１Ｈ−３ａ，７−メタノアズレン−６−イルアセテート、（３Ｒ，３ａＳ，６Ｒ，７Ｒ，８ａＳ）−３，６，８，８−テトラメチルオクタヒドロ−１Ｈ−３ａ，７−メタノアズレン−６−オール、５−メチル−１−（２，２，３−トリメチルシクロペンタ−３−エン−１−イル）−６−オキサビシクロ［３．２．１］オクタン、（Ｚ）−４，１１，１１−トリメチル−８−メチレンビシクロ［７．２．０］ウンデカ−３−エン−５−イルアセテート、（１Ｓ，２Ｓ，５Ｒ，８Ｓ）−４，４，８−トリメチルトリシクロ［６．３．１．０２，５］ドデカン−１−オール、（１Ｓ，２Ｓ）−１，７，７−トリメチルビシクロ［２．２．１］ヘプタン−２−イルイソブチラート、（Ｚ）−２−メチル−５−（（１Ｓ，２Ｒ，４Ｒ）−２−メチル−３−メチレンビシクロ［２．２．１］ヘプタン−２−イル）ペンタ−２−エン−１−オール、（１Ｓ，４Ｒ，７Ｒ）−１，４，９，９−テトラメチル−１，２，３，４，５，６，７，８−オクタヒドロ−４，７−メタノアズレン、（１ａＳ，５ａＲ，９ａＲ）−１ａ，５，５，７−テトラメチル−１ａ，２��３，４，５，５ａ，８，９−オクタヒドロベンゾ［１，７］シクロヘプタ［１，２−ｂ］オキシレン、（３Ｒ，３ａＳ，７Ｓ，８ａＳ）−３，８，８−トリメチル−６−メチレンオクタヒドロ−１Ｈ−３ａ，７−メタノアズレン、４−メトキシベンジル２−フェニルアセテート、２，２，７，７，８，９，９−ヘプタメチルデカヒドロインデノ［４，３ａ−ｂ］フラン、（４Ｒ，４ａＳ）−４，４ａ−ジメチル−６−（プロパン−２−イリデン）−４，４ａ，５，６，７，８−ヘキサヒドロナフタレン−２（３Ｈ）−オン、（Ｅ）−５−（２，３−ジメチルトリシクロ［２．２．１．０２，６］ヘプタン−３−イル）−２−メチルペンタ−２−エン−１−オール、（１Ｒ，３ａＳ，７Ｓ，８ａＲ）−１，４，９，９−テトラメチル−２，３，６，７，８，８ａ−ヘキサヒドロ−１Ｈ−３ａ，７−メタノアズレン、（１ａＲ，４Ｒ，４ａＲ，７ｂＳ）−１，１，４，７−テトラメチル−１ａ，２，３，４，４ａ，５，６，７ｂ−オクタヒドロ−１Ｈ−シクロプロパ［ｅ］アズレン、２−（（２Ｒ，４ａＲ，８ａＲ）−４ａ，８−ジメチル−１，２，３，４，４ａ，５，６，８ａ−オクタヒドロナフタレン−２−イル）プロパン−２−オール、（３ａＲ，３ｂＲ，４Ｓ，７Ｒ，７ａＳ）−４−イソプロピル−７−メチル−３ａ，３ｂ，４，５，６，７−ヘキサヒドロ−１Ｈ−シクロペンタ［１，３］シクロプロパ［１，２］ベンゼン、（３Ｒ，５ａＳ，９ａＲ）−２，２，５ａ，９−テトラメチル−３，４，５，５ａ，６，７−ヘキサヒドロ−２Ｈ−３，９ａ−メタノベンゾ［ｂ］オキセピン、（１ａＲ，４ａＳ，７Ｒ，７ａＲ，７ｂＳ）−１，１，７−トリメチル−４−メチレンデカヒドロ−１Ｈ−シクロプロパ［ｅ］アズレン、２−（（２Ｓ，４ａＲ，８ａＲ）−４ａ，８−ジメチル−１，２，３，４，４ａ，５，６，８ａ−オクタヒドロナフタレン−２−イル）プロパン−２−オール、１−（３，５，５，６，８，８−ヘキサメチル−５，６，７，８−テトラヒドロナフタレン−２−イル）エタン−１−オン、（Ｅ）−シクロヘキサデカ−５−エン−１−オン、（１ａＲ，２Ｓ，４ａＳ）−２，４ａ，８，８−テトラメチルオクタヒドロシクロプロパ［ｄ］ナフタレン−３（１Ｈ）−オン、２−（（２Ｒ，４ａＳ）−４ａ，８−ジメチル−１，２，３，４，４ａ，５，６，７−オクタヒドロナフタレン−２−イル）プロパン−２−オール、３ａ，４，５，６，７，７ａ−ヘキ
サヒドロ−１Ｈ−４，７−メタノインデン−６−イルプロピオナート、１−（１，１，２，３，３，６−ヘキサメチル−２，３−ジヒドロ−１Ｈ−インデン−５−イル）エタン−１−オン、（１Ｒ，４Ｓ，４ａＳ，６Ｒ，８ａＳ）−４，８ａ，９，９−テトラメチルオクタヒドロ−１，６−メタノナフタレン−１（２Ｈ）−オール、３ａ，４，５，６，７，７ａ−ヘキサヒドロ−１Ｈ−４，７−メタノインデン−６−イルピバラート、（２Ｒ，４ａ’Ｒ，８ａ’Ｒ）−３，７’−ジメチル−３’，４’，４ａ’，５’，８’，８ａ’−ヘキサヒドロ−１’Ｈ−スピロ［オキシラン−２，２’−［１，４］メタノナフタレン］、２，２，７，９−テトラメチルスピロ（５．５）ウンデカ−８−エン−１−オン、（Ｚ）−２−エチル−４−（２，２，３−トリメチルシクロペンタ−３−エン−１−イル）ブタ−２−エン−１−オール、（４ａＲ，６ａＳ，１０ａＳ，１０ｂＲ）−３，４ａ，７，７，１０ａ−ペンタメチル−４ａ，５，６，６ａ，７，８，９，１０，１０ａ，１０ｂ−デカヒドロ−１Ｈ−ベンゾ［ｆ］クロメン、（１ａＲ，４ａＲ，７Ｓ，７ａＲ，７ｂＲ）−１，１，７−トリメチル−４−メチレンデカヒドロ−１Ｈ−シクロプロパ［ｅ］アズレン−７−オール、１−（スピロ［４．５］デカ−７−エン−７−イル）ペンタ−４−エン−１−オン、（１ａＲ，４ａＳ）−２，４ａ，８，８−テトラメチル−１，１ａ，４，４ａ，５，６，７，８−オクタヒドロシクロプロパ［ｄ］ナフタレン、（１Ｒ−（１α，３α，４ａα））−２，３，４，４ａ，５，６−ヘキサヒドロ−２，２−ジメチル−１，３−メタノナフタレン−７（１Ｈ）−オン、２−（（２Ｒ，８Ｒ，８ａＳ）−８，８ａ−ジメチル−１，２，３，４，６，７，８，８ａ−オクタヒドロナフタレン−２−イル）プロパン−２−オール、１−（（３Ｒ，３ａＲ，７Ｒ，８ａＳ）−３，６，８，８−テトラメチル−２，３，４，７，８，８ａ−ヘキサヒドロ−１Ｈ−３ａ，７−メタノアズレン−５−イル）エタン−１−オン、メチル（Ｚ）−２−（（（２，４−ジメチルシクロヘキサ−３−エン−１−イル）メチレン）アミノ）ベンゾエート、４，８−ジメチル−２−（プロパン−２−イリデン）−１，２，３，３ａ，４，５，６，８ａ−オクタヒドロアズレン−６−イルアセテート、デカヒドロ−３Ｈ−スピロ［フラン−２，５’−［４，７］メタノインデン］；（１ａＲ，４Ｓ，４ａＳ，７Ｒ，７ａＳ，７ｂＳ）−１，１，４，７−テトラメチルデカヒドロ−１Ｈ−シクロプロパ［ｅ］アズレン−４−オール、３，５，５，６，７，８，８−ヘプタメチル−５，６，７，８−テトラヒドロナフタレン−２−カルボニトリル、（１Ｓ，２Ｓ，３Ｓ，５Ｒ）−２，６，６−トリメチルスピロ［ビシクロ［３．１．１］ヘプタン−３，１’−シクロヘキサン］−２’−エン−４’−オン、１’，１’，５’，５’−テトラメチルヘキサヒドロ−２’Ｈ，５’Ｈ−スピロ［１，３］ジオキソラン−２，８’−［２，４ａ］メタノナフタレン］、（２’Ｓ，４ａ’Ｓ，８ａ’Ｓ）−１’，１’，５’，５’−テトラメチルヘキサヒドロ−２’Ｈ，５’Ｈ−スピロ［［１，３］ジオキソラン−２，８’−［２，４ａ］メタノナフタレン］、テトラヒドロナフタレン−２−イル）−１，３−ジオキソラン、２−（シクロヘキシルオキシ）−１，７，７−トリメチルビシクロ［２．２．１］ヘプタン、４−（（２Ｒ）−１，７，７−トリメチルビシクロ［２．２．１］ヘプタン−２−イル）シクロヘキサン−１−オール、８，８−ジメチル−３ａ，４，５，６，７，７ａ−ヘキサヒドロ−１Ｈ−４，７−メタノインデン−６−イルプロピオナート、（１ａＳ，２ａＲ，３Ｒ，５ａＳ，７Ｒ，７ａＲ）−３，６，６，７ａ−テトラメチルオクタヒドロ−２Ｈ−２ａ，７−メタノアズレノ［５，６−ｂ］オキシレン、４，５−エポキシ−４，１１，１１−トリメチル−８−メチレンビシクロ（７．２．０）ウンデカン、１，３，４，６，７，８α−ヘキサヒドロ−１，１，５，５−テトラメチル−２Ｈ−２，４α−メタノフタレン−８（５Ｈ）−オンからなる群から選択され、最も好ましくは前記１種以上の悪臭低減物質が３−（３，３−ジメチル−２，３−ジヒドロ−１Ｈ−インデン−５−イル）プロパナール、８，８−ジメチル−３ａ，４，５，６，７，７ａ−ヘキサヒドロ−１Ｈ−４，７−メタノインデン−６−イルアセテート、２，２，７，７，８，９，９−ヘプタメチルデカヒドロインデノ［４，３ａ−ｂ］フラン、（Ｅ）−シクロヘキサデカ−５−エン−１−オン、４，５−エポキシ−４，１１，１１−トリメチル−８−メチレンビシクロ（７．２．０）ウンデカン、１，３，４，６，７，８α−ヘキサヒドロ−１，１，５，５−テトラメチル−２Ｈ−２，４α−メタノフタレン−８（５Ｈ）−オン及びこれらの混合物からなる群から選択される、請求項１から３のいずれかに記載の物品。
【請求項５】
前記悪臭低減物質がゲラニルニトリル、ヘリオナール、ノナナール、リナロール、（Ｓ）−（＋）−リナロール、（Ｒ）−（−）−リナロール、ネロール、テトラヒドロリナロール、２−フェニルエチルアセテート、オイゲノール、エチルリナロール、アリルヘプトエート、アルグメン（agrumen）ニトリル、シトロニトリル、２，２−ジメチル−３−（ｍ−トリル）プロパン−１−オール、２−メチル−５−フェニルペンタン−１−オール、ドデカンニトリル、２−ヘプチルシクロペンタン−１−オン、メチルノニルアセトアルデヒド、３−（２−エチルフェニル）−２，２−ジメチルプロパナール、（Ｚ）−１−（２，６，６−トリメチルシクロヘキサ−２−エン−１−イル）ブタ−２−エン−１−オン、（Ｒ，Ｅ）−２−メチル−４−（２，２，３−トリメチルシクロペンタ−３−エン−１−イル）ブタ−２−エン−１−オール、４−（ｔｅｒｔ−ブチル）シクロヘキシルアセテート、１−シクロヘキシルエチル（Ｅ）−ブタ−２−エノアート、アリル２−（シクロヘキシルオキシ）アセテート、α−テルピニルアセテート、β−テルピニルアセテート、γ−テルピニルアセテート、メチルドデシルエーテルエーテル、２，４−ジメチル−４，４ａ，５，９ｂ−テトラヒドロインデノ［１，２−ｄ］［１，３］ジオキシン、イソ酪酸シンナミニル、（Ｅ）−２−メチル−４−（２，６，６−トリメチルシクロヘキサ−１−エン−１−イル）ブタ−２−エナール、γ−メチルイオノン、エチル２，３，６−トリメチルシクロヘキシルカーボネートエチル２，３，６−トリメチルシクロヘキシルカーボネート、シトラールジメチルアセタール、ジメトキシシクロドデカン、１−（（２Ｓ，３Ｓ）−２，３，８，８−テトラメチル−１，２，３，４，５，６，７，８−オクタヒドロナフタレン−２−イル）エタン−１−オン、オキサシクロヘキサデカン−２−オン、４，６，６，７，８，８−ヘキサメチル−１，３，４，６，７，８−ヘキサヒドロシクロペンタ［ｇ］イソクロメン、エチレンブラシレート、メチル（Ｚ）−２−（（３−（４−（ｔｅｒｔ−ブチル）フェニル）−２−メチルプロピリデン）アミノ）ベンゾエート、４，７−メタノ−１Ｈ−インデン−５−オール，３ａ，４，５，６，７，７ａ−ヘキサヒドロ−，５−アセテート、セドリルメチルエーテル、ベチベリルアセテート、１−（（３Ｒ，３ａＲ，７Ｒ，８ａＳ）−３，６，８，８−テトラメチル−２，３，４，７，８，８ａ−ヘキサヒドロ−１Ｈ−３ａ，７−メタノアズレン−５−イル）エタン−１−オン、ベンゾフェノン、ファルネソール、トランス，トランス−ファルネソール、３−（３−イソプロピルフェニル）ブタナール、２，６，１０−トリメチルウンデカ−９−エナール、３−（４−（ｔｅｒｔ−ブチル）フェニル）プロパナール、３−（４−イソプロピルフェニル）−２−メチルプロパナール、シトロネラール（ｌ）、シトロネラール（ｄ）、（Ｅ）−４，８−ジメチルデカ−４，９−ジエナール、ピノアセトアルデヒド、３−（４−（ｔｅｒｔ−ブチル）フェニル）−２−メチルプロパナール、桂皮アルデヒド、シトラール、ゲラニアール、メトキシメロナール、ｏ−メトキシシンナムアルデヒド、（Ｅ）−４−（（３ａＳ，７ａＳ）−オクタヒドロ−５Ｈ−４，７−メタノインデン−５−イリデン）ブタナール、メチルオクチルアセトアルデヒド、３−（４−メトキシフェニル）−２−メチルプロパナール、５−メトキシオクタヒドロ−１Ｈ−４，７−メタノインデン−２−カルボアルデヒド、イソシクロシトラール、オクタナール、２−ウンデセナール、１０−ウンデセナール、トランス−トランス−２，６−ノナジエナール、トランス−２，シス−６−ノンジエナール、ヘリオトロピン、ヘキシルシンナミックアルデヒド、ｐ−メチル−α−ペンチルシンナムアルデヒド、α−メチルシンナムアルデヒド、３，４−ジメトキシベンズアルデヒド、ミルテナール、ペリルアルデヒド、マセアル、パルミチン酸メチル、メチルイソオイゲノール及びこれらの混合物からなる群より選択されない、請求項１から４のいずれかに記載の物品。
【請求項６】
１０：１〜０．５：１の、好ましくは５：１〜１：１の範囲に及ぶ布地柔軟剤活性物質の乾燥基材に対する重量比を有し、好ましくは前記布地柔軟剤活性物質が四級アンモニウム化合物、シリコーンポリマー、多糖、粘土、アミン、脂肪エステル、分散性ポリオレフィン、ポリマーラテックス及びこれらの混合物からなる群から選択される、請求項１から５のいずれかに記載の物品。
【請求項７】
ビス−（２−ヒドロキシプロピル）−ジメチルアンモニウムメチル硫酸脂肪酸エステル、１，２−ジ（アシルオキシ）−３−トリメチルアンモニウムプロパンクロリド、Ｎ，Ｎ−ビス（ステアロイル−オキシ−エチル）Ｎ，Ｎ−ジメチルアンモニウムクロリド、Ｎ，Ｎ−ビス（タローイル−オキシ−エチル）Ｎ，Ｎ−ジメチルアンモニウムクロリド、Ｎ，Ｎ−ビス（ステアロイル−オキシ−エチル）Ｎ−（２ヒドロキシエチル）Ｎ−メチルアンモニウム硫酸メチル、１，２ジ（ステアロイル−オキシ）３トリメチルアンモニウムプロパンクロリド、ジカノーラ（dicanola）ジメチルアンモニウムクロリド、ジ（ハード）タロージメチルアンモニウムクロリド  ジカノーラジメチルアンモニウム硫酸メチル、１−メチル−１−ステアロイルアミドエチル−２−ステアロイルイミダゾリウム硫酸メチル、１−タローイルアミドエチル−２−タローイルイミダゾリン、ジパルメチルヒドロキシエチルアンモニウムメト硫酸及びこれらの混合物からなる群から選択される四級アンモニウム化合物を含む、請求項１から６のいずれかに記載の物品。
【請求項８】
０〜１４０の、好ましくは５〜１００の、より好ましく１０〜８０の、更により好ましくは１５〜７０の、最も好ましくは１８〜２５のヨウ素価を有する布地柔軟化活性物質を含む、請求項１から７のいずれかに記載の物品。
【請求項９】
前記物品が界面活性剤、ビルダー、キレート化剤、移染防止剤、分散剤、酵素及び酵素安定剤、触媒物質、漂白活性化剤、過酸化水素、過酸化水素源、予備形成済み過酸、ポリマー分散剤、粘土汚れ除去／再付着防止剤、増白剤、泡抑制剤、染料、色相染料、香料、香料送達系、構造伸縮性付与剤、担体、構造剤、屈水性誘発物質、加工助剤、溶媒、顔料及びこれらの混合物からなる群から選択される補助成分を含む、請求項１から８のいずれかに記載の物品。
【請求項１０】
悪臭を含む又は悪臭を発する位置に請求項１から９に記載の物品からなる群から選択される物品を接触させる工程を含む、悪臭を抑制する方法。
【請求項１１】
前記位置が布地を含み、前記接触工程が前記布地に悪臭低減組成物を含有する出願人の物品の十分量を接触させて、前記布地に前記悪臭低減物質の総計で少なくとも０．００２５ｍｇの悪臭低減物質／布地１ｋｇの、好ましくは０．０００２５ｍｇの悪臭低減物質／布地１ｋｇ〜２５ｍｇの悪臭低減物質／布地１ｋｇの、より好ましくは０．０２５ｍｇの悪臭低減物質／布地１ｋｇ〜２０ｍｇの悪臭低減物質／布地１ｋｇの、最も好ましくは０．２５ｍｇの悪臭低減物質／布地１ｋｇ〜１０ｍｇの悪臭低減物質／布地１ｋｇのレベルで前記悪臭低減物質を接触させることを含む、請求項１０に記載の方法。
【発明の詳細な説明】
【技術分野】
【０００１】
本発明は、悪臭低減組成物を含む基材及びこのような基材の製造方法に関する。
【背景技術】
【０００２】
無香料又は香料製品は、香料入り商品より自然で、より控え目と考えられる場合があり、消費者に好まれる。悪臭を抑制するための無香料又は香料製品のメーカーは、悪臭を低減するうえで悪臭低減材料又はその他の技術（例えばフィルター）に頼っている。しかし、悪臭、例えば系悪臭（例えば魚及び尿）、チオール及びスルフィド系悪臭（例えばニンニク及びタマネギ）、Ｃ２〜Ｃ１２カルボン酸系悪臭（例えば体臭及びペット臭）、インドール系悪臭（例えば便及び口臭）、短鎖脂肪アルデヒド系悪臭（例えばグリース）及びゲオスミン系悪臭（例えばカビ／白カビ）の効果的な抑制は困難であり得て、製品が悪臭を著しく低減するために時間を要すると、消費者はその製品の悪臭に対する効力を疑問に感じ得る。多くの場合、メーカーは、これら困難な悪臭をマスキングするために芳香香料を取り入れている。
【発明の概要】
【発明が解決しようとする課題】
【０００３】
あいにく、悪臭抑制技術は典型的に、悪臭をより強力な匂いで隠すため、悪臭抑制技術によって処置された付香された又は付香されていない位置の匂いを妨害してしまう。このため、現在の悪臭抑制技術は限定的な性質のために、非常に制約がある。このため必要なのは、香料界がより多数の状況／用途に所望のレベルと特性を与えることができるような、より幅広い範囲の悪臭抑制技術である。驚くべきことに、出願人は、悪臭の感覚細胞への接触を遮断することに加えて、所望の目標を達成するために、悪臭抑制技術によってこのような感覚細胞を他の分子、例えば匂い分子に対して開放しておく必要があることを認識している。結果として、このような悪臭低減組成物は、このような悪臭低減組成物を含む付香された又は付香されていない基材及びこのような基材によって処置された付香された又は付香されていない場所の匂いを過度に妨害することはない。
【課題を解決するための手段】
【０００４】
本発明は、悪臭低減組成物を含む基材及びこのような基材の製造方法に関する。このような悪臭低減組成物は、このような悪臭低減組成物を含む付香された又は付香されていない基材及びこのような基材によって処置された付香された又は付香されていない場所の匂いを過度に妨害することはない。
【発明を実施するための形態】
【０００５】
本明細書で使用する場合、「ＭＯＲＶ」は、対象物質について算出された悪臭低減値である。物質のＭＯＲＶは、このような物質が１種以上の悪臭の知覚を低減する又は除去さえする能力を示す。本願の目的のために、物質のＭＯＲＶを本願の試験方法セクションで見出される方法に従って算出する。
【０００６】
本明細書で使用する場合、用語「香料」は、悪臭低減物質を含まない。このため組成物の香料部分が、香料の組成を決定する場合に組成物中に見出されるいずれの悪臭低減物質も含まないのは、そのような悪臭低減物質が本明細書に記載されているためである。要するに、物質が主題の特許請求の範囲で引用するＭＯＲＶの範囲内にある悪臭低減値「ＭＯＲＶ」を有する場合、そのような物質はそのような特許請求の範囲の目的のための悪臭低減物質である。
【０００７】
本明細書で使用する場合、「悪臭」とは、排便に伴う複合臭のようなほとんどの人々にとって一般的に不快であるか不愉快である化合物を意味する。
【０００８】
本明細書で使用する場合、用語「臭気ブロッキング」は、人間の嗅覚を鈍くすることができる化合物の能力を意味する。
【０００９】
本明細書で使用する場合、「臭気マスキング」は、悪臭化合物を感知する能力を制限するように投与される、不快でない、又は心地よい匂いを有する化合物の能力を意味する。臭気マスキングは、予期される悪臭と協調することで臭気化合物の組み合わせによって与えられる全体的な匂いの知覚を変化させる化合物の選択を伴い得る。
【００１０】
本明細書で使用する場合、用語「ａ」及び「ａｎ」は、「少なくとも１つ」を意味する。
【００１１】
本明細書で使用するとき、用語「含む（include）」、「含む（includes）」、及び「含んでいる（including）」は、限定することを意図しない。
【００１２】
別途指定されない限り、成分又は組成物の濃度はすべて、当該成分又は組成物の活性部分に関するものであり、このような成分又は組成物の市販の供給源に存在し得る不純物、例えば、残留溶媒又は副生成物は除外される。
【００１３】
すべての百分率及び比率は、別途指定されない限り、重量で計算される。すべての百分率及び比率は、別途指定されない限り、全組成物を基準にして計算される。
【００１４】
本明細書の全体を通じて与えられるすべての最大数値限定は、それよりも小さい数値限定を、そのようなより小さい数値限定があたかも本明細書に明確に記載されているかのように包含するものと理解すべきである。本明細書の全体を通じて与えられるすべての最小数値限定は、より大きいすべての数値限定を、そのようなより大きい数値限定があたかも本明細書に明確に記載されているかのように包含する。本明細書全体を通して与えられるすべての数値範囲は、そのようなより広い数値範囲内に入るより狭いすべての数値範囲を、そのような狭い数値範囲があたかもすべて本明細書に明確に記載されているかのように包含する。
【００１５】
悪臭低減物質
非限定な一連の好適な悪臭低減物質を以下の表に示す。使用しやすくするために、表１〜３の各物質に指定番号である各表の列に示す数値識別子（indentifier）を割り当てる。表４は表１のサブセットであり、表５は表２のサブセットであり、表６は表３のサブセットであるため、表４、５及び６はそれぞれ、表１〜３それぞれに示すのと同じ数値識別子を使用する。
【００１６】
【表１】
2017531468.tif 000002
【００１７】
【表２−１】
2017531468.tif 000003
【００１８】
【表２−２】
2017531468.tif 000004
【００１９】
【表２−３】
2017531468.tif 000005
【００２０】
【表２−４】
2017531468.tif 000006
【００２１】
【表２−５】
2017531468.tif 000007
【００２２】
【表２−６】
2017531468.tif 000008
【００２３】
【表２−７】
2017531468.tif 000009
【００２４】
【表２−８】
2017531468.tif 000010
【００２５】
【表２−９】
2017531468.tif 000011
【００２６】
【表２−１０】
2017531468.tif 000012
【００２７】
【表２−１１】
2017531468.tif 000013
【００２８】
【表２−１２】
2017531468.tif 000014
【００２９】
【表２−１３】
2017531468.tif 000015
【００３０】
【表２−１４】
2017531468.tif 000016
【００３１】
【表２−１５】
2017531468.tif 000017
【００３２】
【表２−１６】
2017531468.tif 000018
【００３３】
【表３】
2017531468.tif 000019
【００３４】
【表４−１】
2017531468.tif 000020
【００３５】
【表４−２】
2017531468.tif 000021
【００３６】
【表４−３】
2017531468.tif 000022
【００３７】
【表４−４】
2017531468.tif 000023
【００３８】
【表４−５】
2017531468.tif 000024
【００３９】
【表５−１】
2017531468.tif 000025
【００４０】
【表５−２】
2017531468.tif 000026
【００４１】
【表６】
2017531468.tif 000027
【００４２】
【表７】
2017531468.tif 000028
【００４３】
表１〜６の物質は以下の１以上から供給可能である。
米国、ニュージャージー州プレインズボロのフィルメニッヒ社インターナショナル・フレイバー・アンド・フレグランス社、ニューヨーク、ニューヨーク州米国高砂香料工業株式会社、テターボロ、ニュージャージー州、米国シムライズ社、テターボロ、ニュージャージー州、米国シグマ−アルドリッチ／ＳＡＦＣ社、カールスバッド、カリフォルニア州、米国及びＢｅｄｏｕｋｉａｎ  Ｒｅｓｅａｒｃｈ社、ダンベリー、コネチカット州、米国。
【００４４】
上の表１〜６に記載した各物質の実際のＭＯＲＶ値は以下の通りである。
【００４５】
【表８−１】
2017531468.tif 000029
【００４６】
【表８−２】
2017531468.tif 000030
【００４７】
【表８−３】
2017531468.tif 000031
【００４８】
【表８−４】
2017531468.tif 000032
【００４９】
【表８−５】
2017531468.tif 000033
【００５０】
【表８−６】
2017531468.tif 000034
【００５１】
【表８−７】
2017531468.tif 000035
【００５２】
【表８−８】
2017531468.tif 000036
【００５３】
【表８−９】
2017531468.tif 000037
【００５４】
【表８−１０】
2017531468.tif 000038
【００５５】
【表８−１１】
2017531468.tif 000039
【００５６】
【表８−１２】
2017531468.tif 000040
【００５７】
【表８−１３】
2017531468.tif 000041
【００５８】
【表８−１４】
2017531468.tif 000042
【００５９】
【表８−１５】
2017531468.tif 000043
【００６０】
【表８−１６】
2017531468.tif 000044
【００６１】
【表８−１７】
2017531468.tif 000045
【００６２】
物品及び方法
物品であって、
ａ）基材、好ましくは可撓性基材、より好ましくはシートである可撓性基材であって、好ましくは前記基材が布地柔軟化活性物質を含み、好ましくは前記布地柔軟化活性物質が前記基材の全部又は一部を被覆する、基材と、
ｂ）総計が約０．０００２５％〜約１％の、好ましくは約０．００２５％〜約０．１％の、より好ましくは約０．００５％〜約０．０７５％の、最も好ましくは約０．０１％〜約０．０５％の、１種以上の悪臭低減物質、好ましくは１〜２０種の悪臭低減物質、より好ましく１〜１５種の悪臭低減物質、最も好ましくは１〜１０種の悪臭低減物質であって、前記悪臭低減物質それぞれが少なくとも０．５の、好ましくは０．５〜１０の、より好ましく１〜１０の、最も好ましくは１〜５のＭＯＲＶを有し、好ましくは前記悪臭低減物質のそれぞれが総合（Ｕｎｉｖｅｒｓａｌ）ＭＯＲＶを有し、前記悪臭低減物質の総計が３未満の、より好ましくは約２．５未満の、更により好ましく約２未満の、なおより好ましくは約１未満の、最も好ましくは０のブロッカー指数及び／又は３〜０．００１のブロッカー指数平均を有する、
物品が開示される。
【００６３】
前記物品の一態様では、前記悪臭低減物質は約３未満の、より好ましくは約２．５未満の、またより好ましくは約２未満の、なおより好ましくは約１未満の、最も好ましくは０の芳香忠実指数（Fragrance Fidelity Index）又は３から０．００１の芳香忠実度指数平均を有する。
【００６４】
前記物品の一態様では、前記物品は香料を含み、前記物品は、約１：２０，０００から約３０００：１の、好ましくは約１：１０，０００から約１，０００：１の、より好ましく５，０００：１から約５００：１の、最も好ましくは約１：１５から約１：１の、悪臭低減組成物の部の香料の部に対する重量比を有する。
【００６５】
前記物品の一態様では、前記物品は、３を超える、好ましくは３を超えるが８未満のｌｏｇＰを有する１種以上の悪臭低減物質を含み、好ましくは前記１種以上の悪臭低減物質は、表１の物質１、から成る群より選択される。２、３、７、９、１０、１１、１３、１４、１８、２１、２２、２３、２５、２８、２９、３０、３１、３２、３３、３５、３６、３８、３９、４７、４８、４９、５０、５２、５７、６２、６３、６４、６７、６８、６９、７１、７４、７５、７６、７７、７８、７９、８０、８３、８５、９１、９２、９３、１００、１０１、１０２、１０３、１０４、１０５、１０９、１１４、１１９、１２０、１２２、１２３、１２８、１３４、１３５、１３７、１４０、１４２、１４５、１４８、１４９、１５２、１５３、１５８、１５９、１６１、１６２、１７４、１７５、１７６、１７７、１７８、１８２、１８３、１８４、１８５、１８６、１８９、１９２、１９５、１９６、１９７、２０６、２０８、２０９、２１０、２１１、２１２、２１５、２２１、２２７、２２８、２２９、２３０、２３１、２３３、２３４、２３８、２４２、２４３、２４４、２４６、２５２、２５３、２６０、２６１、２６３、２６７、２６９、２７１、２７４、２７６、２７７、２８０、２８５、２８９、２９０、２９２、２９３、２９４、２９５、２９６、３００、３０１、３０３、３０７、３１６、３１７、３１８、３２２、３２４、３２５、３２８、３２９、３３０、３３１、３３３、３３４、３３５、３３６、３３８、３３９、３４２、３４３、３４４、３４９、３５２、３５６、３５８、３５９、３６０、３６１、３６２、３６３、３６４、３６８、３６９、３７０、３７１、３７２、３７８、３８１、３８５、３８６、３８８、３９０、３９１、３９７、３９８、４１３、４１４、４１６、４１８、４２１、４２４、４２６、４２８、４２９、４３２、４４１、４４４、４４９、４５３、４５７、４５９、４６１、４６２、４６３、４６５、４６６、４６７、４６８、４７０、４７１、４７３、４７５、４７８、４７９、４８０、４８２、４８４、４８６、４８７、４８８、４９７、４９８、５０１、５０２、５０３、５０５、５１９、５２０、５２１、５２４、５２９、５３２、５３４、５３７、５４１、５４４、５４８、５５０、５５２、５５８、５５９、５６０、５６１、５６２、５６３、５６５、５６６、５６７、５６８、５６９、５７０、５７１、５７２、５７３、５７４、５７７、５７８、５８２、５８４、５８９、５９１、５９２、５９４、５９９、６００、６０１、６０３、６０４、６０６、６０７、６０８、６０９、６１０、６１１、６１３、６１４、６１５、６１６、６１８、６２０、６２１、６２４、６２５、６２６、６２８、６３１、６３２、６３３、６３５、６４４、６５０、６５３、６５９、６６０、６６１、６６３、６７１、６７３、６７４、６７５、６７６、６７７、６７８、６７９、６８０、６８１、６８４、６８６、６９１、６９２、６９３、６９４、６９６、６９７、６９８、７００、７０２、７０４、７０６、７０７、７０８、７０９、７１０、７１１、７１２、７１３、７１４、７１５、７１６、７１７、７１８、７１９、７２０、７２１、７２２、７２３、７２４、７２５、７２６、７２７、７３１、７４１、７４６、７５０、７５２、７５４、７５７、７５８、７６３、７６６、７６９、７７０、７７１、７７４、７７５、７７６、７７８、７８１、７８２、７８８、７９１、８００、８０２、８０４、８０６、８１４、８２１、８２６、８２７、８２８、８３１、８３７、８３９、８４０、８４９、８５０、８５２、８５６、８６６、８６８、８６９、８７０、８７１、８７２、８７３、８７６、８７７、８７８、８７９、８８１、８８４、８８５、８８６、８９０、８９２、８９３、８９４、９０５、９０８、９１２、９１３、９１４、９１６、９１９、９２０、９２２、９２５、９２６、９２７、９３０、９３３、９３９、９４１、９４２、９４３、９４５、９４７、９４８、９５０、９５１、９５３、９５４、９５９、９６５、９６７、９７３、９７８、９８５、９８８、９９８、１０００、１００３、１００６、１００７、１００８、１００９、１０１０、１０１６、１０２２、１０２３、１０２４、１０２５、１０２８、１０２９、１０３１、１０３２、１０３３、１０３５、１０３８、１０４５、１０４６、１０４７、１０５３、１０５７、１０６０、１０６２、１０６３、１０６５、１０６７、１０７０、１０７３、１０７５、１０７７、１０７８、１０８２、１０８９、１０９０、１０９３、１０９５、１０９７、１０９９、１１０２、１１０４、１１０５、１１０７、１１１６、１１２０、１１２１、１１２６、１１２９、１１３１、１１３５、１１３６、１１３７、１１３８、１１４０、１１４２、１１４３、１１４４、１１４５、１１４７、１１４８、１１４９、表２の物質２、２３、１８５、２２７、２３０、２４６、２４８、３４３、３５９、５６５、６３１、６５９、６７４、６７８、６７９、７１５、７５８、１０２８、１０９７、表３の物質１、９、１２、１３、１９、２０、２１、２４、２５、２７、３２、３８、５４、５５、５９、６４、６８、７１、７２、７９、８１、８３、８５、１００、１０５、１０９、１１１、１１４、１１９、１３３、１３４、１３５、１３７、１４０、１４２、１４７、１４８、１５０、１５１、１５２、１５３、１５４、１５７、１５９、１６２、１７８、１８１、１８９、１９１、１９２、１９５、１９７、２０４、２１１、２２８、２３１、２３３、２３４、２３７、２３８、２４２、２４６、２５２、２６４、２７０、２７３、２７５、２７７、２８３、２８５、２８９、２９０、２９２、２９３、２９５、３００、３０１、３０２、３０６、３０８、３１０、３１２、３１９、３２２、３２５、３３１、３３３、３３４、３３６、３３８、３３９、３４４、３４６、３５４、３５５、３５６、３５８、３６１、３６２、３６３、３７０、３７１、３７２、３７８、３８１、３８５、３８７、３８８、３９０、４１２、４１３、４１８、４２０、４２８、４２９、４３２、４３７、４３８、４４４、４４７、４４８、４５４、４５５、４５７、４６１、４６５、４６７、４７２、４７７、４７８、４７９、４８０、４８１、４８２、４９５、４９６、４９７、５０２、５０３、５０４、５０９、５１０、５１２、５１５、５１７、５１８、５２２、５２５、５２９、５３５、５３６、５３７、５４０、５４１、５４４、５５０、５５７、５５８、５５９、５６０、５６１、５６８、５７１、５７２、５７５、５８９、５９２、５９４、５９９、６００、６０２、６０４、６０９、６１９、６２０、６２５、６２６、６３３、６４１、６４４、６４５、６５０、６５３、６６２、６６７、６７２、６７３、６７５、６７６、６８１、６８６、６８７、６９３、６９７、６９８、７００、７０３、７０４、７０６、７０７、７１６、７１７、７１８、７２２、７２５、７４４、７４５、７４６、７５７、７６９、７７１、７７９、７８２、７９９、８０６、８１９、８２０、８２７、８２８、８３６、８３８、８３９、８４７、８５０、８７５、８７８、８７９、８８０、８８１、８８８、８８９、８９０、８９１、８９３、８９９、９００、９０１、９０３、９０９、９１２、９１４、９２０、９２２、９３０、９３９、９４０、９４１、９４５、９４７、９４８、９５３、９５４、９５８、９５９、９６０、９６５、９６７、９７１、９８６、９８７、９９４、９９５、９９８、１０００、１００１、１００３、１００５、１００８、１００９、１０１０、１０１１、１０１７、１０１８、１０２３、１０３１、１０３２、１０４６、１０４７、１０５１、１０５２、１０５３、１０５４、１０５５、１０５７、１０５８、１０６１、１０６２、１０６３、１０７４、１０７５、１０７６、１０８２、１０８８、１０９３、１０９５、１０９９、１１０２、１１０４、１１０５、１１１５、１１１６、１１２０、１１２７、１１２８、１１３４、１１３５、１１４１、１１４７、１１４８、１１４９及びこれらの混合物から成る群より選択され、好ましくは前記悪臭低減物質は、表１の物質１、２、３、７、９、１０、１１、１３、１４、１８、２１、２２、２３、２５、２８、２９、３０、３１、３２、３３、３５、３６、３８、３９、４７、４８、４９、５０、５２、５７、６２、６３、６４、６７、６８、６９、７１、７４、７５、７６、７７、７８、７９、８０、８３、８５、９１、９２、９３、１００、１０１、１０２、１０３、１０４、１０５、１０９、１１４、１１９、１２０、１２２、１２３、１２８、１３４、１３５、１３７、１４０、１４２、１４５、１４８、１４９、１５２、１５３、１５８、１５９、１６１、１６２、１７４、１７５、１７６、１７７、１７８、１８２、１８３、１８４、１８５、１８６、１８９、１９２、１９５、１９６、１９７、２０６、２０８、２０９、２１０、２１１、２１２、２１５、２２１、２２７、２２８、２２９、２３０、２３１、２３３、２３４、２３８、２４２、２４３、２４４、２４６、２５２、２５３、２６０、２６１、２６３、２６７、２６９、２７１、２７４、２７６、２７７、２８０、２８５、２８９、２９０、２９２、２９３、２９４、２９５、２９６、３００、３０１、３０３、３０７、３１６、３１７、３１８、３２２、３２４、３２５、３２８、３２９、３３０、３３１、３３３、３３４、３３５、３３６、３３８、３３９、３４２、３４３、３４４、３４９、３５２、３５６、３５８、３５９、３６０、３６１、３６２、３６３、３６４、３６８、３６９、３７０、３７１、３７２、３７８、３８１、３８５、３８６、３８８、３９０、３９１、３９７、３９８、４１３、４１４、４１６、４１８、４２１、４２４、４２６、４２８、４２９、４３２、４４１、４４４、４４９、４５３、４５７、４５９、４６１、４６２、４６３、４６５、４６６、４６７、４６８、４７０、４７１、４７３、４７５、４７８、４７９、４８０、４８２、４８４、４８６、４８７、４８８、４９７、４９８、５０１、５０２、５０３、５０５、５１９、５２０、５２１、５２４、５２９、５３２、５３４、５３７、５４１、５４４、５４８、５５０、５５２、５５８、５５９、５６０、５６１、５６２、５６３、５６５、５６６、５６７、５６８、５６９、５７０、５７１、５７２、５７３、５７４、５７７、５７８、５８２、５８４、５８９、５９１、５９２、５９４、５９９、６００、６０１、６０３、６０４、６０６、６０７、６０８、６０９、６１０、６１１、６１３、６１４、６１５、６１６、６１８、６２０、６２１、６２４、６２５、６２６、６２８、６３１、６３２、６３３、６３５、６４４、６５０、６５３、６５９、６６０、６６１、６６３、６７１、６７３、６７４、６７５、６７６、６７７、６７８、６７９、６８０、６８１、６８４、６８６、６９１、６９２、６９３、６９４、６９６、６９７、６９８、７００、７０２、７０４、７０６、７０７、７０８、７０９、７１０、７１１、７１２、７１３、７１４、７１５、７１６、７１７、７１８、７１９、７２０、７２１、７２２、７２３、７２４、７２５、７２６、７２７、７３１、７４１、７４６、７５０、７５２、７５４、７５７、７５８、７６３、７６６、７６９、７７０、７７１、７７４、７７５、７７６、７７８、７８１、７８２、７８８、７９１、８００、８０２、８０４、８０６、８１４、８２１、８２６、８２７、８２８、８３１、８３７、８３９、８４０、８４９、８５０、８５２、８５６、８６６、８６８、８６９、８７０、８７１、８７２、８７３、８７６、８７７、８７８、８７９、８８１、８８４、８８５、８８６、８９０、８９２、８９３、８９４、９０５、９０８、９１２、９１３、９１４、９１６、９１９、９２０、９２２、９２５、９２６、９２７、９３０、９３３、９３９、９４１、９４２、９４３、９４５、９４７、９４８、９５０、９５１、９５３、９５４、９５９、９６５、９６７、９７３、９７８、９８５、９８８、９９８、１０００、１００３、１００６、１００７、１００８、１００９、１０１０、１０１６、１０２
２、１０２３、１０２４、１０２５、１０２８、１０２９、１０３１、１０３２、１０３３、１０３５、１０３８、１０４５、１０４６、１０４７、１０５３、１０５７、１０６０、１０６２、１０６３、１０６５、１０６７、１０７０、１０７３、１０７５、１０７７、１０７８、１０８２、１０８９、１０９０、１０９３、１０９５、１０９７、１０９９、１１０２、１１０４、１１０５、１１０７、１１１６、１１２０、１１２１、１１２６、１１２９、１１３１、１１３５、１１３６、１１３７、１１３８、１１４０、１１４２、１１４３、１１４４、１１４５、１１４７、１１４８、１１４９、表２の物質２、２３、１８５、２２７、２３０、２４６、２４８、３４３、３５９、５６５、６３１、６５９、６７４、６７８、６７９、７１５、７５８、１０２８、１０９７及びこれらの混合物から成る群より選択され、より好ましくは前記悪臭低減物質は、表４の物質７、１４、３９、４８、１８３、２０６、２１２、２１５、２２９、２６０、２６１、３２９、３３５、３６０、４４１、４８４、４８７、４８８、５０１、５６６、５６７、５６９、５７０、５７３、５７４、６０３、６１６、６２１、６２４、６３２、６６３、６８０、６８４、６９４、６９６、７０８、７１２、７１４、７２６、７５０、７７５、７７６、７８８、８０４、８７２、９１９、９２７、９３３、９７８、１００７、１０２２、１０２４、１０２９、１０３５、１０３８、１０６０、１０８９、１１０７、１１２９、１１３１、１１３６、１１３７、１１４０、１１４２、１１４３、１１４４、１１４５、１１４８、１１４９、表５の物質２４８及びこれらの混合物から成る群より選択され、最も好ましくは前記物質は、表４の物質２６１、６８０、７８８、１１２９、１１４８、１１４９及びこれらの混合物から成る群より選択される。上述の物質はすべて３以上であるｌｏｇＰを有するため、洗浄により特に良好に沈降する。上述の物質のうちより好ましい及び最も好ましいものは、主要な悪臭すべての消臭に効果的であるために、特に好ましい。
【００６６】
前記物品の一態様では、前記悪臭低減物質は、表１〜３の悪臭低減物質３０２、２８８、５０、１５７、１０１７、８８８、６４、１０５４、８３２、３７５、３９０、７４５、５０４、５０５、１４０、１０１２、４９８、３６２、１０３、３５６、１０７４、９０８、１１２７、４７５、９１８、６８７、６１１、３１７、９、１４１、５５０、６０２、９１３、１００５、５２１、１０、２１５、３７０、３３５、３７８、１１２１、３６０、５６５、１１３６、１１２９、６５５、３６９、１０６５、９１４、７５７、６０１、４７８、８８９、８９１、３５８、９７３、１６２、５５４、５２２、３１２、１２５、２６、４１８、９２、５８６、１０２６、２１８、３１、８２８、８７１、８２９、１０６６、２８７、２６９、７６９、７０１、１１１８、７０、９４６、１４２、１０９、１０８又はその混合物から成る群より選択されない。
【００６７】
前記物品の一態様では、前記物品は１０：１〜０．５：１の、好ましくは５：１〜１：１の範囲に及ぶ布地柔軟剤活性物質の乾燥基材に対する重量比を有し、好ましくは前記布地柔軟剤活性物質は、四級アンモニウム化合物、シリコーンポリマー、多糖、粘土、アミン、脂肪エステル、分散性ポリオレフィン、ポリマーラテックス及びこれらの混合物からなる群から選択される。
【００６８】
前記物品の一態様では、前記物品は、ビス−（２−ヒドロキシプロピル）−ジメチルアンモニウムメチル硫酸脂肪酸エステル、１，２−ジ（アシルオキシ）−３−トリメチルアンモニウムプロパンクロリド、Ｎ，Ｎ−ビス（ステアロイル−オキシ−エチル）Ｎ，Ｎ−ジメチルアンモニウムクロリド、Ｎ，Ｎ−ビス（タローイル−オキシ−エチル）Ｎ，Ｎ−ジメチルアンモニウムクロリド、Ｎ，Ｎ−ビス（ステアロイル−オキシ−エチル）Ｎ−（２ヒドロキシエチル）Ｎ−メチルアンモニウム硫酸メチル、１，２ジ（ステアロイル−オキシ）３トリメチルアンモニウムプロパンクロリド、ジカノーラジメチルアンモニウムクロリド、ジ（ハード）タロージメチルアンモニウムクロリド、ジカノーラジメチルアンモニウム硫酸メチル、１−メチル−１−ステアロイルアミドエチル−２−ステアロイルイミダゾリウム硫酸メチル、１−タローイルアミドエチル−２−タローイルイミダゾリン、ジパルメチルヒドロキシエチルアンモニウムメト硫酸及びこれらの混合物からなる群から選択される四級アンモニウム化合物を含む。
【００６９】
前記物品の一態様では、前記物品は、０〜１４０の、好ましくは５〜１００の、より好ましく１０〜８０の、更により好ましくは１５〜７０の、最も好ましくは１８〜２５のヨウ素価を有する布地柔軟化活性物質を含む。
【００７０】
前記物品の一態様では、前記物品は、界面活性剤、ビルダー、キレート化剤、移染防止剤、分散剤、酵素及び酵素安定剤、触媒物質、漂白活性化剤、過酸化水素、過酸化水素源、予備形成済み過酸、ポリマー分散剤、粘土汚れ除去／再付着防止剤、増白剤、泡抑制剤、染料、色相染料、香料、香料送達系、構造伸縮性付与剤、担体、構造剤、屈水性誘発物質、加工助剤、溶媒、顔料及びこれらの混合物からなる群から選択される補助成分を含む。
【００７１】
悪臭を含む又は悪臭を発する位置に出願人が本明細書で開示する物品の１種以上を接触させる工程を含む、悪臭を抑制する方法を開示する。
【００７２】
前記方法の一態様では、前記位置が布地を含み、前記接触工程が悪臭低減組成物を含有する出願人の物品の十分量を接触させて、前記布地に悪臭低減物質の総計で少なくとも０．００２５ｍｇの悪臭低減物質／布地１ｋｇの、好ましくは約０．０００２５ｍｇの悪臭低減物質／布地１ｋｇ〜約２５ｍｇの悪臭低減物質／布地１ｋｇの、より好ましく約０．０２５ｍｇの悪臭低減物質／布地１ｋｇ〜約２０ｍｇの悪臭低減物質／布地１ｋｇの、最も好ましくは約０．２５ｍｇの悪臭低減物質／布地１ｋｇ〜約１０ｍｇの悪臭低減物質／布地１ｋｇのレベルで悪臭低減物質を接触させることを含む。
【００７３】
柔軟剤活性物質
本発明の物品は、少なくとも１種の布地コンディショニング化合物を含むことができる。コンディショニング組成物中の前記布地コンディショニング化合物の代表的な濃度は、組成物の１重量％〜９９重量％である。しかし、本発明の組成物は、約１％〜約８０％の、好ましくは約２０％〜約７０％の、より好ましくは約２５％〜約６０％の布地コンディショニング構成成分も含有することができる。
【００７４】
布地コンディショニング化合物又は化合物は、カチオン性、非イオン性、両性及び／又はアニオン性の布地コンディショニング化合物から選択することができる。カチオン性及び／又は非イオン性コンディショニング化合物が好ましいのは、乾燥機内で布地に適用した場合に、これらが有効な布地柔軟化及び／又は静電防止上の有益性並びに／又はケア上の有益性を提供できるためである。これらの化合物は、乾燥機内で布地に送達される場合に、臭気／フレッシュニング成分及び有益性の送達も補助する。
【００７５】
カチオン性布地コンディショニング化合物
代表的なカチオン性布地コンディショニング化合物としては、四級アンモニウム布地コンディショニング活性物質が挙げられ、最もよく使用されてきたのがジ（長鎖アルキル）ジメチルアンモニウム（Ｃ１〜Ｃ４アルキル）サルフェート又はクロリド、好ましくはメチルサルフェートであった。四級布地コンディショニング化合物としては、以下が挙げられる。
【００７６】
ＤＴＤＭＡＭＳ
ジパルミチルジメチルアンモニウムメチルサルフェート
ジステアリルジメチルアンモニウムメチルサルフェート、
ジオレイルジメチルアンモニウムメチルサルフェート、
ジ（タローイル）ジメチルアンモニウムメチルサルフェート（ＤＴＤＭＡＭＳ）、
ジ（水素添加タローイル）ジメチルアンモニウムメチルサルフェート、
ジ（Ｃ１２〜１６アルキル）ジメチルアンモニウムメチルサルフェート、
【００７７】
ＭＴＤＭＡＭＳ
パルモイルトリメチルアンモニウムメチルサルフェート
ステアロイルトリメチルアンモニウムメチルサルフェート
オレイルトリメチルアンモニウムメチルサルフェート
タローイルトリメチルアンモニウムメチルサルフェート
（水素添加タローイル）トリメチルアンモニウムメチルサルフェート、
（Ｃ１２〜１６アルキル）トリメチルアンモニウムメチルサルフェート
【００７８】
その他、非生分解性
ジ（水素添加タローイル）ジメチルアンモニウムクロリド（ＤＴＤＭＡＣ）、
ステアリルベンジルジメチルアンモニウムメチルサルフェート、
ジタローアルキルイミダゾリウムメチルサルフェート。
【００７９】
現在好ましい化合物は、より環境に優しい物質であり、伝統的に使用されているジ（長鎖アルキル）ジメチルアンモニウムメチルサルフェートの代わりとなる、急速生分解性四級アンモニウム化合物である。このような四級アンモニウム化合物は、カルボキシ基などの官能基に割り込まれた長鎖アルキル（アルケニル）基を含有することができる。
【００８０】
好ましい布地コンディショニング化合物は、エステル四級アンモニウム化合物（ＥＱＡ）、そのエステルアミン前駆体及びこれらの混合物である。「そのアミン前駆体」とは、上の四級アンモニウム化合物に相当する二級又は三級アミンを意味する。
【００８１】
好ましい化合物は、ジエステル四級アンモニウム塩（ＤＥＱＡ）であると考えられる。ＤＥＱＡの少なくとも約２５％がジエステル形であり、０％〜約４０％、好ましくは約３０％未満、より好ましく約２０％未満がＥＱＡモノエステルであることができる（本明細書で使用する場合、ジエステルが明記されるとき、それには通常、モノエステルが存在していることを含む。静電防止上の有益性を最適にするには、モノエステルのパーセンテージは可能な限り低い、好ましくは約２．５％未満であるべきである。存在するモノエステルの濃度は、ＥＱＡの製造において制御することができる。
【００８２】
完全飽和アシル基を用いて調製したＥＱＡ化合物は優れた柔軟剤である。しかしある条件が満たされると、少なくとも部分飽和アシル基を用いて調製した化合物が、利点を有し（すなわち静電防止上の有益性）、消費者製品として大いに許容されることが今や見出されている。不飽和アシル基を使用することの有益性を得るために調整する必要のある変数としては、脂肪酸のヨウ素価、脂肪酸出発物質の臭気及び／又はＥＱＡが挙げられる。以下でヨウ素価の値というときは、脂肪アシル基のヨウ素価を示し、得られたＥＱＡ化合物は示さない。
【００８３】
いくつかの非常に望ましい、ただちに入手できる脂肪酸源、例えばタローは、未処理のタローを最終ＥＱＡに変換する化学的及び機械的処理工程にかかわらず、化合物ＥＱＡと共に残存する臭気を有する。このような源は、当分野で周知であるように、例えば吸収、蒸留（蒸気ストリッピングなどのストリッピングを含む）などによって脱臭する必要がある。加えて、酸化防止剤、抗菌剤などを添加することによって、得られた脂肪アシル基の酸素及び／又は細菌への接触を最小限に抑えるように配慮する必要がある。
【００８４】
一般に、多価不飽和を低減し、ヨウ素価を低下させて良好な色及び臭気安定性を確保するための脂肪酸の水素添加によって、分子中に高度のトランス配置がもたらされる。したがって、低いヨウ素価値を有する脂肪アシル基から誘導されたジエステル化合物は、完全水素添加脂肪酸と約３〜約６０のヨウ素価を与える比の接触水素添加脂肪酸で混合することによって調製できる。接触硬化脂肪酸の多価不飽和含有率は、約５％未満、好ましくは約１％未満であるべきである。接触硬化中に、シス／トランス異性体重量比は、最適な混合、特定の触媒の使用、高い可用性の提供などの当分野で公知の方法によって制御される。
【００８５】
溶融貯蔵でのジエステル四級化合物の良好な化学安定性のために、原材料中の水濃度は、好ましくは約８％未満、より好ましく約５％未満まで最小化する必要があることも見出されている。貯蔵温度は、理想的には約４５℃〜約７０℃の範囲において、可能な限り低く維持して、なお流体物質を維持すべきである。安定性及び流動性のための最適貯蔵温度は、ジエステル四級を調製するために使用する脂肪酸の特定のヨウ素価及び選択した溶媒の濃度／種類によって変わる。また、酸素への暴露を最小限に抑えて不飽和基の酸化を防止すべきである。したがって、例えば窒素ブランケットなどの低酸素雰囲気下で物質を貯蔵することが重要であり得る。製造業務での物質の通常の輸送／貯蔵／取り扱いにおいて著しく分解しない、商業的に実現可能な原材料を提供するために、良好な溶融貯蔵安定性を備えていることが重要である。
【００８６】
本明細書の布地柔軟化組成物で使用するために好適なＥＱＡ化合物の具体例は、１，２−ビス（タローイルオキシ）−３−トリメチルアンモニオプロパンメチルサルフェート（ＤＴＴＭＡＰＭＳ）。
【００８７】
好適なＥＱＡ化合物の他の例は、例えば上の化合物中の「タローイル」を例えばココイル、ラウリル、オレイル、ステアリル、パルミチルなどによって置き換えること、上記の化合物中の「メチル」をエチル、プロピル、イソプロピル、ブチル、イソブチル、ｔ−ブチル若しくはこれらのラジカルによって置換されたヒドロキシによって置き換えること及び／又は上記の化合物中の「メチルサルフェート」をクロリド、エチルサルフェート、ブロミド、ホルメート、サルフェート、ラクテート、ニトレートによって置き換えることによって得られるが、メチルサルフェートが好ましい。好適なＥＱＡ化合物の別の例は、Ｎ−２−ヒドロキシエチルアンモニウムメチルサルフェートである。好ましい化合物は、Ｎ−メチル、Ｎ，Ｎ−ジ−（２−オレイルオキシエチル）Ｎ−２−ヒドロキシエチルアンモニウムメチルサルフェートである。
【００８８】
好適な化合物の別の例は、メチルビス（オレイルアミドエチル）２−ヒドロキシエチルアンモニウムメチルサルフェートである。
【００８９】
本明細書の化合物は、ただちに入手可能な出発物質を使用して、標準エステル化及び四級化反応によって調製できる。一般的な調製方法は、参照により本明細書に組み込まれる、米国特許第４，１３７，１８０号に開示されている。
【００９０】
ＥＱＡ化合物の具体例としては、
ジ（タローイルオキシエチル）ジメチルアンモニウムメチルサルフェート、
（タローイル）ヒドロキシエチルジメチルアンモニウムメチルサルフェート、
ジ（タローイルヒドロキシエチル）メチルアンモニウムメチルサルフェート、
タローイル（ジヒドロキシエチル）メチルアンモニウムメチルサルフェート、
トリ（タローイルヒドロキシエチル）アンモニウムメチルサルフェート
（２−タローイルアミドエチル）−２−タローイルイミダゾリウムメチルサルフェート及び
Ｎ−（タローイルオキシエチル）−Ｎ−（タローイル）−Ｎ，Ｎ−ジメチル−アンモニウムメチルサルフェート、
メチルビス（オレイルアミドエチル）２−ヒドロキシエチルアンモニウムメチルサルフェート、
１，２−ビス（タローイルオキシエチル）−３，３，３−トリメチルアンモニオプロパンメチルサルフェート（ＤＴＴＭＡＰＭＳ）、並びに
上記の物質のいずれかの混合物が挙げられる。
【００９１】
特に好ましいのはＮ，Ｎ−ジ（タローイルオキシエチル）−Ｎ，Ｎ−ジメチルアンモニウムメチルサルフェートであり、タロー鎖は完全水素添加されているか、又は部分飽和されている。
【００９２】
好適な化合物の他の例は、例えば上記の化合物の「タローイル」を例えばココイル、ラウロイル、オレオイル、ステアロイル、パルミトイルなどによって置き換えることにより得ることができ、脂肪アシル鎖は完全飽和されているか、又は好ましくは少なくとも部分飽和されている。脂肪アシル鎖は、天然源若しくは精製源から混合又は１種以上の源からブレンドされ得て、上記の化合物中の「メチル」をエチル、プロピル、イソプロピル、ブチル、イソブチル、ｔ−ブチル若しくはこれらのラジカルによって置換されたヒドロキシによって置き換えて、及び／又は上記の化合物中の「メチルサルフェート」をクロリド、エチルサルフェート、ブロミド、ホルメート、サルフェート、ラクテート、二ニトレートによって置き換えるが、メチルサルフェートが好ましい。
【００９３】
アシル鎖混合物の付保環の濃度は、対応する脂肪酸のヨウ素価（ＩＶ）によって測定できるが、この場合は好ましくは５〜１００の範囲であるべきである。
【００９４】
三級アミン及びその塩
本発明の物品で有用な布地コンディショニング活性物質は、三級アミン及び／又はエステルアミンのカルボン酸塩であり、前記物質は約３５℃〜約１００℃の熱軟化点を有する。
【００９５】
この構成成分は、一級アミン又はアンモニウム化合物を単独の布地コンディショニング剤として利用する同様の物品と比較して、優れた臭気及び／又は改善された布地柔軟化性能を提供することができる。静電気制御性能のために好ましい三級アミンは、不飽和を含有するもの、例えばオレイルジメチルアミン及び／又はソフトタロージメチルアミンである。三級アミンを形成するためのアミンとカルボン酸との間の反応の出発物質として好ましい三級アミンの例は、ラウリルジメチルアミン、ミリスチルジメチルアミン、ステアリルジメチルアミン、タロージメチルアミン、ココナッツジメチルアミン、ジラウリルメチルアミン、ジステアリルメチルアミン、ジタローメチルアミン、オレイルジメチルアミン、ジオレイルメチルアミン、ジラウリルジ（３−ヒドロキシプロピル）アミン、ステアリルジ（２−ヒドロキシエチル）アミン、トリジラウリルアミン、ジラウリルエチルメチルアミンであり、
出発物質としての具体的なカルボン酸の例は、ギ酸、酢酸、ラウリン酸、ミリスチン酸、パルミチン酸、ステアリン酸、オレイン酸、シュウ酸、アジピン酸、１２−ヒドロキシステアリン酸、安息香酸、４−ヒドロキシ安息香酸、３−クロロ安息香酸、４−ニトロ安息香酸、４−エチル安息香酸、４−（２−クロロエチル）安息香酸、フェニル酢酸、（４−クロロフェニル）酢酸、（４−ヒドロキシフェニル）酢酸及びフタル酸である。好ましいカルボン酸は、ステアリン酸、オレイン酸、ステアリン酸、オレイン酸、ラウリン酸、ミリスチン酸、パルミチン酸及びこれらの混合物である。アミン塩は、当分野で周知であり、参照により本明細書に組み込まれる、米国特許第４，２３７，１５５号（Ｋａｒｄｏｕｃｈｅ、１９８０年１２月２日発行）に開示されている、簡単な付加反応によって形成できる。過剰濃度の遊離アミンは臭気問題を生じることがあり、一般に遊離アミンは、アミン塩よりも不十分な柔軟性能を提供する。アミン塩を形成するためにそれぞれ使用されるアミン及び酸は、単一の鎖長というより、混合鎖長であることが多いのは、これらの物質が通常、天然油脂から誘導されるか、又は合成処理され、これにより混合した鎖長が生じる。また、柔軟化組成物の物理的特徴又は性能特徴を調節するために、異なる鎖長の混合物の利用が望ましいことが多い。
【００９６】
本発明で使用するための具体的な好ましいアミン塩は、オレイルジメチルアミンステアレート、ステアリルジメチルアミンステアレート、ステアリルジメチルアミンミリステート、ステアリルジメチルアミンオレアート、ステアリルジメチルアミンパルミテート、ジステアリルメチルアミンパルミテート、ジステアリルメチルアミンラウレート及びこれらの混合物である。特に好ましい混合物は、１：１０〜１０：１、好ましくは約１：１の比のオレイルジメチルアミンステアレート及びジステアリルメチルアミンミリステートである。
【００９７】
非イオン性柔軟化活性物質
本発明でまた用いることができる柔軟化活性物質は、非イオン性布地柔軟剤物質である。このような非イオン性布地柔軟剤物質は、典型的には約２〜約９、より典型的には約３〜約７のＨＬＢを有する。一般に、選択した物質は、比較的結晶性であり、より高温で溶融する（例えば＞２５℃）。固形組成物中の任意の非イオン性柔軟剤の濃度は、典型的に約０．１％〜約５０％、好ましくは約５％〜約３０％である。好ましい非イオン性柔軟剤は多価アルコール又はその無水物の脂肪酸部分エステルであり、前記アルコール又は無水物は約２〜約１８の、好ましくは約２〜約８の炭素原子を含有し、各脂肪酸部分は約８〜約３０個の、好ましくは約１２〜約２０個の炭素原子を含有する。典型的にこのような柔軟剤は、１分子に付き約１〜約３個の、好ましくは約２個の脂肪酸基を含有する。エステルの多価アルコール部分は、エチレングリコール、グリセロール、ポリ（例えばジ−、トリ−、テトラ、ペンタ−及び／又はヘキサ−）グリセロール、キシリトール、スクロース、エリスリトール、ペンタエリスリトール、ソルビトール又はソルビタンであることができる。エステルの脂肪酸部分は通常、約８〜約３０個の、好ましくは約１２〜約２２個の炭素原子を有する脂肪酸から誘導される。前記脂肪酸の典型的な例は、ミリスチン酸、パルミチン酸、ステアリン酸、オレイン酸及びベヘン酸である。本発明で使用するための非常に好ましい任意の非イオン性柔軟剤は、Ｃ１０〜Ｃ２６アシルソルビタンエステル及びポリグリセロールモノステアレートである。ソルビタンエステルは、ソルビトールのエステル化脱水生成物である。好ましいソルビタンエステルは、Ｃ１０〜Ｃ２６アシルソルビタンモノエステル及びＣ１０〜Ｃ２６アシルソルビタンジエステル並びに前記エステルのエトキシレートからなる群から選択され、前記エステル中の１個以上の非エステル化ヒドロキシル基は、約１〜約６個のオキシエチレン単位及びこれらの混合物を含有する。本発明の目的のために、不飽和を含有するソルビタンエステル（例えばソルビタンモノオレアート）を利用できる。グルコースの触媒水素添加によって典型的に調製されるソルビトール周知の方法で脱水して、１，４−及び１，５−ソルビトール無水物の混合物並びに少量のイソソルビドを形成することができる。
【００９８】
本明細書で用いるタイプの好ましいソルビタン柔軟剤は、「ソルビタン」混合物を標準方法で、例えば脂肪酸ハライド、脂肪酸エステル及び／又は脂肪酸との反応によって、脂肪アシル基によってエステル化することによって調製できる。エステル化反応は利用可能なヒドロキシル基のいずれにおいても起こり得て、様々なモノ−、ジ−などのエステルを調製することができる。実際にモノ−、ジ−、トリ−などのエステルの混合物は、このような反応からほぼ常に生じ、反応物質の化学量論比は、所望の反応生成物に好都合となるように簡単に調製できる。
【００９９】
本明細書の好ましいソルビタンエステルのある誘導体、とりわけその「低級」エトキシレート（すなわち非エステル化−ＯＨ基の１個以上が１〜約２０個のオキシエチレン部分を含有するモノ−、ジ−及びトリ−エステル（ツイン（登録商標））も、本発明の組成物中で有用である。したがって、用語「ソルビタンエステル」は、このような誘導体を含むものとする。本発明の目的のために、かなりの量のジ−及びトリ−ソルビタンエステルがエステル混合物中に存在することが好ましい。約２０〜５０％のモノエステル、約２５〜５０％のジエステル並びに約１０〜３５％のトリエステル及びテトラエステルを有するエステル混合物が好ましい。ソルビタンモノエステルとして市販されている物質（例えばモノステアレート）は典型的に、かなりの量のジエステル及びトリエステルを含有する。市販のソルビタンモノステアレートの典型的な分析により、約２７％のモノエステル、約３２％のジエステル並びに約３０％のトリエステル及びテトラエステルを含み、したがって好ましい物質であることが示される。１０：１〜１：１０で変化するステアレート／パルミテート重量比を有するソルビタンステアレートとソルビタンパルミテートとの混合物及び１，５−ソルビタンエステルも有用である。加えて、１，４−ソルビタンエステル及び１，５−ソルビタンエステルはどちらも本明細書で有用である。
【０１００】
本明細書の柔軟化組成物で使用するための他の有用なアルキルソルビタンエステルは、ソルビタンモノラウレート、ソルビタンモノミリステート、ソルビタンモノパルミテート、ソルビタンモノベヘネート、ソルビタンモノオレアート、ソルビタンジラウレート、ソルビタンジミリステート、ソルビタンジパルミテート、ソルビタンジステアレート、ソルビタンジベヘネート、ソルビタンジオレアート及びこれらの混合物並びにタローアルキルソルビタンモノエステル及びジエステルが挙げられる。このような混合物は、簡単なエステル化反応において、上述のヒドロキシ置換ソルビタン、特に１，４−及び１，５−ソルビタンを対応する酸、エステル又は酸塩化物と反応させることによってただちに調製される。もちろん、このように調製された市販の物質が小さい割合の非環化ソルビトール、脂肪酸、ポリマー、イソソルビド構造などを通常含有する混合物を含むことが認識されるはずである。本発明において、このような不純物が実用可能な限り低い濃度で存在することが好ましい。本明細書で用いる好ましいソルビタンエステルは、約１５重量％までのＣ２０〜Ｃ２６のエステル及び高級脂肪酸並びに少量のＣ８及び低級脂肪エステルを含有する。グリセロール及びポリグリセロールエステル、とりわけグリセロール、ジグリセロール、トリグリセロール及びポリグリセロールモノエステル及び／又はジエステル、好ましくはモノエステルも本明細書で好ましい（例えば商標名Ｒａｄｉａｓｕｒｆ  ７２４８のポリグリセロールモノステアレート）。グリセロールエステルは、天然型トリグリセリドから通常の抽出、精製及び／若しくはエステル交換方法によって、又はソルビタンエステルについて上述したタイプのエステル化方法によって調製することができる。グリセリンの部分エステルもエトキシル化して、用語「グリセロールエステル」に含まれる有用な誘導体を形成することができる。有用なグリセロール及びポリグリセロールエステルとしては、ステアリン酸、オレイン酸、パルミチン酸、ラウリン酸、イソステアリン酸、ミリスチン酸及び／又はベヘン酸とのモノエステル並びにステアリン酸、オレイン酸、パルミチン酸、ラウリン酸、イソステアリン酸、ベヘン酸及び／又はミリスチン酸のジエステルが挙げられる。典型的なモノエステルがいくつかのジエステル及びトリエステルを含有することが理解される。「グリセロールエステル」はポリグリセロール、例えばオクタグリセロールエステルによるジグリセロールも含む。ポリグリセロールポリオールは、グリセリン又はエピクロロヒドリンを共に縮合して、グリセロール部分をエーテル結合によって結合することによって形成される。ポリグリセロールポリオールのモノエステル及び／又はジエステルが好ましく、脂肪アシル基は典型的に、ソルビタン及びグリセロールエステルについて上で説明したものである。
【０１０１】
アルカノールアミド
アルカノールアミドも好適である。
【０１０２】
脂肪酸
本発明の物品中の布地コンディショニング活性物質は、１種以上の脂肪酸をさらに含んでよい。典型的に、脂肪酸は組成物の加工性を改善するために存在し、とりわけ高い粘度の結果として加工が困難であるいずれの１種以上の物質と混合される。脂肪酸は、布地コンディショニング組成物の柔軟化又は静電防止性能を損なうことなく、粘度及び／又は加工性の改善を提供する。好ましい脂肪酸は、約８〜約３０個の炭素原子、より好ましくは約１１〜約１８個の炭素原子の長鎖非置換アルケニル基を含有するものである。具体的なカルボン酸の例は、オレイン酸、リノレン酸及びこれらの混合物である。不飽和脂肪酸が好ましいが、不飽和脂肪酸をステアリン酸、パルミチン酸及び／又はラウリン酸などの飽和脂肪酸と組み合わせて使用することができる。好ましいカルボン酸はオレイン酸、リノレン酸、タロー脂肪酸及びこれらの混合物である。
【０１０３】
別のタイプの好ましい柔軟剤は、少なくとも２０個の炭素原子を含有する高分子量脂肪酸である。これらの脂肪酸は、四級柔軟剤活性物質と組み合わせて、又は脂肪酸三級アミン塩の一部として、又は遊離脂肪酸と脂肪酸三級アミン塩との混合物として使用できる。脂肪酸は通常、より高い溶融範囲を有するので、必要な場合は柔軟剤組成物全体の溶融範囲を上昇させるために使用できる。本発明で有用な高分子量脂肪酸の非限定的な例は、アラキドン酸（Ｃ２０、エイコサン酸）、ドコサン酸（Ｃ２２、ベヘン酸）、テトラコサン酸（Ｃ２４、リグノセリン酸）、トリアコンタン酸（Ｃ３０、メリシン酸）及びこれらの混合物である。ベヘン酸、アラキドン酸及びこれらの混合物が好ましい。ベヘン酸が最も好ましい。
【０１０４】
好ましくは、脂肪酸を上記のような式ＩＩ、ＩＩＩ及び／又はＩＶの生分解性四級アンモニウム化合物を形成するために使用される四級化反応混合物に添加して、反応混合物の粘度を約１５００ｃｐｓ未満、好ましくは約１０００ｃｐｓ未満、より好ましくは約８００ｃｐｓ未満まで低下させる。添加した脂肪酸の溶媒濃度は、約５％〜約３０％、好ましくは約１０％〜約２５％、より好ましく約１０％〜約２０％である。不飽和脂肪酸は、四級化反応の開始前に、好ましくは四級化反応の間に、四級化の濃度上昇と共に上昇する粘度を低下させる必要がある場合に添加することができる。好ましくは生成物の少なくとも約６０％が四級化される場合に、添加を行う。これにより、四級化剤が脂肪酸と反応する場合に起こり得る副反応を最小限に抑えながら、処理のための低い粘度が与えられる。得られた四級化生分解性布地柔軟化活性物質は、不飽和脂肪酸を除去せずに使用可能であり、実際に混合物がより流動性であり、取り扱いがより容易であるために、より有用である。
【０１０５】
コーティングミックス
一実施形態では、コートミックスは、低濃度の水を含む。コートミックスに水を添加しすぎると、コートミックスが固化又はゲル化することがある。これにより、相変化したコートミックスが管を目詰まりさせ得るか、又は加工のために所望の流動特性を有さないために、製造方法における問題を生じる。一実施形態では、コートミックスは、コートミックスの約１０重量％未満の、又は約９重量％未満の、又は８重量％の、又は７重量％の、又は６重量％の、又は５重量％の、又は４重量％の、又は３重量％の、又は２重量％の、又は１重量％の、又は０．５重量％の、又は約０．１重量％の水を含む。又はコートミックスは、コートミックスの少なくとも約０．００１重量％の水を含んでよい。又は、コートミックスは水を含まない、又は実質的に含まない。
【０１０６】
追加の好適な布地柔軟化活性物質
本明細書で開示する流体布地増強組成物は、布地柔軟化活性物質（「ＦＳＡ」）を含む。好適な布地柔軟化活性物質としては、四級アンモニウム化合物、アミン、脂肪エステル、ショ糖エステル、シリコーン、分散性ポリオレフィン、粘土、多糖、脂肪酸、柔軟化油、ポリマーラテックス類及びこれらの混合物からなる群から選択される物質が挙げられるが、これらに限定されない。
【０１０７】
水不溶性布地ケア有益剤類の非限定例として、分散性ポリエチレン及びポリマーラテックス類が挙げられる。これらの剤は、エマルション類、ラテックス類、分散液類、懸濁液類などの形態であることができる。一態様では、これらはエマルション又はラテックスの形態である。分散性ポリエチレン及びポリマーラテックス類は、これに限定されるわけではないが、約１ｎｍ〜約１００μｍ、又は約１０ｎｍ〜約１０μｍの広範囲の粒径を有する；の広範囲の粒径（χ５０）を有することができる。このように、分散性ポリエチレン類及びポリマーラテックス類の粒径は、一般にシリコーン類又は他の脂肪族油類よりも小さいが、これらに制限されない。
【０１０８】
一般に、本発明の水不溶性布地ケア有益剤を製造するには、ポリマーエマルションの製造又はポリマーラテックスのエマルション重合に適したどの界面活性剤も使用することができる。好適な界面活性剤は、ポリマーエマルション及びラテックス類のための乳化剤、ポリマー分散液のための分散剤及びポリマー懸濁液のための懸濁剤からなる。好適な界面活性剤には、アニオン性、カチオン性、及び非イオン性界面活性剤、又はこれらの組み合わせが含まれる。一態様では、このような界面活性剤は、非イオン性及び／又はアニオン性界面活性剤である。一態様では、水不溶性布地ケア有益剤中の界面活性剤のポリマーに対する比は、それぞれ約１：１００〜約１：２、又は約１：５０〜約１：５である。好適な溶性布地ケア有益剤は、以下に記載する例を含むが、これらに限定されない。
【０１０９】
四級アンモニウム化合物（quat）−好適な四級アンモニウム化合物としては、エステル四級アンモニウム化合物、アミン四級アンモニウム化合物、イミダゾリン四級アンモニウム化合物、アルキル四級アンモニウム化合物、アミドエステル四級アンモニウム化合物及びこれらの混合物からなる群から選択される物質が挙げられるが、これらに限定されない。好適なエステル四級アンモニウム化合物としては、モノエステル四級アンモニウム化合物、ジエステル四級アンモニウム化合物、トリエステル四級アンモニウム化合物及びこれらの混合物からなる群から選択される物質が挙げられるが、これらに限定されない。一態様では、好適なエステル四級アンモニウム化合物は、１．８５〜１．９９のアミン部分に対する脂肪酸部分のモル比と、１６〜１８個の炭素原子の脂肪酸部分の平均鎖長と、０〜１４０、好ましくは５〜１００の、より好ましく１０〜８０、またより好ましく１５〜７０、又はより好ましく１８〜５５、最も好ましくは１８〜２５のヨウ素価を有する遊離脂肪酸について計算された脂肪酸部分のヨウ素価とを有するビス−（２−ヒドロキシプロピル）−ジメチルアンモニウムメチルサルフェート脂肪酸エステルである。ソフトタロー四級アンモニウム化合物柔軟剤を使用する場合、最も好ましくは、範囲は２５〜６０である。一態様では、ビス（２ヒドロキシプロピル）−ジメチルアンモニウムメチルサルフェート脂肪酸エステルの不飽和脂肪酸部分の二重結合のシス−トランス比はそれぞれ、５５：４５〜７５：２５である。好適なアミド四級アンモニウム化合物としては、モノアミド第四級アンモニウム化合物、ジアミド第四級アンモニウム化合物及びこれらの混合物からなる群から選択される物質が挙げられるが、これらに限定されない。好適なアルキル四級アンモニウム化合物としては、モノアルキル四級アンモニウム化合物、ジアルキル四級アンモニウム化合物、トリアルキル四級アンモニウム化合物、テトラアルキル四級アンモニウム化合物及びこれらの混合物からなる群から選択される物質が挙げられるが、これらに限定されない。
【０１１０】
アミン−好適なアミンとしては、アミドエステルアミン、アミドアミン、イミダゾリンアミン、アルキルアミン、アミドエステルアミン及びこれらの混合物からなる群から選択される物質が挙げられるが、これらに限定されない。好適なエステルアミンとしては、モノエステルアミン、ジエステルアミン、トリエステルアミン及びこれらの混合物からなる群から選択される物質が挙げられるが、これらに限定されない。好適なアミド四級アンモニウム化合物としては、モノアミドアミン、ジアミドアミン及びこれらの混合物からなる群から選択される物質が挙げられるが、これらに限定されない。好適なアルキルアミンとしては、モノアルキルアミン、ジアルキルアミン四級アンモニウム化合物、トリアルキルアミン及びこれらの混合物からなる群から選択される物質が挙げられるが、これらに限定されない。
【０１１１】
一実施形態では、布地柔軟化活性物質は、すすぎ工程での布地の柔軟化に好適な四級アンモニウム化合物である。一実施形態では、布地柔軟化活性物質は、脂肪酸とアミノアルコールの反応生成物から形成され、これはモノエステル化合物、ジエステル化合物の、一実施形態では、トリエステル化合物の混合物を生じる。別の実施形態では、布地柔軟化活性物質は、モノアルキル四級アンモニウム化合物、ジアルキル四級アンモニウム化合物、ジアミド四級化合物、ジエステル四級アンモニウム化合物又はこれらの組み合わせなどであるがこれらに限定されない、１種以上の柔軟剤四級アンモニウム化合物を含む。
【０１１２】
一態様では、布地柔軟化活性物質は、ジエステル四級アンモニウム又はプロトン化ジエステルアンモニウム（以下、「ＤＱＡ」）化合物の組成物を含む。本発明のある実施形態では、ＤＱＡ化合物の組成物は、混合アミド及びエステル連鎖並びに前述のジエステル連鎖を有するジアミド布地柔軟化活性物質及び布地柔軟化活性物質も包含し、これらのすべてを本明細書ではＤＱＡと称する。
【０１１３】
一態様では、前記布地柔軟化活性物質は主要な活性物質として、次式の化合物を含み得る：
｛Ｒ４−ｍ−Ｎ＋−［Ｘ−Ｙ−Ｒ１］ｍ｝Ｘ−          （１）
式中、各Ｒ、水素、短鎖Ｃ１〜Ｃ６、一態様ではＣ１〜Ｃ３アルキル又はヒドロキシアルキル基、例えばメチル、エチル、プロピル、ヒドロキシエチルなど、ポリ（Ｃ２〜３アルキルオキシ）、ポリエトキシ、ベンジル又はこれら混合物のいずれかであり、各Ｘは独立して、（ＣＨ２）ｎ、ＣＨ２−ＣＨ（ＣＨ３）−又はＣＨ−（ＣＨ３）−ＣＨ２−であり、各Ｙは、−Ｏ−（Ｏ）Ｃ−、−Ｃ（Ｏ）−Ｏ−、−ＮＲ−Ｃ（Ｏ）−又は−Ｃ（Ｏ）−ＮＲ−であり、各ｍは２又は３であり、各ｎは１〜約４であり、一態様では２であり、各Ｒ１の炭素の和は、Ｙが−Ｏ−（Ｏ）Ｃ−又は−ＮＲ−Ｃ（Ｏ）−である場合にはプラス１であるが、Ｃ１２〜Ｃ２２又はＣ１４〜Ｃ２０であってよく、各Ｒ１はヒドロカルビル基又は置換ヒドロカルビル基であり、Ｘ−は、いずれの柔軟剤相溶性アニオンも含み得る。一態様では、柔軟剤に相溶性のあるアニオンは、塩化物、臭化物、硫酸メチル、硫酸エチル、硫酸及び硝酸を含み得る。別の態様では、柔軟剤に相溶性のあるアニオンは、塩化物又は硫酸メチルを含み得る。
【０１１４】
別の態様では、布地柔軟化活性物質は、以下の一般式を含み得る：
［Ｒ３Ｎ＋ＣＨ２ＣＨ（ＹＲ１）（ＣＨ２ＹＲ１）］Ｘ−
式中、各Ｙ、Ｒ、Ｒ１及びＸ−は、前記と同じ意味を有する。このような化合物には、次式を有するものが挙げられる：
［ＣＨ３］３Ｎ（＋）［ＣＨ２ＣＨ（ＣＨ２Ｏ（Ｏ）ＣＲ１）Ｏ（Ｏ）ＣＲ１］Ｃｌ（−）      （２）
式中、各Ｒは、メチル又はエチル基を含み得る。一態様では、各Ｒ１は、Ｃ１５〜Ｃ１９基を含んでもよい。本明細書で使用するとき、ジエステルが明記される場合、それは存在するモノエステルを包含することができる。
【０１１５】
これらの種類の作用剤及びこれらの一般的な製造方法は、米国特許第４，１３７，１８０号に開示されている。好適なＤＥＱＡ（２）の例は、式１，２−ジ（アシルオキシ）−３−トリメチルアンモニオプロパンクロリドを含む「プロピル」エステル四級アンモニウム布地柔軟剤活性物質である。
【０１１６】
第３のタイプの有用な布地柔軟化活性物質は、次式を有する：
［Ｒ４−ｍ−Ｎ＋−Ｒ１ｍ］Ｘ−              （３）
各Ｒ、Ｒ１、ｍ及びＸ−は、上記と同じ意味を有する。
【０１１７】
更なる態様では、布地柔軟化活性物質は、次の式を含み得る：
【０１１８】
【化１】
2017531468.tif 000046
式中、各Ｒ、Ｒ１及びＡ−は、上記で与えた定義を有し、Ｒ２は、Ｃ１〜６アルキレン基を、一態様ではエチレン基を含み得て、Ｇは、酸素原子又は−ＮＲ−基を含み得る。
【０１１９】
更なる態様では、布地柔軟化活性物質は、次の式を含み得る：
【０１２０】
【化２】
2017531468.tif 000047
式中、Ｒ１、Ｒ２及びＧは、上記のように定義される。
【０１２１】
更なる態様では、布地柔軟化活性物質は、脂肪酸とジアルキレントリアミンとの例えば分子量比約２：１の縮合反応生成物を含み得、この反応生成物は次式の化合物を含有する：
Ｒ１−Ｃ（Ｏ）−ＮＨ−Ｒ２−ＮＨ−Ｒ３−ＮＨ−Ｃ（Ｏ）−Ｒ１        （６）
式中、Ｒ１、Ｒ２は、上記のように定義され、Ｒ３はＣ１〜６アルキレン基を、一態様ではエチレン基を含み得て、反応生成物は任意で硫酸ジメチルなどのアルキル化剤の添加によって四級化され得る。このような四級化反応生成物は、米国特許第５，２９６，６２２号に更なる詳細が記載されている。
【０１２２】
更なる態様では、布地柔軟化活性物質は、次の式を含み得る：
［Ｒ１−Ｃ（Ｏ）−ＮＲ−Ｒ２−Ｎ（Ｒ）２−Ｒ３−ＮＲ−Ｃ（Ｏ）−Ｒ１］＋Ａ−      （７）
式中、Ｒ、Ｒ１、Ｒ２、Ｒ３及びＡ−は、上記のように定義される。
【０１２３】
更なる態様では、布地柔軟化活性物質は、脂肪酸とヒドロキシアルキルアルキレンジアミンとの分子量比約２：１の縮合反応生成物を含み得、この反応生成物は次式の化合物を含有する：
Ｒ１−Ｃ（Ｏ）−ＮＨ−Ｒ２−Ｎ（Ｒ３ＯＨ）−Ｃ（Ｏ）−Ｒ１      （８）
式中、Ｒ１、Ｒ２及びＲ３は、上記のように定義される。
【０１２４】
更なる態様では、布地柔軟化活性物質は、次の式を含み得る：
【０１２５】
【化３】
2017531468.tif 000048
式中、Ｒ、Ｒ１、Ｒ２及びＡ−は、上記のように定義される。
【０１２６】
更なる態様では、布地柔軟化活性物質は、次の式を含み得る：
【０１２７】
【化４】
2017531468.tif 000049
式中、
Ｘ１は、Ｃ２〜３アルキル基であり、一態様ではエチル基であり、
Ｘ２及びＸ３は独立して、Ｃ１〜６直鎖又は分枝鎖アルキル又はアルケニル基であり、一態様では、メチル、エチル又はイソプロピル基であり、
Ｒ１及びＲ２は独立して、Ｃ８〜２２直鎖又は分枝鎖アルキル又はアルケニル基であり、
Ａ及びＢが、独立して、−Ｏ−（Ｃ＝Ｏ）−、−（Ｃ＝Ｏ）−Ｏ−及びこれらの混合物からなる群から選択され、一態様では−Ｏ−（Ｃ＝Ｏ）−であることを特徴とする。
【０１２８】
式（１）を有する布地柔軟化活性物質の非限定例は、Ｎ，Ｎ−ビス（ステアロイル−オキシ−エチル）−Ｎ，Ｎ−ジメチルアンモニウムクロリド、Ｎ，Ｎ−ビス（タローイル−オキシ−エチル）−Ｎ，Ｎ−ジメチルアンモニウムクロリド、Ｎ，Ｎ−ビス（ステアロイル−オキシ−エチル）−Ｎ−（２ヒドロキシエチル）−Ｎ−メチルアンモニウムメチルサルフェートである。
【０１２９】
式（２）を有する布地柔軟化活性物質の非限定例は、１，２−ジ（ステアロイル−オキシ）−３−トリメチルアンモニウムプロパンクロリドである。
【０１３０】
式（３）を有する含む布地柔軟化活性物質の非限定例としては、ジアルキレンジメチルアンモニウム、例えばジカノーラジメチルアンモニウムクロリド、ジ（ハード）タロージメチルアンモニウムクロリド、ジカノーラジメチルアンモニウムメチルサルフェート及びこれらの混合物が挙げられる。本発明で使用可能な市販のジアルキレンジメチルアンモニウム塩の例は、Ｗｉｔｃｏ  Ｃｏｒｐｏｒａｔｉｏｎから商品名Ａｄｏｇｅｎ（登録商標）４７２として入手可能なジオレイルジメチルアンモニウムクロリド、及びＡｋｚｏ  Ｎｏｂｅｌ  Ａｒｑｕａｄ  ２ＨＴ７５から入手可能なジハードタロージメチルアンモニウムクロリドである。
【０１３１】
式（４）を有する布地柔軟化活性物質の非限定例は、１−メチル−１−ステアロイルアミドエチル−２−ステアロイルイミダゾリウムメチルサルフェートであり、式中、Ｒ１は非環式脂肪族Ｃ１５〜Ｃ１７炭化水素基であり、Ｒ２はエチレン基であり、ＧはＮＨ基であり、Ｒ５はメチル基であり、Ａ−はメチルサルフェートアニオンであり、Ｗｉｔｃｏ  Ｃｏｒｐｏｒａｔｉｏｎから商品名Ｖａｒｉｓｏｆｔ（登録商標）として市販されている。
【０１３２】
式（５）を有する布地柔軟化活性物質の非限定例は、１−タローイルアミドエチル−２−タローイルイミダゾリンであり、式中、Ｒ１は、非環式脂肪族Ｃ１５〜Ｃ１７炭化水素基であり、Ｒ２はエチレン基であり、ＧはＮＨ基である。
【０１３３】
式（６）を有する布地柔軟化活性物質の非限定例は、脂肪酸とジエチレントリアミンとの分子量比約２：１での反応生成物であり、上記反応生成物混合物は、次式のＮ，Ｎ”−ジアルキルジエチレントリアミンを含有する：
Ｒ１−Ｃ（Ｏ）−ＮＨ−ＣＨ２ＣＨ２−ＮＨ−ＣＨ２ＣＨ２−ＮＨ−Ｃ（Ｏ）−Ｒ１
式中、Ｒ１は、Ｈｅｎｋｅｌ  Ｃｏｒｐｏｒａｔｉｏｎから入手可能なＥｍｅｒｓｏｌ（登録商標）２２３ＬＬ又はＥｍｅｒｓｏｌ（登録商標）７０２１などの、植物又は動物を供給源として得られた市販の脂肪酸のアルキル基であり、Ｒ２及びＲ３は二価のエチレン基である。
【０１３４】
一態様では、前記脂肪酸は全体又は一部が、植物材料からの抽出、植物材料からの発酵によって再生可能源から得られ、及び／又は藻類若しくは酵母などの遺伝子修飾生物によって得られることがある。
【０１３５】
化合物（７）の非限定例は、次式を有するジ脂肪アミドアミン系柔軟仕上げ剤である：
［Ｒ１−Ｃ（Ｏ）−ＮＨ−ＣＨ２ＣＨ２−Ｎ（ＣＨ３）（ＣＨ２ＣＨ２ＯＨ）−ＣＨ２ＣＨ２−ＮＨ−Ｃ（Ｏ）−Ｒ１］＋ＣＨ３ＳＯ４−
式中、Ｒ１は、アルキル基である。このような化合物の例は、ＷｉｔＣｏ  Ｃｏｒｐｏｒａｔｉｏｎから商品名Ｖａｒｉｓｏｆｔ（登録商標）２２２ＬＴで市販されているものである。
【０１３６】
式（８）を有する布地柔軟化活性物質の例は、脂肪酸とＮ−２−ヒドロキシエチルエチレンジアミンとの分子量比約２：１での反応生成物であり、前記反応生成物混合物は、次式の化合物を含有する：
Ｒ１−Ｃ（Ｏ）−ＮＨ−ＣＨ２ＣＨ２−Ｎ（ＣＨ２ＣＨ２ＯＨ）−Ｃ（Ｏ）−Ｒ１
式中、Ｒ１−Ｃ（Ｏ）は、Ｈｅｎｋｅｌ  Ｃｏｒｐｏｒａｔｉｏｎから入手可能なＥｍｅｒｓｏｌ（登録商標）２２３ＬＬ又はＥｍｅｒｓｏｌ（登録商標）７０２１などの、植物又は動物供給源から誘導された市販の脂肪酸のアルキル基である。
【０１３７】
式（９）を有する布地柔軟化活性物質の例は、次式を有するジ四級化合物である：
【０１３８】
【化５】
2017531468.tif 000050
式中、Ｒ１は、脂肪酸から誘導される。このような化合物は、Ｗｉｔｃｏ  Ｃｏｍｐａｎｙから入手可能である。
【０１３９】
式（１０）を有する布地柔軟化活性物質の非限定例は、ジアルキルイミダゾリンジエステル化合物であり、この化合物は、Ｎ−（２−ヒドロキシエチル）−１，２−エチレンジアミン又はＮ−（２−ヒドロキシイソプロピル）−１，２−エチレンジアミンと、脂肪酸でエステル化されたグリコール酸との、反応生成物であり、脂肪酸は、（水素添加）タロー脂肪酸、ヤシ油脂肪酸、水素添加ヤシ油脂肪酸、オレイン酸、菜種油脂肪酸、水素添加菜種油脂肪酸又は上記のものの混合物である。
【０１４０】
上で開示される柔軟剤活性物質の組み合わせが、本発明で使用するのに好適であることが理解されよう。
【０１４１】
アニオンＡ
本明細書のカチオン性窒素系塩において、アニオンＡ−は柔軟剤に相溶性のある任意のアニオンを含み、電気的中性を提供する。ほとんどの場合、これらの塩において電気的中性を与えるために使用されるアニオンは、強酸由来のものであり、特に、塩化物、臭化物、又はヨウ化物のようなハロゲン化物由来のものである。しかし、硫酸メチル、硫酸エチル、酢酸、ギ酸、硫酸、炭酸、脂肪酸アニオン等の他のアニオンを使用することができる。一態様では、アニオンＡは、塩化物又は硫酸メチルを含んでもよい。一部の態様では、アニオンは、二重電荷を保有し得る。この態様では、Ａ−は、半分の基を表す。
【０１４２】
一実施形態では、布地柔軟剤は、以下：ジタローイルオキシエチルジメチルアンモニウムクロリド、ジ水素添加タローイルオキシエチルジメチルアンモニウムクロリド、ジタロージメチルアンモニウムクロリド、ジ水素添加タロージメチルアンモニウムクロリド、ジタローイルオキシエチルメチルヒドロキシエチルアンモニウムメチルサルフェート、ジ水素添加タローイルオキシエチルメチルヒドロキシエチルアンモニウムクロリド又はこれらの組み合わせの少なくとも１つから選択される。
【０１４３】
多糖類
本発明の一態様は、布地柔軟化活性物質としてカチオンデンプンを含む布地増強組成物を提供する。一実施形態では、本発明の布地ケア組成物は一般に、カチオンデンプンを組成物の約０．１重量％〜約７重量％、あるいは約０．１重量％〜約５重量％、あるいは約０．３重量％〜約３重量％、あるいは約０．５重量％〜約２．０重量％の濃度で含む。本組成物中での使用に好適なカチオンデンプンは、Ｃｅｒｅｓｔａｒから商品名Ｃ＊ＢＯＮＤ（登録商標）及びＮａｔｉｏｎａｌ  Ｓｔａｒｃｈ  ａｎｄ  Ｃｈｅｍｉｃａｌ  Ｃｏｍｐａｎｙから商品名ＣＡＴＯ（登録商標）２Ａで市販されている。
【０１４４】
ショ糖エステル
非イオン性布地ケア有益剤は、ショ糖エステル類を含むことができ、典型的にはショ糖及び脂肪酸類から誘導される。ショ糖エステルはそれのヒドロキシル基の１つ以上がエステル化されたショ糖部分から構成される。
【０１４５】
ショ糖は以下の式を有する二糖である。
【０１４６】
【化６】
2017531468.tif 000051
【０１４７】
あるいは、ショ糖分子は、式Ｍ（ＯＨ）８で表すことができ、式中Ｍは二糖類主鎖であり、分子中に全部で８個のヒドロキシル基がある。
【０１４８】
したがって、ショ糖エステルは、以下の式によって表すことができる。
Ｍ（ＯＨ）８−ｘ（ＯＣ（Ｏ）Ｒ１）ｘ
式中、ｘはエステル化されているヒドロキシル基の数であるのに対して、（８−ｘ）は不変のままのヒドロキシル基であり、ｘは、１〜８から、あるいは２〜８、あるいは３〜８又は４〜８から選択される整数であり、及びＲ１部分は、直鎖又は分枝鎖、環式又は非環式、飽和又は不飽和、置換又は非置換のＣ１〜Ｃ２２アルキル又はＣ１〜Ｃ３０アルコキシから独立して選択される。
【０１４９】
一実施形態では、Ｒ１部分は、独立して選択される、様々な鎖長を有する直鎖アルキル又はアルコキシ部分を含む。例えば、Ｒ１は、直鎖の約２０％よりも多くがＣ１８であり、あるいは直鎖の約５０％よりも多くがＣ１８であり、あるいは直鎖の約８０％よりも多くがＣ１８である直鎖アルキル又はアルコキシ部分の混合物を含み得る。
【０１５０】
別の実施形態では、Ｒ１部分は、飽和及び不飽和アルキル又はアルコキシ部分の混合物を含み、不飽和度は、「ヨウ素価」（以下、標準ＡＯＣＳ法によって測定されるような、「ＩＶ」と称する）によって測定することができる。本明細書に用いるのに好適なショ糖エステルのＩＶは、約１〜約１５０、又は約２〜約１００、又は約５〜約８５の範囲である。Ｒ１部分は、不飽和度を低下させるために水素添加され得る。より高いＩＶ、例えば約４０〜約９５が好ましい場合には、オレイン酸、並びに大豆油と及びキャノーラ油から誘導された脂肪酸類が出発物質である。
【０１５１】
更なる実施形態では、不飽和Ｒ１部分は、不飽和部位について「シス」及び「トランス」形態の混合物を含んでいてよい。「シス」／「トランス」比は、約１：１〜約５０：１、又は約２：１〜約４０：１、又は約３：１〜約３０：１、又は約４：１〜約２０：１の範囲であり得る。
【０１５２】
分散性ポリオレフィン
一般に、布地ケア効果を提供するすべての分散性ポリオレフィン類を、本発明の水不溶性布地ケア有益剤類として使用することができる。当該ポリオレフィン類は、ワックス類、エマルション類、分散液類又は懸濁液類の形態であることができる。非限定例を以下に記載する。
【０１５３】
一実施形態では、ポリオレフィンはポリエチレン、ポリプロピレン、又はそれらの組み合わせから選択される。ポリオレフィンは、カルボキシル、アルキルアミド、スルホン酸又はアミド基のような様々な官能基を含有するように、少なくとも部分的に変性されていてよい。別の実施形態では、ポリオレフィンは少なくとも部分的にカルボキシ変性されており、すなわち言い換えれば、酸化されている。
【０１５４】
配合を容易にするために、分散性ポリオレフィンは、乳化剤を用いることによって分散されたポリオレフィン懸濁液又はエマルションとして導入されてよい。ポリオレフィン懸濁液又はエマルションは、約１重量％〜約６０重量％、あるいは約１０重量％〜約５５重量％、あるいは約２０重量％〜約５０重量％のポリオレフィンを含んでいてよい。ポリオレフィンは、約２０℃〜約１７０℃、あるいは約５０℃〜約１４０℃のワックス滴点（ＡＳＴＭ  Ｄ３９５４−９４、１５．０４巻−−−「ワックスの滴点に関する標準試験方法（Standard Test Method for Dropping Point of Waxes）」を参照されたい）を有してよい。好適なポリエチレンワックスは、これだけに限定するものではないが、ハネウェル（Honeywell）（Ａ−Ｃポリエチレン）、クラリアント（Clariant）（ベルストロール（Velustrol）（登録商標）エマルション）、及びＢＡＳＦ（ルーワックス（ＬＵＭＡＸ）（登録商標））を含めた供給元から市販されている。
【０１５５】
エマルションが分散性ポリオレフィンと共に使用される場合、乳化剤はあらゆる適した乳化剤であってよい。非限定例としては、アニオン性、カチオン性、非イオン性界面活性剤、又はそれらの組み合わせが挙げられる。しかしながら、ほとんどすべての適した界面活性剤又は懸濁剤を乳化剤として使用してよい。分散性ポリオレフィンは乳化剤をポリオレフィンワックスに対してそれぞれ約１：１００〜約１：２、あるいは約１：５０〜約１：５の比率で用いることにより分散される。
【０１５６】
ポリマーラテックス
ポリマーラテックスは、１つ以上のモノマー類、１つ以上の乳化剤類、反応開始剤、及び当業者には馴染みの他の構成成分類を包含するエマルション重合によって製造される。一般に、布地ケア有益剤を提供するすべてのポリマーラテックス類を本発明の水不溶性布地ケア有益剤として使用することができる。追加の非限定例としては、ポリマーラテックスの製造に使用されるモノマー、例えば（１）１００％又は純ブチルアクリレート、（２）ブチルアクリレートとブタジエンとの混合物であって、ブチルアクリレートが少なくとも２０％（重量モノマー比）の混合物、（３）ブチルアクリレート及び２０％未満（重量モノマー比）のブタジエンを除く他のモノマー、（４）Ｃ６以上のアルキル炭素鎖を有するアルキルアクリレート、（５）Ｃ６以上のアルキル炭素鎖を有するアルキルアクリレート及び５０％未満（重量モノマー比）の他のモノマー、（６）前述のモノマー系に添加した第３のモノマー（２０％未満の重量モノマー比）並びに（７）これらの組み合わせが挙げられる。
【０１５７】
本発明において好適な布地ケア有益剤であるポリマーラテックスとしては、ガラス転移温度が約−１２０℃〜約１２０℃、約−８０℃〜約６０℃のものが挙げられる。好適な乳化剤には、アニオン性、カチオン性、非イオン性及び両性の界面活性剤が挙げられる。適した反応開始剤類としては、ポリマーラテックスのエマルション重合に適した反応開始剤が挙げられる。ポリマーラテックスの粒径（χ５０）は、約１ｎｍ〜約１０μｍ、あるいは約１０ｎｍ〜約１μｍ、又は更に約１０ｎｍ〜約２０ｎｍであることができる。
【０１５８】
脂肪酸
本発明の一態様は、脂肪酸、例えば遊離脂肪酸を含む布地柔軟化組成物を提供する。用語「脂肪酸」は、脂肪酸の非プロトン化又はプロトン化形態を包むために本明細書で使用され、別の化学部分に結合された又は結合されていない脂肪酸並びにこれらの種の脂肪酸の様々な組み合わせを含む。当業者は、水性組成物のｐＨによって、一部は、脂肪酸のプロトン化又は非プロトン化が決まることを認識するであろう。別の実施形態では、脂肪酸はその非プロトン化形態であるか、又は対イオン、例えばこれらに限定されるわけではないが、カルシウム、マグネシウム、ナトリウム、カリウムなどによって塩形態である。用語「遊離脂肪酸」は、別の化学部分に対する別の化学部分に（共有結合的に又は他の結合で）結合されていない脂肪酸を意味する。
【０１５９】
一実施形態では、脂肪酸としては、約１０個〜約２２個、約１２個〜約１８個、又は更に約１４個（ミッドカット）〜約１８個の炭素原子を含有する脂肪族部分を有する、約１２〜約２５個、約１３〜約２２個、又は更に約１６〜約２０個の全炭素原子を含有するものが挙げられる。
【０１６０】
本発明の脂肪酸は、（１）動物脂肪及び／又は部分水素添加動物脂肪、例えば牛脂、ラード等、（２）植物油及び／又は部分水素添加植物油、例えばカノーラ油、ベニバナ油、ラッカセイ油、ヒマワリ油、ゴマ油、ナタネ油、綿実油、トウモロコシ油、ダイズ油、トール油、コメヌカ油、パーム油、パーム核油、ココナツ油、他の熱帯パーム油、アマニ油、キリ油など、（３）加工油及び／又はスタンド油、例えば熱、圧力、アルカリ異性体化及び触媒処理によるアマニ油又はキリ油、（４）これらの混合物から、飽和（例えばステアリン酸）、不飽和（例えばオレイン酸）、多価不飽和（リノレン酸）、分枝鎖（例えばイソステアリン酸）又は環式（例えば多価不飽和酸の飽和又は不飽和分散シクロペンチル又はシクロヘキシル誘導体）脂肪酸を生じるために誘導され得る。
【０１６１】
異なる脂肪源からの脂肪酸類の混合物が使用できる。
【０１６２】
一態様では、完全飽和及び部分飽和脂肪酸を使用できるが、本発明の布地柔軟化組成物中に存在する脂肪酸の少なくとも大部分、例えば組成物中に存在する脂肪酸の総計重量の約４０重量％〜１００重量％、約５５重量％〜約９９重量％、又は更に約６０重量％〜約９８重量％は不飽和である。このように、本発明の組成物の総計の脂肪酸中の多価不飽和脂肪酸類の総計濃度（ＴＰＵ）は、組成物中に存在する脂肪酸の総計重量の約０重量％〜約７５重量％であってよい。
【０１６３】
不飽和脂肪酸のシス／トランス比は重要であり得て、（Ｃ１８：１物質）のシス／トランス比は少なくとも約１：１、少なくとも約３：１、約４：１、又は更に約９：１又はそれ以上である。
【０１６４】
分枝鎖脂肪酸、例えばイソステアリン酸も好適であるのは、これらが酸化並びにその結果として起こる色及び臭気の品質の悪化に対してより安定であり得るためである。
【０１６５】
ヨウ素価、すなわち「ＩＶ」は脂肪酸中の不飽和度が評価される。本発明の一実施形態では、脂肪酸は、約１０〜約１４０、約１５〜約１００、又は更に約１５〜約６０のＩＶを有する。
【０１６６】
脂肪エステル布地ケア活性物質の別のクラスは柔軟化油であり、柔軟化油としては、植物油（例えばダイズ、ヒマワリ及びカノーラ）、炭化水素系油（天然及び合成石油潤滑剤、一態様ではポリオレフィン、イソパラフィン及び環式パラフィン）、トリオレイン、脂肪エステル、脂肪アルコール、脂肪アミン、脂肪アミド及び脂肪エステルアミンが挙げられるが、これらに限定されない。油は、脂肪酸柔軟剤、粘土及びシリコーンと組み合わせることができる。
【０１６７】
粘土類
本発明の一実施形態では、布地ケア組成物は布地ケア活性物質として粘土を含んでよい。一実施形態では、粘土は柔軟剤であることができ、又は別の柔軟化活性物質、例えばシリコーンと共に共柔軟剤であることができる。好適な粘土としては、地質学的にスメクタイトと分類される物質が挙げられる。
【０１６８】
シリコーン
一実施形態では、布地柔軟化組成物はシリコーンを含む。シリコーンの好適な濃度は、組成物の約０．１％〜約７０％、あるいは約０．３％〜約４０％、あるいは約０．５％〜約３０％、あるいは約１％〜約２０重量％を含み得る。有用なシリコーンは、いかなるシリコーン包含化合物であることもできる。一実施形態では、シリコーンポリマーは、環式シリコーン、ポリジメチルシロキサン、アミノシリコーン、カチオン性シリコーン、シリコーンポリエーテル、シリコーン樹脂、シリコーンウレタン及びこれらの混合物からなる群から選択される。一実施形態では、シリコーンは、ポリジアルキルシリコーン、あるいはポリジメチルシリコーン（ポリジメチルシロキサン又は「ＰＤＭＳ」）、又はこれらの誘導体である。別の実施形態では、シリコーンは、シリコーンは、アミノ官能性シリコーン、アミノ−ポリエーテルシリコーン、アルキルオキシル化シリコーン、カチオン性シリコーン、エトキシル化シリコーン、プロポキシル化シリコーン、エトキシル化／プロポキシル化シリコーン、四級シリコーン、又はこれらの組み合わせから選択される。
【０１６９】
別の実施形態では、シリコーンは、以下の式を有するランダム又はブロック状オルガノシリコーンポリマーから選択されてよい：
［Ｒ１Ｒ２Ｒ３ＳｉＯ１／２］（ｊ＋２）［（Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊ
式中、
ｊは、０〜約９８の整数であり、一態様では、ｊは、０〜約４８の整数であり、一態様では、ｊは０であり、
ｋは０〜約２００の整数であり、一態様では、ｋは０〜約５０の整数であり、ｋ＝０である場合、Ｒ１、Ｒ２又はＲ３の少なくとも１つは、−Ｘ−Ｚであり、
ｍは、４〜約５，０００の整数であり、一態様では、ｍは、約１０〜約４，０００の整数であり、別の態様において、ｍは約５０〜約２，０００の整数であり、
Ｒ１、Ｒ２及びＲ３は、それぞれ独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ及びＸ〜Ｚからなる群から選択され、
各Ｒ４は、独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ及びＣ１〜Ｃ３２置換アルコキシからなる群から選択され、
前記アルキルシロキサンポリマー中の各Ｘは、２〜１２個の炭素原子を含む置換又は非置換二価アルキレンラジカルを含み、一態様では、各二価アルキレンラジカルは、独立して−（ＣＨ２）ｓ−からなる群から選択され、ｓは約２〜約８、約２〜約４の整数であり、一態様では、前記アルキルシロキサンポリマー中の各Ｘは、−ＣＨ２−ＣＨ（ＯＨ）−ＣＨ２−、−ＣＨ２−ＣＨ２−ＣＨ（ＯＨ）−及び
【０１７０】
【化７】
2017531468.tif 000052
からなる群から選択される置換二価アルキレンラジカルを含み、
各Ｚは、独立して、
【０１７１】
【化８】
2017531468.tif 000053
からなる群から選択され、但し、Ｚが四級であるとき、Ｑはアミド、イミン、又は尿素部分にはならず、Ｑがアミド、イミン、又は尿素部分である場合、前記アミド、イミン、又は尿素部分などの同一の窒素に結合される任意の追加のＱは、Ｈ又はＣ１〜Ｃ１アルキルでなければならず、一態様では、前記追加のＱはＨであり、Ｚに関し、Ａｎ−は好適な電荷均衡アニオンである。一態様では、Ａｎ−は、Ｃｌ−、Ｂｒ−、Ｉ−メチルサルフェート、トルエンスルホネート、カルボキシレート及びホスフェートからなる群から選択され、前記オルガノシリコーン中の少なくとも１つのＱは、独立して、
−ＣＨ２−ＣＨ（ＯＨ）−ＣＨ２−Ｒ５、
【０１７２】
【化９】
2017531468.tif 000054
から選択され、
前記オルガノシリコーン中の各追加のＱは、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−ＣＨ２−ＣＨ（ＯＨ）−ＣＨ２−Ｒ５、
【０１７３】
【化１０】
2017531468.tif 000055
からなる群から選択され、
式中、各Ｒ５は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−（ＣＨＲ６−ＣＨＲ６−Ｏ−）ｗ−Ｌ及びシロキシ残基からなる群から選択され、
各Ｒ６は独立して、Ｈ、Ｃ１〜Ｃ１８アルキルから選択され、
各Ｌは独立して、−Ｃ（Ｏ）−Ｒ７又は
Ｒ７から選択され、
ｗは０〜約５００の整数であり、一態様では、ｗは約１〜約２００の整数であり、一態様では、ｗは約１〜約５０の整数であり、
各Ｒ７は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール及びシロキシル残基からなる群から選択され、
各Ｔは独立して、Ｈ及び
【０１７４】
【化１１】
2017531468.tif 000056
から選択され、
式中、オルガノシリコーンの各ｖは、１〜約１０の整数であり、一態様では、ｖは１〜約５の整数であり、前記オルガノシリコーンの各Ｑのすべてのｖ指数の総計は、１〜約３０、又は１〜約２０、又は更には１〜約１０の整数である。
【０１７５】
別の実施形態では、シリコーンは、以下の式を有するランダム又はブロック状オルガノシリコーンポリマーから選択されてよい：
［Ｒ１Ｒ２Ｒ３ＳｉＯ１／２］（ｊ＋２）［（Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊ
式中、
ｊは、０〜約９８の整数であり、一態様では、ｊは、０〜約４８の整数であり、一態様では、ｊは０であり、
ｋは、０〜約２００の整数であり、ｋ＝０である場合、少なくともＲ１、Ｒ２又はＲ３の少なくとも１つは−Ｘ−Ｚであり、一態様では、ｋは０〜約５０の整数であり、
ｍは、４〜約５，０００の整数であり、一態様では、ｍは、約１０〜約４，０００の整数であり、別の態様において、ｍは約５０〜約２，０００の整数であり、
Ｒ１、Ｒ２及びＲ３は、それぞれ独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ及びＸ−Ｚからなる群から選択され、
各Ｒ４は、独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ及びＣ１〜Ｃ３２置換アルコキシからなる群から選択され、
各Ｘは、２〜１２個の炭素原子を含む置換又は非置換二価アルキレンラジカルを含み、一態様では、各Ｘは独立して、−（ＣＨ２）ｓ−Ｏ−、−ＣＨ２−ＣＨ（ＯＨ）−ＣＨ２−Ｏ−、
【０１７６】
【化１２】
2017531468.tif 000057
からなる群から選択され、
式中、各ｓは、独立して、約２〜約８の整数であり、一態様では、ｓは約２〜約４の整数であり、
前記オルガノシロキサン中の少なくとも１つのＺは、Ｒ５、
【０１７７】
【化１３】
2017531468.tif 000058
からなる群から選択され、但しＸが
【０１７８】
【化１４】
2017531468.tif 000059
である場合、Ｚ＝−ＯＲ５又は
【０１７９】
【化１５】
2017531468.tif 000060
であり、
式中、Ａ−は、好適な電荷平衡アニオンである。一態様において、Ａ−は、Ｃｌ−、Ｂｒ−、
Ｉ−、メチルサルフェート、トルエンスルホネート、カルボキシレート及びホスフェートからなる群から選択され、
前記オルガノシリコーン中の各追加のＺは、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｒ５、
【０１８０】
【化１６】
2017531468.tif 000061
からなる群から選択され、但しＸが
【０１８１】
【化１７】
2017531468.tif 000062
である場合、Ｚ＝−ＯＲ５又は
【０１８２】
【化１８】
2017531468.tif 000063
であり、
各Ｒ５は独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール又はＣ６〜Ｃ３２アルキルアリール又はＣ６〜Ｃ３２置換アルキルアリール、
−（ＣＨＲ６−ＣＨＲ６−Ｏ−）ｗ−ＣＨＲ６−ＣＨＲ６−Ｌ及びシロキシル残基からなる群から選択され、式中、各Ｌは独立して、−Ｏ−Ｃ（Ｏ）−Ｒ７又は−Ｏ−Ｒ７、
【０１８３】
【化１９】
2017531468.tif 000064
から選択され、
ｗは０〜約５００の整数であり、一態様では、ｗは０〜約２００の整数であり、一態様では、ｗは０〜約５０の整数であり、
各Ｒ６は、独立して、Ｈ又はＣ１〜Ｃ１８アルキルであり、
各Ｒ７は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール及びＣ６〜Ｃ３２置換アリール及びシロキシル残基から成る群から選択され、
各Ｔは、独立して、Ｈ、
【０１８４】
【化２０】
2017531468.tif 000065
から選択され、
式中、オルガノシリコーンの各ｖは、１〜約１０の整数であり、一態様では、ｖは１〜約５の整数であり、前記オルガノシリコーンの各Ｚのすべてのｖ指数の総計は、１〜約３０、又は１〜約２０、又は更には１〜約１０の整数である。
【０１８５】
一実施形態では、シリコーンは比較的大きな分子量を成すものである。シリコーンの分子量を記述するための適した方法には、その粘度を記述することが挙げられる。高分子量シリコーンは、約１０ｍｍ２／ｓ〜約３，０００，０００ｍｍ２／ｓ、又は約１００ｍｍ２／ｓ〜約１，０００，０００ｍｍ２／ｓ、又は約１，０００ｍｍ２／ｓ〜約６００，０００ｍｍ２／ｓ、又は更に約６，０００ｍｍ２／ｓ〜約３００，０００ｍｍ２／ｓ（約１０ｃＳｔ〜約３，０００，０００ｃＳｔ、又は約１００ｃＳｔ〜約１，０００，０００ｃＳｔ、又は約１，０００ｃＳｔ〜約６００，０００ｃＳｔ、又は更に約６，０００ｃＳｔ〜約３００，０００ｃＳｔ）の粘度を有する。
【０１８６】
一実施形態では、シリコーンは、以下の式を有するブロック状カチオン性オルガノポリシロキサンを含み：
ＭｗＤｘＴｙＱｚ
式中、
Ｍ＝［ＳｉＲ１Ｒ２Ｒ３Ｏ１／２］、［ＳｉＲ１Ｒ２Ｇ１Ｏ１／２］、［ＳｉＲ１Ｇ１Ｇ２Ｏ１／２］、［ＳｉＧ１Ｇ２Ｇ３Ｏ１／２］、又はこれらの組み合わせであり、
Ｄ＝［ＳｉＲ１Ｒ２Ｏ２／２］、［ＳｉＲ１Ｇ１Ｏ２／２］、［ＳｉＧ１Ｇ２Ｏ２／２］、又はこれらの組み合わせであり、
Ｔ＝［ＳｉＲ１Ｏ３／２］、［ＳｉＧ１Ｏ３／２］、又はこれらの組み合わせであり、
Ｑ＝［ＳｉＯ４／２］であり、
ｗ＝１〜（２＋ｙ＋２ｚ）の整数であり、
ｘ＝５〜１５，０００の整数であり、
ｙ＝０〜９８の整数であり、
ｚ＝０〜９８の整数であり、
Ｒ１、Ｒ２及びＲ３は、それぞれ独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ、Ｃ１〜Ｃ３２アルキルアミノ及びＣ１〜Ｃ３２置換アルキルアミノからなる群から選択され、
Ｍ、Ｄ、及びＴの少なくとも１つが、少なくとも１つのＧ１、Ｇ２又はＧ３部分を組み込んでおり、並びにＧ１、Ｇ２及びＧ３は、それぞれ独立して、式から選択され：
【０１８７】
【化２１】
2017531468.tif 000066
式中、
Ｘは、Ｃ１〜Ｃ３２アルキレン、Ｃ１〜Ｃ３２置換アルキレン、Ｃ５〜Ｃ３２又はＣ６〜Ｃ３２アリーレン、Ｃ５〜Ｃ３２又はＣ６〜Ｃ３２置換アリーレン、Ｃ６〜Ｃ３２アリールアルキレン、Ｃ６〜Ｃ３２置換アリールアルキレン、Ｃ１〜Ｃ３２アルコキシ、Ｃ１〜Ｃ３２置換アルコキシ、Ｃ１〜Ｃ３２アルキレンアミノ、Ｃ１〜Ｃ３２置換アルキレンアミノ、開環エポキシド及び開環グリシジルからなる群から選択される二価ラジカルを含む、但しＸが反復アルキレンオキシド部分を含まない場合、Ｘは、Ｐ、Ｎ及びＯからなる群から選択されるヘテロ原子をさらに含むことができ、
各Ｒ４は、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール及びＣ６〜Ｃ３２置換アルキルアリールからなる群から選択される同じ又は異なる一価ラジカルを含み、
Ｅは、Ｃ１〜Ｃ３２アルキレン、Ｃ１〜Ｃ３２置換アルキレン、Ｃ５〜Ｃ３２又はＣ６〜Ｃ３２アリーレン、Ｃ５〜Ｃ３２又はＣ６〜Ｃ３２置換アリーレン、Ｃ６〜Ｃ３２アリールアルキレン、Ｃ６〜Ｃ３２置換アリールアルキレン、Ｃ１〜Ｃ３２アルコキシ、Ｃ１〜Ｃ３２置換アルコキシ、Ｃ１〜Ｃ３２アルキレンアミノ、Ｃ１〜Ｃ３２置換アルキレンアミノ、開環エポキシド及び開環グリシジルからなる群から選択される二価ラジカルを含み、但し、Ｅが反復アルキレンオキシド部分を含まない場合、Ｅは、Ｐ、Ｎ及びＯからなる群から選択されるヘテロ原子をさらに含むことができ、
Ｅ’は、Ｃ１〜Ｃ３２アルキレン、Ｃ１〜Ｃ３２置換アルキレン、Ｃ５〜Ｃ３２又はＣ６〜Ｃ３２アリーレン、Ｃ５〜Ｃ３２又はＣ６〜Ｃ３２置換アリーレン、Ｃ６〜Ｃ３２アリールアルキレン、Ｃ６〜Ｃ３２置換アリールアルキレン、Ｃ１〜Ｃ３２アルコキシ、Ｃ１〜Ｃ３２置換アルコキシ、Ｃ１〜Ｃ３２アルキレンアミノ、Ｃ１〜Ｃ３２置換アルキレンアミノ、開環エポキシド及び開環グリシジルからなる群から選択される二価ラジカルを含み、但し、Ｅ’が反復アルキレンオキシド部分を含まない場合、Ｅ’は、Ｐ、Ｎ及びＯからなる群から選択されるヘテロ原子をさらに含むことができ、
ｐは、１〜５０から独立して選択される整数であり、
ｎは１又は２から独立して選択される整数であり、
Ｇ１、Ｇ２又はＧ３の少なくとも１つが正に帯電されている場合、Ａ−ｔは、好適な１つ又は複数の電荷平衡アニオンであり、１つ又は複数の電荷平衡アニオンの全電荷であるｋは、Ｇ１、Ｇ２又はＧ３部分の正味電荷と大きさが等しくかつ符号が反対であり、ｔは１、２、又は３から独立して選択される整数であり、ｋ≦（ｐ＊２／ｔ）＋１であり、オルガノポリシロキサン分子中のカチオン電荷の総数はアニオン電荷の総数と釣り合い、
少なくとも１つのＥは、エチレン部分を含まない。
【０１８８】
追加の構成成分
本発明は、織物処理組成物で従来使用されている他の任意の構成成分（微量構成成分）、例えば酸化防止剤、着色料、保存料、蛍光増白剤、乳白剤、グアーガム及びポリエチレングリコール等の安定剤、収縮防止剤、しわ防止剤、泥放出剤、布地シャリ感付与剤（crisping agent）、還元剤、染み抜き剤、殺菌剤、抗真菌剤、防食剤、消泡剤、塩素捕捉剤を含むカラーケア剤、染料移行防止剤、染料定着キレート剤及び磨耗防止剤、香料、ＰＭＣ、シクロデキストリン香料複合体、遊離シクロデキストリン、香料前駆体、酸化防止剤等を含むことができる。
【０１８９】
基材
本発明の一態様は、自動洗濯物（衣類）乾燥機内で組成物を効果的に放出する乾燥機添加基材によって布地に送達される布地コンディショニング組成物に関する。このような分配手段は、単回用途のために、又は複数回使用のために設計することができる。この分配手段は、布地コンディショニング組成物を放出し、次に乾燥機から分配及び／又は排出される「担体物質」であることもできる。分配手段が可撓性基材、例えばシート構成である場合、布地コンディショニング組成物は基材上に放出により固定されて、約１０：１〜約０．５：１、好ましくは約５：１〜約１：１の範囲の、コンディショニング組成物の乾燥基材に対する重量比を与える。確実に放出するために、好ましい可撓性シートは、分解又は変形、例えば燃焼、臭気の発生又は熱若しくは水分による収縮を伴わずに、乾燥機環境に耐える。本明細書でとりわけ有用な基材は、レーヨン及び／又はポリエステルの不織布である。
【０１９０】
本明細書で有用な基材の非限定的な例は、約１４ｇ／ｍ２〜約３４ｇ／ｍ２、好ましくは約１７ｇ／ｍ２〜約２７ｇ／ｍ２、より好ましく約１７ｇ／ｍ２〜約２０ｇ／ｍ２（約０．４ｏｚ／ｙｄ２〜約１ｏｚ／ｙｄ２、好ましくは約０．５ｏｚ／ｙｄ２〜約０．８ｏｚ／ｙｄ２、より好ましく約０．５ｏｚ／ｙｄ２〜約０．６ｏｚ／ｙｄ２）の目付量を有する、セルロース性レーヨン及び／又はポリエステル不織布地である。これらの基材は、典型的に、例えば約１〜約８デニール、好ましくは約３〜約６デニール及びより好ましく約４〜６デニールのレーヨン及び／若しくはポリエステル繊維又は異なるデニール数の混合物を使用して作製される。典型的に、繊維は、連続フィラメント又は０．４８センチメートル〜５センチメートル（３／１６インチ〜２インチ）繊維セグメントであって、好ましくは有孔のベルト上に該フィラメント又は繊維の重複部の間で複数の層及び交点を生じるようパターンで配置され、次いで繊維交点は、接着結合剤並びに／又は熱及び／若しくは圧力の組み合わせによって繊維間結合するように接着及び／又は融合される。非限定的な例として、基材はスパンボンド、メルトボンド又はポイントボンドされ得るか、又はボンド方法の組み合わせが選択され得る。縦方向及び横方向の基材の破壊強さ及び弾性は、コーティング法によって基材を送達するのに十分である。基材物品の多孔性は、基材を通過する気流がコンディショニング活性剤を放出させ、乾燥機通気孔の目詰まりを防止するのに十分である。基材は、基材の一方向に沿って延在する複数の直線スリットを有してよい。
【０１９１】
分配手段は、通常、布地コンディショニング組成物の有効量を移送するこのような有効量は典型的に、自動洗濯物乾燥機内の最小装入量の少なくとも１回の処理に十分な柔軟性、静電防止効果及び／又は香料付着を提供する。単一物品に対する、装入量とは無関係な布地コンディショニング組成物の量は、約０．１ｇ〜約１００ｇ、好ましくは約０．１ｇ〜約２０ｇ、最も好ましくは約０．１ｇ〜約１０ｇで変化することができる。例えば約３０までの、複数回使用のための布地処理組成物の量を使用することができる。
【０１９２】
試験方法
悪臭低減物質は、最終製品、例えば消費者製品を含むがこれらに限定されない混合物から分離されて、ＧＣ−ＭＳ及び／又はＮＭＲを含む分析方法によって同定され得る。
【０１９３】
飽和蒸気圧（ＶＰ）測定のための試験方法
試験を行う香料混合物中の各ＰＲＭについて、飽和蒸気圧（ＶＰ）値を計算する。個々のＰＲＭのＶＰは、Ａｄｖａｎｃｅｄ  Ｃｈｅｍｉｓｔｒｙ  Ｄｅｖｅｌｏｐｍｅｎｔ  Ｉｎｃ（ＡＣＤ／Ｌａｂｓ）（トロント、カナダ）より入手可能なＶＰ  Ｃｏｍｐｕｔａｔｉｏｎａｌ  Ｍｏｄｅｌ，ｖｅｒｓｉｏｎ  １４．０２（Ｌｉｎｕｘ）を使用して算出し、２５℃のＶＰ値を得てトル単位で示す。ＡＣＤ／Ｌａｂｓの蒸気圧モデルは、ＡＣＤ／Ｌａｂｓモデルスイートの一部である。
【０１９４】
オクタノール／水分配係数（ｌｏｇＰ）を決定する試験方法
試験を行う香料混合物中の各ＰＲＭについて、オクタノール／水分配係数の対数値（ｌｏｇＰ）を計算する。個々のＰＲＭのｌｏｇＰは、Ａｄｖａｎｃｅｄ  Ｃｈｅｍｉｓｔｒｙ  Ｄｅｖｅｌｏｐｍｅｎｔ  Ｉｎｃ（ＡＣＤ／Ｌａｂｓ）（トロント、カナダ）より入手可能なＣｏｎｓｅｎｓｕｓ  ｌｏｇＰ  Ｃｏｍｐｕｔａｔｉｏｎａｌ  Ｍｏｄｅｌ，ｖｅｒｓｉｏｎ  １４．０２（Ｌｉｎｕｘ）を使用して算出し、無単位のｌｏｇＰ値を得る。ＡＣＤ／ＬａｂｓのＣｏｎｓｅｎｓｕｓ  ｌｏｇＰ  Ｃｏｍｐｕｔａｔｉｏｎａｌ  Ｍｏｄｅｌは、ＡＣＤ／Ｌａｂｓモデルスイートの一部である。
【０１９５】
分子記述子生成のための試験方法
本明細書に記載する計算値試験方法に関わる計算を行うために、必要な出発情報は、試験を行う香料中の各ＰＲＭのアイデンティティ、重量パーセント及びモルパーセントを、その香料の割合として含み、香料組成物中のすべてのＰＲＭが計算に含まれる。更に、これらのＰＲＭそれぞれについて、本明細書に記載する分子記述子の生成のための試験方法に従って決定されるような、分子構造及び様々な計算により誘導された分子記述子の値も必要とされる。
【０１９６】
香料混合物又は組成物中の各ＰＲＭについて、その分子構造を使用して様々な分子記述子を計算する。分子構造は、米国オハイオ州コロンバスのＡｍｅｒｉｃａｎ  Ｃｈｅｍｉｃａｌ  Ｓｏｃｉｅｔｙの一部門であるＣｈｅｍｉｃａｌ  Ａｂｓｔｒａｃｔ  Ｓｅｒｖｉｃｅ（「ＣＡＳ」）が提供する分子構造のグラフィック表示である。これらの分子構造は、各ＰＲＭのインデックス名又はＣＡＳ番号を検索することによって、ＣＡＳ  Ｃｈｅｍｉｃａｌ  Ｒｅｇｉｓｔｒｙ  Ｓｙｓｔｅｍデータベースから入手してもよい。その試験時にＣＡＳ  Ｃｈｅｍｉｃａｌ  Ｒｅｇｉｓｔｒｙ  Ｓｙｓｔｅｍデータベースにまだ記載されていないＰＲＭの場合、他のデータベース又は情報源を使用して、構造を決定してよい。潜在的に１を超える異性体が存在するＰＲＭについては、そのＰＲＭを代表するよう選択した異性体の１つのみの分子構造を使用して、分子記述子計算を行う。異性体の選択は、異性体の分子構造中の相対伸長量によって決定される。所与のＰＲＭのすべての異性体のうち、分子構造が最もよく見られる異性体が、ＰＲＭを代表するように選択される異性体である。そのＰＲＭの他の潜在的な異性体の構造は、計算から除外される。最もよく見られる異性体の分子構造を、そのＰＲＭの濃度と対にし、その濃度は、存在するそのＰＲＭの異性体すべての存在を反映するものである。
【０１９７】
分子エディタ又は分子スケッチソフトウェアプログラム、例えばＣｈｅｍＤｒａｗ（ＣａｍｂｒｉｄｇｅＳｏｆｔ／ＰｅｒｋｉｎＥｌｍｅｒ  Ｉｎｃ．，ウェルサム、マサチューセッツ州、米国）を使用して、各ＰＲＭを表す２次元分子構造を複製する。分子構造は、切断されたフラグメントのない中性種（四級窒素原子が許容される）（例えば対イオンのない単一構造）として表現すべきである。後述するｗｉｎＭｏｌｃｏｎｎプログラムは、適切な数の水素原子を付加することによって、いずれの脱プロトン化官能基も中性形態に変換することができ、対イオンを廃棄する。
【０１９８】
各ＰＲＭについて、分子スケッチソフトウェアを使用して、ＰＲＭの分子構造を記述するファイルを生成する。各ＰＲＭの様々な分子記述子を誘導するために、ＰＲＭの分子構造を記載する（複数の）ファイルを次に、コンピュータプログラムｗｉｎＭｏｌｃｏｎｎ  ｖｅｒｓｉｏｎ  １．０．１．３（Ｈａｌｌ  Ａｓｓｏｃｉａｔｅｓ  Ｃｏｎｓｕｌｔｉｎｇ，クインシー、マサチューセッツ州、米国、ｗｗｗ．ｍｏｌｃｏｎｎ．ｃｏｍ）に渡す。このように、許容可能なオプションである構造表記及びファイル形式を規定するのは、ｗｉｎＭｏｌｃｏｎｎソフトウェアプログラムである。これらのオプションは、ＭＡＣＣＳ  ＳＤＦフォーマットファイル（すなわちＳｔｒｕｃｔｕｒｅ−Ｄａｔａ  Ｆｉｌｅ）、又は「．ｓｍｉ」若しくは「．ｔｘｔ」ファイル名拡張子を有することが多い単純テキストファイル内で普通使用される、Ｓｉｍｐｌｉｆｉｅｄ  Ｍｏｌｅｃｕｌａｒ  Ｉｎｐｕｔ  Ｌｉｎｅ  Ｅｎｔｒｙ  Ｓｐｅｃｉｆｉｃａｔｉｏｎ（すなわちＳＭＩＬＥＳ文字列構造行表記）のどちらかを含む。ＳＤＦファイルは、各分子構造を多列レコードフォーマットで表すが、ＳＭＩＬＥＳ構造の構文は、空白スペースのない一列のテキストである。ＳＭＩＬＥＳ文字列に続いて構造名又は識別子をスペースで区切って同じ行に含めることによって、構造名又は識別子をＳＭＩＬＥＳ文字列に追加することができる。例えばＣ１＝ＣＣ＝ＣＣ＝Ｃ１ベンゼン。
【０１９９】
ｗｉｎＭｏｌｃｏｎｎソフトウェアプログラムを使用して、各ＰＲＭの多数の分子記述子を生成し、次に表フォーマットで出力する。ｗｉｎＭｏｌｃｏｎｎによって誘導された特定の分子記述子を次に、以下のような値を算出するために、多種多様のコンピュータモデル試験方法のための入力（すなわち数式の変数項として）使用する：各ＰＲＭの飽和蒸気圧（ＶＰ）、沸点（ＢＰ）、オクタノール／水分配係数（ｌｏｇＰ）、臭気検出閾値（ＯＤＴ）、悪臭低減値（ＭＯＲＶ）、予備及び／又は総合悪臭低減値（総合ＭＯＲＶ）。モデルの試験方法計算で使用する分子記述子ラベルは、ｗｉｎＭｏｌｃｏｎｎプログラムによって報告された同じラベルであり、その説明及び定義は、ｗｉｎＭｏｌｃｏｎｎのドキュメントに記載が見られる。以下は、ｗｉｎＭｏｌｃｏｎｎソフトウェアプログラムを実行して、組成物中の各ＰＲＭに必要な分子構造記述子を生成する方法の一般的な説明である。
【０２００】
ｗｉｎＭｏｌｃｏｎｎを使用する分子構造記述子の計算：
１）１種以上の１香料成分の分子構造を、ＳＤＦファイルとも呼ばれるＭＡＣＣＳ構造データファイルの形式で、又はＳＭＩＬＥＳファイルとしてアセンブルする。
２）ｗｉｎＭｏｌｃｏｎｎプログラムのバージョン１．０．１．３を使用して適切なコンピュータで実行し、入力として上記のＳＤＦ又はＳＭＩＬＥＳファイルを使用してプログラムから利用可能な分子記述子の全数を計算する。
ａ．ｗｉｎＭｏｌｃｏｎｎの出力は、入力ファイル内の各構造について、典型的にスペースで区切られ、第１列に構造識別子を、残りの列に各分子記述子を含有する、ＡＳＣＩＩテキストファイルの形式である。
３）スプレッドシートソフトウェアプログラム又は他の何らかの適切な技法を使用して、テキストファイルを列内へ構文解析する。分子記述子レベルは、得られた表の第１行に見出される。
４）各モデルに必要な入力に相当する分子記述子ラベルによって示された、記述子列を発見及び抽出する。
ａ．ｗｉｎＭｏｌｃｏｎｎ分子記述子ラベルは大文字小文字を区別することに留意する。
【０２０１】
ＭＯＲＶ及び総合（Ｕｎｉｖｅｒｓａｌ）ＭＯＲＶの算出
１．）上記の方法によって決定した分子記述子値を以下の４つの式に入力する：
ａ）ＭＯＲＶ＝−８．５０９６＋２．８５９７×（ｄｘｐ９）＋１．１２５３×（ｋｎｏｔｐｖ）−０．３４４８４×（ｅ１Ｃ２Ｏ２）−０．０００４６２３１×（ｉｄｗ）＋３．３５０９×（ｉｄｃｂａｒ）＋０．１１１５８×（ｎ２ｐａｇ２２）
ｂ）ＭＯＲＶ＝−５．２９１７＋２．１７４１×（ｄｘｖｐ５）−２．６５９５×（ｄｘｖｐ８）＋０．４５２９７×（ｅ１Ｃ２Ｃ２ｄ）−０．６２０２×（ｃ１Ｃ２Ｏ２）＋１．３５４２×（ＣｄＣＨ２）＋０．６８１０５×（ＣａａｓＣ）＋１．７１２９×（ｉｄｃｂａｒ）
ｃ）ＭＯＲＶ＝−０．００３５＋０．８０２８×（ＳＨＣｓａｔｕ）＋２．１６７３×（ｘｖｐ７）−１．３５０７×（ｃ１Ｃ１Ｃ３ｄ）＋０．６１４９６×（ｃ１Ｃ１Ｏ２）＋０．００４０３×（ｉｄｃ）−０．２３２８６×（ｎｄ２）
ｄ）ＭＯＲＶ＝−０．９９２６−０．０３８８２×（ＳｄＯ）＋０．１８６９×（Ｓｓｐ３ＯＨ）＋２．１８４７×（ｘｐ７）＋０．３４３４４×（ｅ１Ｃ３Ｏ２）−０．４５７６７×（ｃ１Ｃ２Ｃ３）＋０．７６８４×（ＣＫｅｔｏｎｅ）
式ａ）は、悪臭であるトランス−３−メチル−２−ヘキセン酸（カルボン酸系悪臭）の低減における物質の有効性に関する
式ｂ）は、悪臭であるトリメチルアミン（アミン系悪臭）の低減における物質の有効性に関する
式ｃ）は、悪臭である３−メルカプト−３−メチルヘキサン−１−オール（チオール系悪臭）の低減における物質の有効性に関する
式ｄ）は、悪臭であるスカトール（インドール系悪臭）の低減における物質の有効性に関する
２．）本願の目的のために、物質のＭＯＲＶは、式１．）ａ）〜１．）ｄ）の最も高いＭＯＲＶ値である。
３．）上記の式１．）ａ）〜１．）ｄ）のすべてのＭＯＲＶ値が０．５より大である場合、対象物質は総合ＭＯＲＶを有する。
【０２０２】
悪臭低減化合物への芳香忠実指数（Fragrance Fidelity Index）（ＦＦＩ）及びブロッカー指数（ＢＩ））の割り当て方法
本発明の消費者製品中での使用に好適なブロッカー物質を、悪臭を低減し、同時に芳香の知覚を妨害しない該物質の能力に関して選択する。物質の選択は、臭気強度を等級付けするために、試験サンプル物質に２つの基準スケールからの２つの指数を割り当てることによって行う。２つの基準スケールは、芳香忠実指数（ＦＦＩ）スケール及びブロッカー指数（ＢＩ）スケールである。ＦＦＩは、試験サンプル物質が別の芳香と組み合わされたときに干渉を引き起し得る、知覚可能な臭気を付与する能力について等級付けを行い、ＢＩは、試験サンプル物質が悪臭の知覚を低減する能力をについて等級付けを行う。ＦＦＩ及びＢＩ基準スケールで試験サンプルに指数を割り当てる２種類の方法を以下に示す。
【０２０３】
ＦＦＩを試験サンプルに割り当てる方法
ＦＦＩ基準スケールで試験サンプルにＦＦＩを割り当てる方法における第１の工程は、ＦＦＩ基準布片を作製することである。スケール用布片は、清浄な布地片を既知濃度のエチルバニリン溶液の既知量で処理することによって作製する。本試験用の布地片は、ＥＭＣにＰＣ５０／５０として注文した白色ニットポリコットン（１０センチメートル×１０センチメートル（４インチ×４インチ））布片である。供給者によって最初に布片のストリッピングを行うことが指示され、ストリッピングは無芳香洗剤で２回洗浄し、３回すすぐことを含む。
【０２０４】
ＦＦＩ基準布片の作製
５０％／５０％ＥｔＯＨ／水を希釈剤として用い、以下の濃度：２５ｐｐｍ、１２０ｐｐｍ及び１０００ｐｐｍにて、３種類のエチルバニリンを調製する。３種類の溶液それぞれ１３μＬを清浄な布片の中央にピペットで加え、布片中央にて溶液の直径を約１ｃｍとする。これにより、布片上にピペットで加えた溶液濃度に基づいて、３つの異なる臭気濃度の３種類の布片の官能スケールが作製される。排気フード内で３０分間乾燥させた後、布片をアルミ箔で包み、処理済み布片への臭気汚染を防止する。清浄な未未処理布片も、ＦＦＩスケールでの臭気強度の基準の最低アンカー点として含まれる。ＦＦＩ基準スケール布片は、０．５〜１２時間以内に使用して、１２時間後には廃棄すべきである。布片は、評価者が（複数の）試験サンプルを評価する場合にスケールアンカー点として使用され、表７に示すように芳香忠実指数（ＦＦＩ）を割り当てられる。
【０２０５】
少なくとも４名の調香師／専門評価者を使って、ＦＦＩスケールでエチルバニリン布片を等級付けする。調香師／専門評価者は、スケールについて十分な識別力を示す必要がある。調香師／専門パネルは、０〜３のスケールに従って布片の順位付けを依頼される。パネルは、表７に示すように布片間の統計的な相違を示す必要がある。
【０２０６】
【表９】
2017531468.tif 000067
【０２０７】
専門評価者は、４種類の布片について全範囲２．５で許容できる識別力を有することを示す必要がある。表１の評価者２は２のみの範囲を有し、パネルから排除される。専門評価者のパネルは、スケールでの布片を統計的に識別する能力も示す必要がある。
【０２０８】
【表１０】
2017531468.tif 000068
【０２０９】
基準布片は、ＦＦＩ基準スケール、表９で０、１、２及び３のＦＦＩを示す。専門評価者は、０（最小臭気強度）から開始して３（最大臭気強度）で終了する各臭気を嗅ぐことによって、ＦＦＩ基準布片の臭気強度に慣れるべきである。これは試験サンプル物質処理布片を評価する前に行うべきである。
【０２１０】
【表１１】
2017531468.tif 000069
【０２１１】
試験物質で処理した布片の作製
清浄布片を既知濃度の試験サンプル物質１３μＬで処理して、清浄布片上に約１ｃｍの溶液が生じる。基準布片と全く同様に、試験サンプル物質布片を排気フード内で３０分間乾燥させ、次にアルミ箔で覆って汚染を防止する。試験物質布片及びＦＦＩ基準布片は、互いに２時間以内に作製すべきである。試験物質布片は、０．５〜１２時間以内に使用して、１２時間後には廃棄しなければならない。
【０２１２】
ＦＦＩの試験物質への割り当て
少なくとも２名の調香師／専門評価者を使って、ＦＦＩ等級を試験サンプルに割り当てる。調香師／専門評価者は、試験サンプルを該布地にピペットで加えた箇所を中心として自分の鼻から布片を２．５センチメートル（１インチ）離して持つことにより試験サンプルを自分の鼻で嗅ぎ、次にＦＦＩ基準スケールアンカー布片を基準として用いて試験サンプルにＦＦＩ等級を割り当てる。試験サンプル布片に、表９に示すＦＦＩスケールの数字で又は数字の間のＦＦＩ等級を割り当てる。試験サンプル物質に３を超える等級付けを行う場合、試験物質はブロッカー物質ではなく、又は物質の濃度を低下させて再評価して、より低濃度が悪臭ブロッカー機能を有するか否かを判定する必要がある。
【０２１３】
ＢＩを試験サンプルに割り当てる方法
ＢＩ基準スケールで試験サンプルにＢＩを割り当てる方法における第１の工程は、ＢＩ基準布片を作製することである。スケール用布片は、清浄な布地片を既知濃度の既知体積のイソ吉草酸の既知量によって処理することによって作製する。本試験用の布地片は、ＥＭＣにＰＣ５０／５０として注文した白色ニットポリコットン（１０センチメートル×１０センチメートル（４インチ×４インチ））布片である。供給者によって最初に布片のストリッピングを行うことが指示され、ストリッピングは無芳香洗剤で２回洗浄し、３回すすぐことを含む。
【０２１４】
ＢＩ基準布片の作製
５０％／５０％ＥｔＯＨ／水を希釈剤として使用して、１種類の０．０８％イソ吉草酸溶液を調製する。ＢＩスケールは、悪臭を適用されていない１枚の布片を含有する。残りの３枚の布片はそれぞれ、異なる体積の０．０８％イソ吉草酸が適用されている。０．０８％イソ吉草酸溶液２μＬを１枚の清浄布片に、０．０８％イソ吉草酸溶液５μＬを次の布片に、イソ吉草酸２０μＬを最後の清浄布片にピペットで加える。これらの溶液を布片の中央にピペットで加える。これにより、布片上にピペットで加えた０．０８％イソ吉草酸の体積に基づいて、３つの異なる臭気濃度の３種類の布片の官能スケールが作製される。排気フード内で３０分間乾燥させた後、布片をアルミ箔で包み、処理済み布片への臭気汚染を防止する。清浄な未未処理布片も、ＢＩスケールでの悪臭強度の基準の最低アンカー点として含まれる。ＢＩ基準スケール布片は、０．５〜１２時間以内に使用して、１２時間後には廃棄すべきである。布片は、評価者が（複数の）試験サンプルを評価する場合にスケールアンカー点として使用され、表１２に示すようにブロッカー指数（ＢＩ）を割り当てられる。
【０２１５】
少なくとも４名の調香師／専門評価者を使って、ＢＩスケールでイソ吉草酸布片を等級付けする。調香師／専門評価者は、スケールについて十分な識別力を示す必要がある。調香師／専門評価者は、０〜３のスケールに従って布片の順位付けを依頼される。評価者のパネルは、表１０に示すように布片間の統計的な相違を示す必要がある。
【０２１６】
【表１２】
2017531468.tif 000070
【０２１７】
専門評価者は、４種類の布片について全範囲２．５で許容できる識別力を有することを示す必要がある。専門評価者のパネルは、スケールでの布片を統計的に識別する能力も示す必要がある。専門評価者＃２は、布片間を識別する能力を示さず、パネルから排除される、表１１を参照のこと。
【０２１８】
【表１３】
2017531468.tif 000071
【０２１９】
基準布片は、ＢＩ基準スケール、表１２で０、１、２及び３のＢＩを示す。専門評価者は、０（最小臭気強度）から開始して３（最大臭気強度）で終了する各臭気を嗅ぐことによって、ＢＩ基準布片の臭気強度に慣れるべきである。これは試験物質によって処理した布片を評価する前に行うべきである。
【０２２０】
【表１４】
2017531468.tif 000072
【０２２１】
悪臭布片の作製及び試験物質によるその処理
ＢＩを評価するために、試験物質を悪臭布片に適用して、試験物質が悪臭をどれだけ良好にブロックするかを判定する。０．０８％イソ吉草酸溶液２０μＬで処理することによって、悪臭布片を作製する。イソ吉草酸で処理した悪臭布片を排気フード内で３０分間乾燥させる。悪臭布片を乾燥させた後、１ｐｐｍ〜１００ｐｐｍの既知濃度の試験物質溶液を悪臭布片にピペットで加える。イソ吉草酸溶液を適用した点の真上に試験物質溶液を適用して、直径約１ｃｍの点とする。ＢＩ基準布片と全く同様に、イソ吉草酸＋試験物質布片を排気フード内で３０分間乾燥させ、次にアルミ箔で覆って汚染を防止する。イソ吉草酸＋試験物質布片及びＢＩ基準布片は、互いに２時間以内に作製すべきである。イソ吉草酸＋試験物質布片は、基準布片と全く同様に１〜１２時間使用しなければならない。約１〜約１００ｐｐｍの試験物質の複数の濃度を評価してＢＩを決定することが必要な場合がある。
【０２２２】
ＢＩの試験物質への割り当て
少なくとも２名の調香師／専門評価者を使って、ＢＩを試験サンプルに割り当てる。専門評価者は、試験サンプルを該布地にピペットで加えた箇所を中心として自分の鼻から布片を２．５センチメートル（１インチ）離して持つことによりイソ吉草酸＋試験物質布片を自分の鼻で嗅ぎ、次にＢＩ基準スケールでの布片の臭気強度に対するその臭気強度の等級付けに基づいて、イソ吉草酸＋試験物質布片にＢＩを割り当てる。試験サンプル布片に、表に示すＢＩの数字で又は数字の間のＢＩを割り当てる。イソ吉草酸＋試験物質布片臭気がＢＩ基準スケールの３より大である場合、このことは物質がブロッカーでないこと、又は試験物質の濃度を低くしてそのブロッカー機能を実現する必要があることを示している。
【０２２３】
【表１５】
2017531468.tif 000073
【０２２４】
より低濃度にて改善された性能を有する悪臭抑制化合物
悪臭抑制化合物がより低濃度にて改善された悪臭抑制を与える好ましい挙動の非限定的ないくつかの例を下に示す。これらの非限定的なデータによって、悪臭がブロックされ、マスキングされていないという、さらなる説得力のあるデータが与えられる。
【０２２５】
【表１６】
2017531468.tif 000074
【０２２６】
より低濃度での悪臭低減化合物の再試験
以下の実施例は、悪臭抑制化合物はより高濃度で臭気ブロッキング（ＢＩ＞２．５）を示すことができないが、該化合物をより低濃度で再試験を行って該化合物が合格するか否かを判定すべきであることを示す。
【０２２７】
【表１７】
2017531468.tif 000075
【実施例】
【０２２８】
実施例１  悪臭低減化合物を含む組成物
本発明において、ブレンドによってより強力な悪臭低減が可能であるのは、ブレンドが嗅覚によって認識される前には、製品組成物のより高い％にて有用なためである。悪臭低減化合物の非限定的な例を以下に示す。
【０２２９】
【表１８】
2017531468.tif 000076
【０２３０】
実施例２  悪臭低減化合物を含む組成物
【０２３１】
【表１９】
2017531468.tif 000077
【０２３２】
実施例３  悪臭低減組成物
【０２３３】
【表２０】
2017531468.tif 000078
【０２３４】
実施例４  乾燥機添加布地柔軟剤シート組成物
実施例１に示す組成物による悪臭低減組成物を用いて調製した乾燥機添加布地柔軟剤シート組成物の例。
【０２３５】
【表２１】
2017531468.tif 000079
（１）ＤＥＱＡ１：溶媒としての、後述するような２５％＞７０１８ＦＡを含む、ジ（ソフトタローイルオキシエチル）ジメチルアンモニウムメチルサルフェート
（２）ＤＥＱＡ２：１８％≒部分水素添加タロー脂肪酸溶媒を含むジ（ソフトタローイルオキシエチル）ヒドロキシエチルメチルアンモニウムメチルサルフェート
（３）ＤＴＤＭＡＭＳ：ジ（水素添加タローアルキル）ジメチルアンモニウムメチルサルフェート
（４）７０１８ＦＡ：７０：３０ステアリン酸：パルミチン酸（ＩＶ＝０）、Ｗｉｔｃｏが販売するインダストレン７０１８
（５）ＴＳ−２０：ポリオキシエチレン−２０ソルビタントリステアレート（Ｌｏｎｚａが販売するグリコスパースＴＳ−２０
（６）ＳＭＳ：ソルビタンモノステアレート
（７）ＳＤＡＳＡ：１：２比のステアリルジメチルアミン：トリプルプレスステアリン酸
（８）ＴＰＥＤ：Ｎ，Ｎ，Ｎ’，Ｎ’−テトラキス（２−ヒドロキシプロピル）エチレンジアミン（ＢＡＳＦが販売するクアドロール）
（９）複合体：β−シクロデキストリン／香料複合体
（１０）粘土：カルシウムベントナイト粘土（Ｓｏｕｔｈｅｒｎ  Ｃｌａｙ  Ｐｒｏｄｕｃｔｓが販売するベントナイト）遊離（未希釈）香料
（１１）ＰＭＣは易破砕性シェルである。ＰＭＣ（カプセル化香料及び／又はブロッカーを含む）の約５０重量％の水が想定される。マイクロカプセルは、香料、悪臭低減組成物又はこれらの組み合わせを全内相によって、活性成分約３２％にて封入する。
【０２３６】
実施例６の組成物を均質に混合して、約約１７．１ｃｍ×３０．５ｃｍ（６％インチ×１２インチ）の寸法を有し、重量が約１グラムの不織ポリエステル上に含浸させる。
【０２３７】
得られた乾燥機添加布地柔軟剤シート製品は、自動乾燥機に添加すると、衣類の悪臭を低減するのに有効である。
【０２３８】
本明細書で開示する寸法及び値は、列挙された正確な数値に厳密に限られるとして理解されるべきではない。むしろ、特に断らないかぎり、そのような各寸法は、記載された値及びその値の周辺の機能的に同等の範囲の両方を意味するものとする。例えば、「４０ｍｍ」として開示される寸法は、「約４０ｍｍ」を意味することを意図する。
【０２３９】
本明細書で引用されているあらゆる文献は、あらゆる相互参照特許又は関連特許を含め、明示的に除外されたり、別段に限定されたりしている場合を除き、その全体が参照により本明細書に組み込まれる。いずれの文献の引用も、その文献が本願で開示又は特許請求されるすべての発明に対する先行技術であることを認めるものではなく、又はその文献が単独で、あるいは任意のその他の参照文献との任意の組み合わせにおいて、かかる発明のいずれかを参照、教示、示唆又は開示することを認めるものでもない。更に、本文書における用語の任意の意味又は定義が、参照することによって組み込まれた文書内の同じ用語の意味又は定義と競合する程度に、本文書におけるその用語に与えられた意味又は定義が適用されるものとする。
【０２４０】
以上、本発明の特定の諸実施形態を図示、説明したが、本発明の趣旨及び範囲から逸脱することなく他の様々な変更及び改変を行いうる点は当業者には自明であろう。したがって、本発明の範囲内にあるそのようなすべての変更及び修正が、添付の特許請求の範囲に網羅されるものとする。
【国際調査報告】
2017531468.tif 000080
2017531468.tif 000081
2017531468.tif 000082
2017531468.tif 000083